(57)【要約】      （修正有）【課題】通信パッチ装置および通信パッチシステムによって支持される通信アダプタ、通信ケーブル、またはその両方に容易に手が届くようにするケーブル配線装置を提供する。【解決手段】通信パッチシステムは、第１の状態と第２の状態との間で移行可能とされている。第１の状態では、１つ以上のパッチパネルデバイス１１０は、ハウジング近位端である近位面に対して初期の位置に置かれている。パッチパネルデバイス１１０をハウジングの面と略面一の状態とすることができる。第２の状態では、パッチパネルデバイス１１０のうちハウジングの近位端である近位面から矢印Ｚの方向に離れたより近位側の位置にくることができる。パッチパネルデバイス１１０が近位側に移動すると、ポート７は、隙間である間隔距離ｄだけ互いに離間した状態に移行することができる。【選択図】図２Ｂ
2019024193.tif 000002
【特許請求の範囲】
【請求項１】
第１および第２の側壁を有し、複数のカセットを摺動可能に受容するように構成された第１のシャーシと、
前記第１のシャーシの前記第１の側壁にヒンジ結合された第１の側縁部を有する第１のケーブルハンガーアセンブリであって、ケーブルを支持するように構成された複数の第１のハンガーを含み、前記複数のカセットが摺動可能な方向と回転軸が実質的に直交する、第１のケーブルハンガーアセンブリと、
を備え、
前記ケーブルハンガーアセンブリが、第１の位置から第２の位置までの回転中に、前記複数の第１のハンガーが前記複数のカセットの前面に向かって移動するように、前記第１の位置から前記第２の位置まで回転可能である、通信システム。
【請求項２】
前記第１のシャーシに結合されるとともに、前記第１のシャーシの垂直方向に隣接して位置決めされ、スプリッタモジュールを有する複数のスプリッタカセットを受容するように構成されている、第２のシャーシと、
前記第２のシャーシに結合されるとともに、前記第２のシャーシの垂直方向に隣接して位置決めされ、前記スプリッタカセットから前記複数のカセットにそれぞれ延びたケーブルを格納するトラフを少なくとも部分的に構成したトラフパネルを含む、ベースと、
をさらに備えている、請求項１に記載の通信システム。
【請求項３】
前記第２のシャーシが、前記第１のシャーシの直下に位置決めされている、請求項２に記載の通信システム。
【請求項４】
前記ベースが、前記第２のシャーシの直下に位置決めされている、請求項３に記載の通信システム。
【請求項５】
前記第１のシャーシの前記第２の側壁にヒンジ結合された第２の側縁部を有する第２のケーブルハンガーアセンブリであって、ケーブルを支持するように構成された複数の第２のハンガーを含み、前記複数のカセットが摺動可能な方向と回転軸が実質的に直交する、第２のケーブルハンガーアセンブリをさらに備えた、請求項１に記載の通信システム。
【請求項６】
前記システムの格納状態において、前記第２のケーブルハンガーアセンブリの内面が前記複数のカセットの前記前面に対向しており、前記第１のケーブルハンガーアセンブリの内面が前記第２のケーブルハンガーアセンブリの外面に対向している、請求項５に記載の通信システム。
【請求項７】
前記複数の第１のハンガーが、前記第１のケーブルハンガーアセンブリの第１のガイドパネルに結合されており、前記第１のガイドパネルが、第１の端部と第２の端部との間にそれぞれ延びた複数のフィンを含み、前記複数のフィンが、前記ケーブルを案内するように構成されている、請求項１に記載の通信システム。
【請求項８】
前記複数のフィンの前記第１の端部が、前記第１のシャーシの前記第１の側壁に隣接して位置決めされ、前記第１の側壁から離れて前記第１のシャーシの底部に向かう方向に前記第２の端部まで延びている、請求項７に記載の通信システム。
【請求項９】
前記複数のフィンが、第１のフィン、第２のフィン、および第３のフィンを含む、請求項８に記載の通信システム。
【請求項１０】
前記第１のフィンの前記第１の端部が、前記第１のシャーシの上部に隣接して位置決めされている、請求項９に記載の通信システム。
【請求項１１】
前記第２のフィンの前記第１の端部が、前記第１のフィンの前記第１の端部と前記第１のシャーシの前記底部との間に位置決めされ、前記第２のフィンの前記第２の端部が、前記第１のフィンの前記第２の端部よりも前記第１のシャーシの前記第１の側壁に近く位置決めされている、請求項１０に記載の通信システム。
【請求項１２】
前記第３のフィンの前記第１の端部が、前記第２のフィンの前記第１の端部と前記第１のシャーシの前記底部との間に位置決めされ、前記第３のフィンの前記第２の端部が、前記第２のフィンの前記第２の端部よりも前記第１のシャーシの前記第１の側壁に近く位置決めされている、請求項１１に記載の通信システム。
【請求項１３】
前記カセットの第１の群が前記第１のシャーシの前記上部に隣接して位置決めされ、前記カセットの第２の群が前記第１の群のカセットの直下に位置決めされ、前記カセットの第３の群が前記第２の群のカセットの直下に位置決めされている、請求項１２に記載の通信システム。
【請求項１４】
前記第１のフィンの前記第１の端部が、前記カセットの前記第１の群の上部に隣接して位置決めされ、前記第２のフィンの前記第１の端部が、前記カセットの前記第２の群の上部に隣接して位置決めされ、前記第３のフィンの前記第１の端部が、前記カセットの前記第３の群の上部に隣接して位置決めされている、請求項１３に記載の通信システム。
【請求項１５】
前記ケーブルハンガーアセンブリの前記第１の位置が、保守状態であり、前記ケーブルハンガーアセンブリの前記第２の位置が、格納状態であり、前記複数のカセットの前記前面が、前記保守状態で露出する、請求項１に記載の通信システム。
【請求項１６】
前記第１のシャーシの底部に固定的に結合されるように構成されたベースと、前記ベースに結合され、前記第１のケーブルハンガーアセンブリが前記格納状態の場合に前記第１のシャーシを少なくとも部分的に囲むように構成されたカバーと、をさらに備えている、請求項１５に記載の通信システム。
【請求項１７】
前記ベースが、前記カバーを当該ベースに係止する少なくとも１つのラッチを含み、前記カバーが、上向きフックを備えた底端を有する外面を含み、前記少なくとも１つのラッチが、フック部材に結合されたレバー部材を含み、前記フック部材が、前記カバーの前記上向きフックに係合するように構成された下向きフックを有する、請求項１６に記載の通信システム。
【請求項１８】
前記第１のシャーシの前記第１の側壁に結合され、ケーブルを案内するように構成された複数の第１の突起を含む、第１のサイドハンガーをさらに備えている、請求項１に記載の通信システム。
【請求項１９】
前記第１のケーブルハンガーアセンブリが、前記回転軸周りに最大およそ１８０°回転可能である、請求項１に記載の通信システム。
【請求項２０】
前記複数のカセットが、パッチパネルカセットおよびストレージカセットを含む、請求項１に記載の通信システム。
【発明の詳細な説明】
【技術分野】
【０００１】
［関連出願の相互参照］
本出願は、（ｉ）２０１８年２月１６日に出願された米国仮特許出願第６２／７１０，３６５号（発明の名称「Ａｐｐａｒａｔｕｓ  ｆｏｒ  Ｃａｂｌｅ  Ｒｏｕｔｉｎｇ」）、（ｉｉ）２０１８年２月９日に出願された米国仮特許出願第６２／６２８，４１８号（発明の名称「Ａｐｐａｒａｔｕｓ  ｆｏｒ  Ｃａｂｌｅ  Ｒｏｕｔｉｎｇ」）、（ｉｉｉ）２０１８年１月９日に出願された米国仮特許出願第６２／６１５，１９５号（発明の名称「Ａｐｐａｒａｔｕｓ  ｆｏｒ  Ｃａｂｌｅ  Ｒｏｕｔｉｎｇ」）、（ｉｖ）２０１７年１１月６日に出願された米国仮特許出願第６２／５８１，８８７号（発明の名称「Ａｐｐａｒａｔｕｓ  ｆｏｒ  Ｃａｂｌｅ  Ｒｏｕｔｉｎｇ」）、および（ｖ）２０１７年５月２２日に出願された米国仮特許出願第６２／５０９，２８１号（発明の名称「Ａｐｐａｒａｔｕｓ  ｆｏｒ  Ｃａｂｌｅ  Ｒｏｕｔｉｎｇ」）の出願日の利益を主張するものであり、そのすべての内容を参照により本明細書に援用する。
【０００２】
［発明の分野］
本開示は、一般に、通信コネクタ、アダプタ、ポートのいずれかまたはすべてに連結されたケーブルを配線、管理するためのデバイスおよびシステムに関し、特に、パッチパネルデバイス（patch panel device）用のケーブル配線・管理システムに関する。
【背景技術】
【０００３】
通信キャビネットや通信ラックにおいては、例えばアダプタなどのコネクタを介して多数のケーブルが相互接続されている。通常、ケーブル整線ユニットは、コネクタを支持するトレイ、棚あるいはこれらに類似するプラットフォームを有している。このケーブル整線ユニットの例として、パッチパネルを挙げることができる。
【０００４】
パッチパネルは複数のケーブルコネクタを収容するものであり、ラックに取り付けられる場合が多い。通常、パッチパネルは両側使用とされ、パッチパネルの前側には、比較的短いワイヤやケーブルを接続することができ、パッチパネルの後側には普通、比較的長いワイヤやケーブルを接続することができる。この設定により、パッチパネルの後側での接続を妨げることなく、パッチパネルの前側に一時的な変更を加えることが容易になっている。パッチパネルの前側に接続されるケーブルは、異なるパッチパネルどうしを相互接続するものである場合があり、また、比較的短い場合やより長いケーブルの一部である場合がある。パッチパネルは、高価なスイッチング機器を必要とせずに、機器の相互接続や、監視、回路試験を容易に行うことを可能にするものである。
【０００５】
パッチパネルの初期の用途は電話交換用であり、この用途での使用は、より自動化された形ではあるが今日も続いている。また、エンターテインメント産業においても、例えば録音スタジオやテレビスタジオなどにおいてパッチパネルは広く使用されている。さらに、コンサートホールでも、例えば、マイクや、スピーカー、他の電子機器などの機器間の接続を管理するために使用されている。パッチパネルがこのような目的で重用されているのは、その利便性や相対的な費用対効果のためばかりでなく、ハウリング（feedback）や、グランドループ、雑音（static）などの問題を容易に特定することができるためでもある。
【０００６】
従来の光ファイバケーブル整線ユニット(organization unit)は、複数の光ファイバシェルフを備えており、各光ファイバシェルフの前面のパッチ側には、１つのパッチパネルまたは複数のモジュール式パネルが設けられている。パッチパネルとしては、コネクタポートの密度が大きい、すなわち単位面積当たりの接続点または接続ポートの数が多いパッチパネルが望ましい。このため、より小型のコネクタを利用する傾向がますます高まっている。
【０００７】
光ファイバコネクタとしては、様々なコネクタを利用することができるが、加入者コネクタ（Subscriber Connector、ＳＣ）やルーセントコネクタ（Lucent Connector、ＬＣ）が最も一般的である。コネクタの種類によって寸法や機械的な連結の方式などが異なる。例えば、ＳＣコネクタは、２．５ｍｍ径のフェルールで１本のファイバを保持するものであり、プッシュオン／プルオフ嵌合機構が採用されている。一方、ＬＣコネクタのフェルールのサイズは、ＳＣコネクタのフェルールの半分のわずか１．２５ｍｍ径である。ＬＣコネクタでは、家庭用電話コネクタに見られるものと同様の保持タブ機構が採用されている。
【０００８】
データ通信用途や電気通信用途においては、例えばＳＣなどの従来型のコネクタに代えて、例えばＬＣなどの小型コネクタを用いる傾向がますます高まっている。大型コネクタに比べて、小型コネクタには主に、ラックの単位空間量当たりのファイバ数を増加させることができるという利点がある。ＬＣコネクタはＳＣコネクタの約半分のサイズであるため、ＳＣコネクタの代わりにＬＣコネクタを使用すると、同じ容量の空間内にほぼ２倍の数のコネクタを配置できるようになる。
【０００９】
しかしながら、小型コネクタの使用には欠点もある。同じ容量の空間内により多くのコネクタが配置されるため、手作業で行われることが多いコネクタの操作が難しくなる場合がある。通常の大人の指の直径は１６ｍｍ〜２０ｍｍであり、もっと大きな指や変わった形の指を持つ人もいる。従って、１．２５ｍｍ径のフェルールを備えるＬＣなどの小型コネクタを採用することは、特に大きな手や不器用な手を持つ技術者にとっての懸念材料となる可能性がある。一般に、ＬＣコネクタは、双方向通信が可能な（duplex）構成となるように複数のコネクタがプラスチック製のクリップで束ねられている。小型のコネクタを双方向通信が可能な構成に束ねることにより、技術者がＬＣコネクタの操作や取り外しを容易に行うことができるようになる一方、いかなる点検手続きにおいても必ず２つのコネクタが影響を受けることになる。
【００１０】
したがって、通信パッチ装置および通信パッチシステムによって支持される通信アダプタ、通信ケーブル、またはその両方に容易に手が届くようにする新規のデバイスやシステムに対するニーズは依然として存在している。
【発明の概要】
【００１１】
本開示の一態様によれば、通信システムは、外側ハウジング、内側ハウジング、ハンガープレートアセンブリ、および複数のハンガーを具備する。外側ハウジングは、第１および第２の側壁を有する。内側ハウジングは、少なくとも一部が前記外側ハウジング内に位置決めされ、第１および第２の側壁を有し、複数のパッチパネルデバイスを積層配置で受容するように構成されている。ハンガープレートアセンブリは、複数のハンガープレートを具備しており、複数のハンガープレートは、対向する第１および第２の表面を有するとともに、内側ハウジングの第１の側壁にヒンジ結合された第１のハンガープレートを具備する。第１のハンガープレートには、少なくとも１つの別のハンガープレートがヒンジ結合されており、少なくとも１つの別のハンガープレートには、終端ハンガープレートが動作可能に結合され、自由縁部を有する。複数のハンガーは、複数のハンガープレートのうちの１つの第１の表面に積層配置で接続されており、各ハンガーがケーブルを支持するように構成されている。ハンガープレートアセンブリは、少なくとも一部が外側ハウジングの外側に位置決めされる引き出し状態と、全部が外側ハウジング内に位置決めされ、終端ハンガープレートの第２の表面が内側ハウジングの第１の側壁に対向する格納状態とを有する。
【００１２】
内側ハウジングは、パッチパネルデバイスのうちの１つを受容するようにそれぞれ構成された複数のスロットを具備していてもよい。ハンガープレートアセンブリは、複数のスロットに受容されたパッチパネルデバイスと同数以上の多くのハンガーを具備していてもよい。第１のハンガープレートを除く複数のハンガープレートのうちの選択された少なくとも１つの第１の表面には、複数のケーブル保持器が接続されていてもよい。ケーブル保持器は、選択されたハンガープレートの第１の表面から横方向に延びた円形部を含んでいてもよい。ケーブル保持器は、円形部に結合されるとともに円形部から横方向に延びた平坦部を含んでいてもよい。選択されたハンガープレートは、終端ハンガープレートであってもよい。終端ハンガープレートには、カバーがヒンジ結合されていてもよく、このカバーは、ケーブル保持器を露出させる第１の位置から、ケーブル保持器を覆う第２の位置まで枢動可能である。少なくとも１つの別のハンガープレートは、当該少なくとも１つの別のハンガープレートの第１の表面から第２の表面まで延びて当該少なくとも１つの別のハンガープレートにケーブルを通すことができる開口を含んでいてもよい。ケーブル支持部は、複数のハンガープレートのうちの１つの第１の表面に結合された第１の端部および第２の自由端部を有していてもよく、第２の自由端部は、ハンガープレートアセンブリが引き出し状態の場合に上記１つのハンガープレートの第１の表面から第１の距離だけ離隔し、ハンガープレートアセンブリが格納状態の場合に上記１つのハンガープレートの第１の表面から第２の距離だけ離隔し、第１の距離が第２の距離よりも大きい。ケーブル支持部の第１の端部は、上記１つのハンガープレートの第１の表面に回転可能に結合されていてもよい。ケーブル支持部は、当該ケーブル支持部の第２の自由端部が第１の端部に対して向かう方向または離れる方向に平行移動可能となるように、伸縮構成を有していてもよい。選択されたハンガープレートは、当該選択されたハンガープレートの第２の縁部に対して平行移動可能な第１の縁部を含んでいてもよい。ケーブル保持器は、第１の位置から第２の位置まで、選択されたハンガープレートの第１の表面に沿って平行移動可能であってもよく、第１の位置では、選択されたハンガープレートの第１の縁部により近く、第２の位置では、選択されたハンガープレートの第２の縁部により近い。
【００１３】
本開示の別の態様によれば、通信システムは、ハウジング、ハンガープレートアセンブリ、および複数のハンガーを具備する。ハウジングは、複数のパッチパネルデバイスを積層配置で受容するように構成された開放近位面を有する。ハンガープレートアセンブリは、対向する第１および第２の表面を有するハンガープレートを具備しており、ハンガープレートは、ハウジングにヒンジ結合された第１の縁部から第２の自由縁部まで延びている。複数のハンガーは、ハンガープレートの第１の表面に積層配置で接続されており、各ハンガーがケーブルを支持するように構成されている。ハンガープレートアセンブリは、ハンガープレートの第１の表面がハウジングの開放近位面を少なくとも部分的に覆う格納状態と、ハンガープレートの第１の表面がハウジングの開放近位面を覆わない設置状態とを有する。
【００１４】
ハウジングは、パッチパネルデバイスのうちの１つを受容するようにそれぞれ構成された複数のスロットを具備していてもよい。ハンガープレートアセンブリは、複数のスロットに受容されたパッチパネルデバイスと同数以上の多くのハンガーを具備していてもよい。ハンガー間のハンガープレートの第１の表面およびハンガープレートの第２の自由縁部には、複数のケーブル保持器が接続されていてもよい。ケーブル保持器は、ハンガープレートの第１の表面から横方向に離れて延びた円形部を含む。ケーブル保持器は、円形部に結合され、ハンガープレートの上縁または底縁に向かって延びた平坦部を含んでいてもよい。ハンガープレートは、ハンガープレートの上縁または底縁に、ハンガープレートの第１の表面から第２の表面までケーブルを通し得るように構成された少なくとも１つの垂直スロットを含んでいてもよい。垂直スロットは、複数のハンガーとハンガープレートの第１の縁部との間に位置決めされていてもよいし、複数のハンガーとハンガープレートの第２の自由縁部との間に位置決めされていてもよい。ハンガープレートアセンブリの格納状態において、ハウジングおよびハンガープレートは、一体となって実質的に円筒状であってもよい。ハンガープレートアセンブリは、対向する第１および第２の表面を有する別のハンガープレートを具備していてもよく、この別のハンガープレートは、ハウジングにヒンジ結合された第１の縁部から第２の自由縁部まで延びており、ハンガープレートの第１の縁部および別のハンガープレートの第１の縁部は、ハウジングの開放近位面の反対側に位置決めされている。ハンガープレートアセンブリの格納状態において、別のハンガープレートの第１の表面は、ハンガープレートの第２の表面を少なくとも部分的に覆っていてもよい。
【００１５】
本開示のさらに別の態様によれば、通信システムは、ハウジングおよびハンガープレートアセンブリを具備する。ハウジングは、第１および第２の側壁と、積層配置で受容された複数のパッチパネルデバイスとを有していてもよい。ハンガープレートアセンブリは、第１のハンガープレートおよび第２のハンガープレートを具備していてもよい。第１のハンガープレートは、ハウジングの第１の側壁にヒンジ結合された側縁を有していてもよく、第１のハンガープレートが外面を含むとともに、複数の第１のハンガーが第１のハンガープレートの内面に積層配置で取り付けられ、第１のハンガーがそれぞれ、ケーブルを支持するように構成されている。第２のハンガープレートは、ハウジングの第２の側壁にヒンジ結合された側縁を有していてもよく、当該第２のハンガープレートの内面に積層配置で取り付けられた複数の第２のハンガーを含み、第２のハンガーがそれぞれ、ケーブルを支持するように構成されている。ハンガープレートアセンブリの格納状態において、第２のハンガープレートの内面は、複数のパッチパネルデバイスの前面に対向していてもよく、第１のハンガープレートの内面は、第２のハンガープレートの外面に対向していてもよい。ハンガープレートアセンブリの保守状態において、複数のパッチパネルデバイスの前面は、露出していてもよい。第１のハンガープレートの外面は、凸状の曲率を有していてもよく、第１のハンガープレートの外面の全体に沿って延びていてもよい。第２のハンガープレートの内面および外面は、実質的に平坦であってもよい。ハウジングは、パッチパネルデバイスのうちの１つを受容するようにそれぞれ構成された複数のスロットを具備していてもよい。複数の第１のハンガーの数は、複数のスロットに受容されたパッチパネルデバイスと同数以上であってもよい。ハウジングは、底部および上部を含むフレームを具備していてもよい。フレームは、金属で形成されていてもよい。このシステムは、フレームの底部に固定的に結合されるように構成されたベースを具備していてもよい。このシステムは、ベースに結合され、ハンガープレートアセンブリが格納状態の場合にフレームの少なくとも一部を囲むように構成されたカバーを具備していてもよい。フレームの上部は、第１の側壁を越えて第１の距離だけ延びた第１の上端と、第２の側壁を越えて第２の距離だけ延びた第２の上端とを含んでいてもよい。カバーは、フレームの第１の上端を受容するように成形された第１の内部ガイドスロットと、フレームの第２の上端を受容するように構成された第２の内部ガイドスロットとを具備していてもよく、第１および第２の内部ガイドスロットは、カバーの反対側に位置決めされている。フレームの第１および第２の上端がカバーの第１および第２の内部ガイドスロットにそれぞれ受容され、カバーがベースに結合された場合、ハウジングの第１の側壁は、カバーの内面の第１の隣接部から第３の距離だけ離隔していてもよく、ハウジングの第２の側壁は、カバーの内面の第２の隣接部から第４の距離だけ離隔していてもよい。ベースは、カバーを当該ベースに係止する少なくとも１つのラッチを具備していてもよい。カバーは、上向きフックを備えた底端を有する外面を含んでいてもよく、少なくとも１つのラッチは、フック部材に結合されたレバー部材を含んでいてもよく、フック部材が、カバーの上向きフックに係合するように構成された下向きフックを有する。レバー部材は、ベースの内面と接触していてもよい。レバー部材は、フック部材に枢動可能に結合されていてもよく、レバー部材の枢動によって、下向きフックが上向きフックと係合した場合に、カバーがベースと係合するようになっていてもよい。ベースは、円周方向溝および少なくとも一部が円周方向溝内に位置決めされたガスケット部材を具備していてもよい。ベースおよびカバーの少なくとも一方が円周方向溝および少なくとも一部が円周方向溝内に位置決めされたガスケット部材を具備していてもよく、ベースおよびカバーの他方が、カバーがベースに組み付けられた場合にガスケット部材を押圧するように構成された突起を具備していてもよい。上向きフックは、カバーの内面に続く内面を含んでいてもよく、上向きフックの内面は、カバーがベースと係合した場合にガスケット部材に接触する。このシステムは、ハウジングの後部に回転可能に結合されたカートリッジを具備していてもよく、カートリッジは、格納状態およびアクセス状態を有し、格納状態においては、カートリッジおよびハウジングの後部が実質的に閉じた内部空間を規定しており、アクセス状態においては、カートリッジおよびハウジングの後部が実質的に開いた内部空間を規定している。ハウジングは、フレームを具備していてもよく、第１のサイドハンガーがフレームの第１の辺に結合されていてもよく、第１のサイドハンガーは、ケーブルを案内する複数の第１の突起を具備する。第２のサイドハンガーが第１の辺の反対のフレームの第２の辺に結合されていてもよく、第２のサイドハンガーは、ケーブルを案内する複数の第２の突起を具備する。また、このシステムは、格納状態および保守状態を有する第１のバーを具備していてもよく、第１のバーは、格納状態において、第１のハンガープレートの側縁に隣接して位置決めされるとともに、ハウジングの底部とハウジングの上部との間に延びており、保守状態においては、ハウジングの第１の側壁からハウジングの第２の側壁に向かって延びている。第１のバーは、上端および底端を有していてもよく、上端周りに枢動して、当該第１のバーの格納状態から保守状態へと遷移し得る。第２のバーが格納状態および保守状態を有していてもよく、第２のバーは、格納状態において、第２のハンガープレートの側縁に隣接して位置決めされるとともに、ハウジングの底部とハウジングの上部との間に延びており、保守状態においては、ハウジングの第２の側壁からハウジングの第１の側壁に向かって延びている。第１のバーおよび第２のバーはそれぞれ、上端および底端を有していてもよく、第１のバーは、その上端周りに枢動して、当該第１のバーの格納状態から保守状態へと遷移可能であり、第２のバーは、その底端周りに枢動して、当該第２のバーの格納状態から保守状態へと遷移可能である。第１のバーの格納状態において、ハンガープレートアセンブリは、格納状態から保守状態へと遷移可能であってもよい。第１のバーの保守状態において、第１のバーは、ハンガープレートアセンブリの保守状態から格納状態への遷移を制限するようにしてもよい。第１のバーは、光ファイバに対する最小曲げ半径に従って成形された曲面を有していてもよい。複数の第１のハンガーは、第１のハンガープレートに結合された第１の端部から第２の端部まで延びていてもよく、第２の端部が第１の部分および第２の部分を含み、第１の部分がリップを規定し、ラッチ部材が第２の部分にヒンジ結合されている。第１のハンガーのうちの第１の１つの第１の部分は、第１のハンガーのうちの第２の１つの第２の部分と位置合わせされていてもよく、第１のハンガーのうちの第１の１つは、第１のハンガーのうちの第２の１つに隣接している。ラッチ部材は、リップを補完する形状を有するラッチ機構を含んでいてもよい。第１のハンガーのうちの第１の１つの係止状態において、第１のハンガーのうちの第１の１つに結合されたラッチ部材のラッチ機構は、第１のハンガーのうちの第２の１つのリップと係合していてもよく、ハンガーのうちの第１の１つは、第１のハンガーのうちの第２の１つに隣接している。このシステムは、ハウジングに動作可能に結合された水分センサを具備していてもよく、水分センサは、前面を有する第１のセンサコンポーネントおよび前面を有する第２のセンサコンポーネントを具備する。また、水分センサは、第１の部分が第１のセンサコンポーネントの前面に隣接し、第２の部分が第２のセンサコンポーネントの前面に隣接するように第１のセンサコンポーネントおよび第２のセンサコンポーネントの前面間の公称軸に沿って延びた光ファイバを具備していてもよい。第１のセンサコンポーネントおよび第２のセンサコンポーネントは、当該第１および第２のセンサコンポーネントがそれぞれ、乾燥状態で第１のサイズを有し、湿潤状態で第２のサイズを有し、第２のサイズが第１のサイズよりも大きくなるように、水との接触で膨張する材料で形成されていてもよい。第１および第２のセンサコンポーネントは、乾燥状態において、第１および第２のセンサコンポーネントが公称軸を越えて延びることなく、光ファイバの第１および第２の部分が実質的に直線となるような第１および第２のセンサコンポーネントの第１のサイズであり、湿潤状態において、光ファイバの第１および第２の部分が実質的に曲線となるように、第２のサイズを有する第１および第２のセンサコンポーネントが公称軸を越えて延びるように構成されていてもよい。第１のハンガープレートの内面には、第１のハンガープレートの側縁と第１のハンガープレートの自由縁部との間の位置においてケーブル整線器が結合されていてもよく、ケーブル整線器は、第１のハンガープレートの側縁の比較的近くに位置決めされた第１の部分および第１のハンガープレートの自由縁部の比較的近くに位置決めされた第２の部分を有する複数のリブを有する。リブの隣接する第１の部分は、第１の距離だけ離隔していてもよく、リブの隣接する第２の部分は、第１の距離より短い第２の距離だけ離隔していてもよい。複数のリブには、最上部リブおよび最底部リブを含んでいてもよく、最上部リブの第２の部分は、最底部リブに向かう方向に延びており、最底部リブの第２の部分は、最上部リブに向かう方向に延びている。各リブの第１の部分は、第１のハンガーのうちの対応する１つと実質的に位置合わせされていてもよい。ケーブル整線器は、リブのうちの１つの少なくとも１つの表面によりそれぞれ規定された複数のケーブル配線経路を規定していてもよい。各ケーブル配線経路には、第１のハンガープレートの側縁に比較的近い第１の部分および第１のハンガープレートの自由縁部に比較的近い第２の部分を含んでいてもよく、隣接するケーブル配線経路の第１の部分が第１の距離だけ離隔し、隣接するケーブル配線経路の第２の部分が第１の距離より短い第２の距離だけ離隔している。
【００１６】
本開示の別の態様によれば、通信システムは、第１のパッチパネルシステムおよび第２のパッチパネルシステムを具備する。第１のパッチパネルシステムは、第１のハウジングおよび第１のハンガープレートアセンブリを具備していてもよく、第２のパッチパネルシステムは、第２のハウジングおよび第２のハンガープレートアセンブリを具備していてもよい。第１のハウジングは、第１および第２の側壁と、積層配置で受容された複数の第１のパッチパネルデバイスとを有していてもよい。第１のハンガープレートアセンブリは、第１のハウジングの第１の側壁にヒンジ結合された第１のハンガープレートであり、外面と、当該第１のハンガープレートの内面に積層配置で取り付けられた複数の第１のハンガーとを含み、第１のハンガーがそれぞれ、ケーブルを支持するように構成された、第１のハンガープレートと、第１のハウジングの第２の側壁にヒンジ結合された第２のハンガープレートであり、当該第２のハンガープレートの内面に積層配置で取り付けられた複数の第２のハンガーを含み、第２のハンガーがそれぞれ、ケーブルを支持するように構成された、第２のハンガープレートと、を具備していてもよい。第１のハンガープレートアセンブリは、第２のハンガープレートの内面が複数の第１のパッチパネルデバイスの前面に対向し、第１のハンガープレートの内面が第２のハンガープレートの外面に対向する格納状態を含んでいてもよく、第１のハンガープレートアセンブリは、複数の第１のパッチパネルデバイスの前面が露出する保守状態を含む。第２のハウジングは、第１および第２の側壁と、積層配置で受容された複数の第２のパッチパネルデバイスとを有していてもよい。第２のハンガープレートアセンブリは、第２のハウジングの第１の側壁にヒンジ結合された第３のハンガープレートであり、外面と、当該第３のハンガープレートの内面に積層配置で取り付けられた複数の第３のハンガーとを含み、第３のハンガーがそれぞれ、ケーブルを支持するように構成された、第３のハンガープレートと、第２のハウジングの第２の側壁にヒンジ結合された第４のハンガープレートであり、当該第４のハンガープレートの内面に積層配置で取り付けられた複数の第４のハンガーを含み、第４のハンガーがそれぞれ、ケーブルを支持するように構成された、第４のハンガープレートと、を具備していてもよい。第２のハンガープレートアセンブリは、第４のハンガープレートの内面が複数の第２のパッチパネルデバイスの前面に対向し、第３のハンガープレートの内面が第４のハンガープレートの外面に対向する格納状態を含んでいてもよく、第２のハンガープレートアセンブリは、複数の第２のパッチパネルデバイスの前面が露出する保守状態を含んでいてもよい。第１のパッチパネルシステムは、第２のパッチパネルシステムに隣接して位置決めされていてもよく、第１のハウジングの後部が第２のハウジングの後部に対向していてもよい。第１および第３のハンガープレートの外面はそれぞれ、凸状の曲率を有していてもよく、凸状の各曲率が各外面の全体に沿って延びていてもよい。このシステムは、ベースを具備していてもよく、第１のハウジングの底部がベースに固定されるように構成され、第２のハウジングの底部がベースに固定されるように構成されている。このシステムは、ベースに結合され、第１のハンガープレートアセンブリがその格納状態であり、第２のハンガープレートアセンブリがその格納状態の場合に第１のハウジングおよび第２のハウジングの少なくとも一部を囲むように構成されたカバーを具備していてもよい。
【００１７】
本開示のさらに別の態様によれば、通信システムは、上壁、底壁、および後壁を有するハウジングを具備する。ハウジング内には、複数のパッチパネルデバイスが積層配置で位置決めされていてもよい。ハウジングには、ハンガープレートアセンブリが動作可能に結合され、パッチパネルデバイスの前面が露出する保守状態と、パッチパネルデバイスの前面が隠れる格納状態とを有していてもよい。ハウジングの第１の部分に結合された第１の部分を少なくとも１つの吊り下げ要素が有し、ワイヤに接触して、通信システムをワイヤから吊るすように構成されていてもよい。少なくとも１つの吊り下げ要素は、ハウジングの第２の部分に結合された第２の端部を具備していてもよく、ハウジングと閉じた境界を構成する。ハンガープレートアセンブリは、第１のハンガープレートおよび第２のハンガープレートを具備していてもよく、第１のハンガープレートは、ハウジングにヒンジ結合された側縁を有し、凸状の曲率を有する外面を含んでおり、第２のハンガープレートは、ハウジングにヒンジ結合された側縁を有する。ハンガープレートアセンブリの格納状態において、第２のハンガープレートの内面は、パッチパネルデバイスの前面に対向していてもよく、第１のハンガープレートの内面は、第２のハンガープレートの外面に対向していてもよい。ハンガープレートアセンブリは、ハウジングの底壁にヒンジ結合された底縁を有する単一のハンガープレートを具備していてもよい。少なくとも１つの吊り下げ要素は、２つの吊り下げ要素を含んでいてもよく、２つの吊り下げ要素の第１の部分がハウジングの上壁に結合され、２つの吊り下げ要素の第２の部分がハウジングの後壁に結合されている。
【００１８】
本開示の別の実施形態によれば、システムは、スプリッタモジュールに結合された第１の終端を有する出力ケーブルと、出力ケーブルの第１の終端と反対の第２の終端に結合された結合要素とを具備する。複数の個々のケーブルはそれぞれ、第１の終端および当該第１の終端の反対の第２の終端を有する。複数の個々のケーブルそれぞれの第１の終端は、結合要素に結合されていてもよく、複数の個々のケーブルそれぞれの第２の終端は、副デバイスへの接続用の出力コネクタに結合されていてもよい。スプリッタモジュールから出力ケーブルおよび複数の個々のケーブルをそれぞれ介して、複数の個々のケーブルそれぞれの出力コネクタまで、複数の光ファイバが連続して延びていてもよい。複数の個々のケーブルの各ケーブルは、各ケーブルの外側面により規定された横方向断面積を有していてもよく、出力ケーブルは、当該出力ケーブルの外側面により規定された横方向断面積を有していてもよい。複数の個々のケーブルの横方向断面積の合計は、出力ケーブルの横方向断面積より大きくてもよい。少なくとも１つの入力ケーブルは、スプリッタモジュールに結合された第１の終端および当該第１の終端の反対の少なくとも１つの第２の終端を有していてもよい。少なくとも１つの入力ケーブルの少なくとも１つの第２の終端それぞれには、入力コネクタが結合されていてもよい。各入力コネクタとスプリッタモジュールとの間には、１つの入力光ファイバが連続して延びていてもよい。少なくとも１つの入力ケーブルはそれぞれ、単一の第１の終端および単一の第２の終端または単一の第１の終端および２つ以上の第２の終端を有していてもよい。出力ケーブルは、その外側面において、およそ２ｍｍ〜およそ５ｍｍの直径を有していてもよい。複数の個々のケーブルはそれぞれ、その外側面において、およそ０．９ｍｍ〜およそ１．６ｍｍの直径を有していてもよい。通信システムは、上述のシステムを複数含んでいてもよく、出力ケーブルの総数は、複数の個々のケーブルの総数未満である。通信システムにおいて、少なくとも１つの入力ケーブルの総数は、入力コネクタの総数以下であってもよい。入力コネクタの総数は、複数の個々のケーブルの総数未満であってもよい。複数のスプリッタモジュールシステムのスプリッタモジュールは、ハウジング内に積層構成で設けられていてもよい。ハウジング内には、複数のパッチパネルカセットが積層構成で設けられていてもよい。複数の個々のケーブルの出力コネクタの少なくとも一部は、パッチパネルカセットのポートに取り付けられるように構成されていてもよい。スプリッタモジュールはそれぞれ、ハウジングに対して摺動可能なスプリッタトレイ上に設けられていてもよい。複数のパッチパネルカセットはそれぞれ、ハウジングに対して摺動可能であってもよい。
【００１９】
本開示の一態様によれば、信号送信機から信号受信機に信号を送付する通信システムは、上部および底部を有する筐体を具備する。筐体内には、第１のシャーシが位置決めされていてもよく、第１のシャーシ内には、複数のカセットが摺動可能に受容されていてもよい。筐体内には、第１のシャーシに結合され、第１のシャーシの垂直方向に隣接して（たとえば、上方または下方に）位置決めされた第２のシャーシが存在していてもよい。第２のシャーシは、スプリッタモジュールを有する複数のスプリッタカセットを受容するように構成されていてもよい。筐体内には、第２のシャーシに結合され、第２のシャーシの垂直方向に隣接して（たとえば、上方または下方に）位置決めされたベースが位置決めされていてもよく、このベースは、当該ベースの前面とともに、スプリッタカセットと第１のシャーシに受容された複数のカセットとの間に延びたケーブルを格納するトラフを構成するパネルを含む。第１のパネルが第１のシャーシの第１の辺に結合され、第２のパネルが第１の辺と反対の第１のシャーシの第２の辺に結合されていてもよく、第１のパネル上には、ケーブルを支持する第１のハンガーユニットが位置決めされ、第２のパネル上には、ケーブルを支持する第２のハンガーユニットが位置決めされている。
【００２０】
本開示の別の態様によれば、信号送信機から信号受信機に信号を送付する通信システムは、上部および底部を有する筐体を具備する。筐体内には、第１のシャーシが位置決めされていてもよい。第１のシャーシには、複数のカセットが摺動可能に受容されていてもよい。筐体内には、第１のシャーシに結合され、第１のシャーシの垂直方向に隣接して（たとえば、上方または下方に）位置決めされた第２のシャーシが存在していてもよい。第２のシャーシは、スプリッタモジュールを有する複数のスプリッタカセットを受容するように構成されていてもよい。第２のシャーシの前面が第１のシャーシの前面からある離隔距離に位置決めされ、スプリッタカセットと第１のシャーシに受容された複数のカセットとの間に延びたケーブルを格納するトラフを構成していてもよい。第２のシャーシの底面が第１のシャーシの上面からある離隔距離に位置決めされ、第２のシャーシに受容されたスプリッタカセットの底縁が第１のシャーシの上面からある離隔距離に位置決めされるようになっていてもよい。
【００２１】
本開示のさらに別の態様によれば、信号送信機から信号受信機に信号を送付する通信システムは、上部および底部を有する筐体を具備する。筐体内には、第１のシャーシが位置決めされていてもよく、第１のシャーシ内には、複数のカセットが摺動可能に受容されていてもよい。筐体内には、第２のシャーシが位置決めされていてもよく、第２のシャーシは、第１のシャーシからある離隔距離に位置決めされるとともに、スプリッタモジュールを有する複数のスプリッタカセットを受容するように構成されている。筐体内には、ベースが位置決めされていてもよく、ベースは、前部および当該前部の上方にある距離だけ延びた後部を含み、第１のシャーシおよび第２のシャーシがベースの後部に結合されている。パネルがベースの前部にヒンジ結合され、パネル、ベースの前部、およびベースの後部によって、スプリッタカセットと第１のシャーシに受容された複数のカセットとの間に延びたケーブルを格納するように構成されたトラフが形成されるようになっていてもよい。
【００２２】
本開示のさらに別の態様によれば、通信システムは、第１のシャーシおよび第２のシャーシを具備していてもよい。第１のシャーシは、複数のカセットを摺動可能に受容するように構成されていてもよい。第１のシャーシには、第２のシャーシが結合され、第１のシャーシの垂直方向に隣接して位置決めされていてもよい。第２のシャーシは、スプリッタモジュールを有する複数のスプリッタカセットを受容するように構成されていてもよい。第２のシャーシには、ベースが結合され、第２のシャーシの垂直方向に隣接して位置決めされていてもよい。ベースは、スプリッタカセットから複数のカセットへとそれぞれ延びたケーブルを格納するトラフを少なくとも部分的に構成するトラフパネルを具備していてもよい。第２のシャーシは、第１のシャーシの直下に位置決めされていてもよく、ベースは、第２のシャーシの直下に位置決めされていてもよい。第１のシャーシの第１の辺には、ケーブルを支持する複数の第１のハンガーを含む第１のハンガーユニットが結合されていてもよい。第１の辺と反対の第１のシャーシの第２の辺には、ケーブルを支持する複数の第２のハンガーを含む第２のハンガーユニットが結合されていてもよい。第１のハンガーユニットは、第１のシャーシの第１の辺にヒンジ結合された第１のガイドパネルに結合されていてもよい。第１のガイドパネルは、第１の端部と第２の端部との間にそれぞれ延びた複数のフィンを具備していてもよく、複数のフィンは、ケーブルを案内するように構成されている。複数のフィンの第１の端部は、第１のシャーシの第１の側壁に隣接して位置決めされ、第１の側壁から離れてトラフに向かう方向に第２の端部まで延びていてもよい。複数のフィンは、第１のフィン、第２のフィン、および第３のフィンを含んでいてもよい。第１のフィンの第１の端部は、第１のシャーシの上部に隣接して位置決めされていてもよい。第２のフィンの第１の端部は、第１のフィンの第１の端部と第２のシャーシとの間に位置決めされていてもよく、第２のフィンの第２の端部は、第１のフィンの第２の端部よりも第１のシャーシの第１の辺に近く位置決めされていてもよい。第３のフィンの第１の端部は、第２のフィンの第１の端部と第２のシャーシとの間に位置決めされていてもよく、第３のフィンの第２の端部は、第２のフィンの第２の端部よりも第１のシャーシの第１の辺に近く位置決めされていてもよい。カセットの第１の群が第１のシャーシの上部に隣接して位置決めされていてもよく、カセットの第２の群が第１の群のカセットの直下に位置決めされ、カセットの第３の群が第２の群のカセットの直下に位置決めされていてもよい。第１のフィンの第１の端部がカセットの第１の群の上部に隣接して位置決めされていてもよく、第２のフィンの第１の端部がカセットの第２の群の上部に隣接して位置決めされていてもよく、第３のフィンの第１の端部がカセットの第３の群の上部に隣接して位置決めされていてもよい。トラフパネルは、ベースに結合されていてもよい。トラフパネルは、第１のシャーシの前面に対して実質的に平行な第１の方向に第１の側端から第２の側端まで延びた第１のパネル面を含んでいてもよい。トラフパネルは、第１のパネル面の第１の側端から、第１の方向に対して実質的に直交する第２の方向に延びた第１のサイドパネルを含んでいてもよい。トラフパネルは、第１のパネル面の第２の側端から第２の方向に延びた第２のサイドパネルを含んでいてもよい。このシステムは、第１のシャーシおよび第２のシャーシを収容する筐体を具備していてもよい。第２のシャーシは、内部容積を有する第１の部分および内部容積を有する第２の部分を含んでいてもよく、第１の部分および第２の部分の内部容積が少なくとも１つの壁によって分離されており、第１の部分がスプリッタカセットの第１の群を受容するように構成され、第２の部分がスプリッタカセットの第２の群を受容するように構成されている。
【００２３】
本開示の別の態様によれば、通信システムは、第１および第２の側壁を有し、複数のカセットを摺動可能に受容するように構成された第１のシャーシを具備していてもよい。第１のケーブルハンガーアセンブリは、第１のシャーシの第１の側壁にヒンジ結合された第１の側縁を有していてもよく、ケーブルを支持するように構成された複数の第１のハンガーを具備する。複数のカセットが摺動可能な方向に対して、第１のケーブルハンガーアセンブリの回転軸が実質的に直交していてもよい。ケーブルハンガーアセンブリは、第１の位置から第２の位置までの回転中に、複数の第１のハンガーが複数のカセットの前面に向かって移動するように、第１の位置から第２の位置まで回転可能であってもよい。一実施形態においては、第２のシャーシが第１のシャーシに結合され、第１のシャーシの垂直方向に隣接して位置決めされていてもよく、第２のシャーシは、スプリッタモジュールを有する複数のスプリッタカセットを受容するように構成されている。当該実施形態においては、ベースが第２のシャーシに結合され、第２のシャーシの垂直方向に隣接して位置決めされていてもよく、ベースは、スプリッタカセットから複数のカセットへとそれぞれ延びたケーブルを格納するトラフを少なくとも部分的に構成するトラフパネルを具備する。第２のシャーシは、第１のシャーシの直下に位置決めされていてもよく、ベースは、第２のシャーシの直下に位置決めされていてもよい。一実施形態において、第２のケーブルハンガーアセンブリは、第１のシャーシの第２の側壁にヒンジ結合された第２の側縁を有し、ケーブルを支持するように構成された複数の第２のハンガーを具備しており、複数のカセットが摺動可能な方向に対して、第２のケーブルハンガーアセンブリの回転軸が実質的に直交する。システムの格納状態においては、第２のケーブルハンガーアセンブリの内面が複数のカセットの前面に対向し、第１のケーブルハンガーの内面が第２のケーブルハンガーアセンブリの外面に対向する。複数の第１のハンガーは、第１のケーブルハンガーアセンブリの第１のガイドパネルに結合されていてもよく、第１のガイドパネルは、第１の端部と第２の端部との間にそれぞれ延びた複数のフィンを具備しており、複数のフィンは、ケーブルを案内するように構成されている。複数のフィンの第１の端部は、第１のシャーシの第１の側壁に隣接して位置決めされ、第１の側壁から離れて第１のシャーシの底部に向かう方向に第２の端部まで延びていてもよい。複数のフィンは、第１のフィン、第２のフィン、および第３のフィンを含んでいてもよい。第１のフィンの第１の端部は、第１のシャーシの上部に隣接して位置決めされていてもよい。第２のフィンの第１の端部は、第１のフィンの第１の端部と第１のシャーシの底部との間に位置決めされていてもよく、第２のフィンの第２の端部は、第１のフィンの第２の端部よりも第１のシャーシの第１の側壁に近く位置決めされていてもよい。第３のフィンの第１の端部は、第２のフィンの第１の端部と第１のシャーシの底部との間に位置決めされていてもよく、第３のフィンの第２の端部は、第２のフィンの第２の端部よりも第１のシャーシの第１の側壁に近く位置決めされていてもよい。カセットの第１の群が第１のシャーシの上部に隣接して位置決めされていてもよく、カセットの第２の群が第１の群のカセットの直下に位置決めされていてもよく、カセットの第３の群が第２の群のカセットの直下に位置決めされていてもよい。第１のフィンの第１の端部がカセットの第１の群の上部に隣接して位置決めされていてもよく、第２のフィンの第１の端部がカセットの第２の群の上部に隣接して位置決めされていてもよく、第３のフィンの第１の端部がカセットの第３の群の上部に隣接して位置決めされていてもよい。一実施形態において、ケーブルハンガーアセンブリの第１の位置は、保守状態であり、ケーブルハンガーアセンブリの第２の位置は、格納状態であり、複数のカセットの前面は、保守状態で露出している。ベースが第１のシャーシの底部に固定的に結合されるように構成されていてもよく、カバーがベースに結合され、第１のケーブルハンガーアセンブリが格納状態の場合に第１のシャーシの少なくとも一部を囲むように構成されていてもよい。ベースは、カバーを当該ベースに係止する少なくとも１つのラッチを具備していてもよく、カバーは、上向きフックを備えた底端を有する外面を含み、少なくとも１つのラッチは、フック部材に結合されたレバー部材を含んでいてもよく、フック部材が、カバーの上向きフックに係合するように構成された下向きフックを有する。第１のシャーシの第１の側壁には、ケーブルを案内するように構成された複数の第１の突起を含む第１のサイドハンガーが結合されていてもよい。第１のケーブルハンガーアセンブリは、回転軸周りに最大およそ１８０°回転可能であってもよい。複数のカセットは、パッチパネルカセットおよびストレージカセットを含んでいてもよい。
【００２４】
以下、添付の図面を参照して、本開示の実施形態について説明する。尚、実施形態は、説明の目的のためだけに記載している。
【図面の簡単な説明】
【００２５】
【図１Ａ】複数のパッチパネルデバイスを備える通信パッチシステムの前方斜視図であって、通信パッチシステムが第１の状態にある場合を示す。
【図１Ｂ】図１Ａの通信パッチシステムが第２の状態にある場合を示す。
【図１Ｃ】パッチパネルデバイスｓ設置していない状態のハウジングとケーブルトラフの前方斜視図である。
【図２Ａ】図１Ａのパッチパネルデバイスのうち１つを示す図であって、パッチパネルデバイスが第１の状態にある場合を示す。
【図２Ｂ】図２Ａのパッチパネルデバイスが第２の状態にある場合を示す。
【図２Ｃ】図２Ｂにおける指示領域の拡大図である。
【図３Ａ】複数の取付部材を備えるパッチパネルデバイスの他の実施形態の斜視図である。
【図３Ｂ】取付部材の１つからケーブルを取り外した状態の図３Ａのパッチパネルデバイスの斜視図である。
【図３Ｃ】図３Ａの取付部材の１つの斜視図であって、第１の状態にある場合を示す。
【図３Ｄ】図３Ａの取付部材の１つの斜視図であって、第２の状態にある場合を示す。
【図４Ａ】ケーブルガイドを有するケーブル管理システムの上部断面図であって、ある操作状態にある場合を示す。
【図４Ｂ】ケーブルガイドを有するケーブル管理システムの上部断面図であって、図４Ａとは異なる操作状態にある場合を示す。
【図４Ｃ】ケーブルガイドを有するケーブル管理システムの上部断面図であって、図４Ａおよび４Ｂとは異なる操作状態にある場合を示す。
【図４Ｄ】図４Ａ〜４Ｃのケーブル管理システムの斜視図である。
【図５Ａ】図４Ａ〜４Ｃのケーブルガイドの拡大斜視図である。
【図５Ｂ】図４Ａ〜４Ｃのケーブルガイドの拡大分解斜視図である。
【図５Ｃ】図４Ａ〜４Ｃのケーブルガイドの部分上面図である。
【図５Ｄ】図４Ａ〜４Ｃのケーブルガイドの部分後方斜視図である。
【図６Ａ】ケーブル保持機能を備える図４Ａ〜４Ｃのケーブルガイドの部分斜視図である。
【図６Ｂ】ケーブル保持機能を備える図４Ａ〜４Ｃのケーブルガイドの部分断面図である。
【図６Ｃ】図５Ｃおよび５Ｄのケーブルガイドの代替的実施形態の上面図である。
【図６Ｄ】図５Ｃおよび５Ｄのケーブルガイドの代替的実施形態の斜視図である。
【図６Ｅ】図６ＤのケーブルガイドのＥ−Ｅ線における部分断面図であって、例示的なケーブル設置状態を示している。
【図７】図４Ａ〜４Ｃのケーブル管理システムの斜視図であって、追加のケーブル配線機能を示す。
【図８Ａ】ケーブル管理システム用のカセットの分解図である。
【図８Ｂ】図８Ａのカセットの斜視図であって、第１の状態にある場合を示す。
【図８Ｃ】図８Ｂのカセットの斜視図であって、第２の状態にある場合を示す。
【図８Ｄ】図８Ｂの８−８線における、図８Ａのカセットの部分断面図である。
【図８Ｅ】図８Ｄに示すカセットの内部にインサート部品を設けた状態を示す部分断面図である。
【図９Ａ】図８Ａに示すようなカセットとともに使用するためのシャーシの斜視図である。
【図９Ｂ】図９Ａのシャーシの内部にカセットを配置した状態を示す斜視図である。
【図１０Ａ】ハンガープレートアセンブリを有するパッチパネルシステムの斜視図であって、格納状態にある場合を示す。
【図１０Ｂ】ハンガープレートアセンブリを有するパッチパネルシステムの上面図であって、格納状態にある場合を示す。
【図１０Ｃ】図１０Ａのハンガープレートアセンブリの上面図である。
【図１０Ｄ】図１０Ａのハンガープレートアセンブリの部分拡大斜視図である。
【図１０Ｅ】ハンガープレートアセンブリを有する図１０Ａのパッチパネルシステムの斜視図であって、途中位置にある場合を示す。
【図１０Ｆ】ハンガープレートアセンブリを有する図１０Ａのパッチパネルシステムの上面図であって、途中位置にある場合を示す。
【図１０Ｇ】ハンガープレートアセンブリを有する図１０Ａのパッチパネルシステムの斜視図であって、引出し状態にある場合を示す。
【図１０Ｈ】ハンガープレートアセンブリを有する図１０Ａのパッチパネルシステムの上面図であって、引出し状態にある場合を示す。
【図１０Ｉ】図１０Ａのパッチパネルシステムの上面図であって、同システムのコンポーネントが例示的なケーブル設置状態にある場合を示している。
【図１０Ｊ】図１０Ａのパッチパネルシステムの上面図であって、同システムのコンポーネントが例示的なケーブル設置状態にある場合を示している。
【図１１Ａ】代替的な実施形態に係るハンガープレートアセンブリを有するパッチパネルシステムの斜視図であって、格納状態にある場合を示す。
【図１１Ｂ】代替的な実施形態に係るハンガープレートアセンブリを有するパッチパネルシステムの上面図であって、格納状態にある場合を示す。
【図１１Ｃ】図１１Ａのハンガープレートアセンブリの上面図であって、格納状態にある場合を示す。
【図１１Ｄ】図１１Ａのハンガープレートアセンブリの斜視図であって、引出し状態にある場合を示す。
【図１１Ｅ】ハンガープレートアセンブリを有する図１１Ａのパッチパネルシステムの斜視図であって、途中位置にある場合を示す。
【図１１Ｆ】ハンガープレートアセンブリを有する図１１Ａのパッチパネルシステムの上面図であって、途中位置にある場合を示す。
【図１１Ｇ】ハンガープレートアセンブリを有する図１１Ａのパッチパネルシステムの斜視図であって、引出し状態にある場合を示す。
【図１１Ｈ】ハンガープレートアセンブリを有する図１１Ａのパッチパネルシステムの上面図であって、引出し状態にある場合を示す。
【図１２】２つのハンガープレートアセンブリを有する代替的なパッチパネルシステムの斜視図であって、引出し状態にある場合を示す。
【図１３Ａ】格納状態の２つのハンガープレートアセンブリを備えた別のパッチパネルシステムの斜視図である。
【図１３Ｂ】引き出し状態の図１３Ａのパッチパネルシステムの斜視図である。
【図１３Ｃ】ハウジングの一部を省略した引き出し状態の図１３Ａのパッチパネルシステムの上面図である。
【図１３Ｄ】ハウジングの一部を省略した格納状態の図１３Ａのパッチパネルシステムの斜視前面図である。
【図１３Ｅ】ハウジングの一部を省略した格納状態の図１３Ａのパッチパネルシステムの斜視後面図である。
【図１３Ｆ】ハウジングの一部を省略した格納状態の図１３Ａのパッチパネルシステムの上面図である。
【図１３Ｇ】ハンガープレートアセンブリを案内して格納状態にロックするプレートガイド・ロック要素の分離斜視図である。
【図１４Ａ】引き出し状態のハンガープレートアセンブリを備えた図１３Ａのパッチパネルシステムの一部の模式図である。
【図１４Ｂ】格納状態のハンガープレートアセンブリを備えた図１３Ａのパッチパネルシステムの一部の模式図である。
【図１４Ｃ】第１の改良を加えた引き出し状態の図１４Ａおよび図１４Ｂのハンガープレートアセンブリの模式図である。
【図１４Ｄ】第１の改良を加えた格納状態の図１４Ａおよび図１４Ｂのハンガープレートアセンブリの模式図である。
【図１４Ｅ】第２の改良を加えた引き出し状態の図１４Ａおよび図１４Ｂのハンガープレートアセンブリの模式図である。
【図１４Ｆ】第２の改良を加えた格納状態の図１４Ａおよび図１４Ｂのハンガープレートアセンブリの模式図である。
【図１４Ｇ】第３の改良を加えた引き出し状態の図１４Ａおよび図１４Ｂのハンガープレートアセンブリの模式図である。
【図１４Ｈ】第３の改良を加えた格納状態の図１４Ａおよび図１４Ｂのハンガープレートアセンブリの模式図である。
【図１５Ａ】開放状態のハンガープレートアセンブリを備えたパッチパネルシステムの別の実施形態の斜視図である。
【図１５Ｂ】図１５Ａのパッチパネルシステムのカセットの上面図である。
【図１５Ｃ】格納状態のハンガープレートアセンブリを備えた図１５Ａのパッチパネルシステムの斜視図である。
【図１５Ｄ】格納状態のハンガープレートアセンブリを備えた図１５Ａのパッチパネルシステムの上面図である。
【図１６Ａ】ハンガープレートアセンブリの格納状態の図１３Ａのパッチパネルシステムのケーブル曲げ角を比較した模式図である。
【図１６Ｂ】ハンガープレートアセンブリの格納状態の図１５Ａのパッチパネルシステムのケーブル曲げ角を比較した模式図である。
【図１７】図１５Ａのパッチパネルシステムに使用するカバーの斜視図である。
【図１８】図１５Ａのパッチパネルシステムの改良版の斜視図である。
【図１９Ａ】本開示の別の態様に係る、保守状態のハンガープレートアセンブリを備えたパッチパネルシステムの分解斜視図である。
【図１９Ｂ】本開示の別の態様に係る、保守状態のハンガープレートアセンブリを備えたパッチパネルシステムの分解斜視図である。
【図１９Ｃ】本開示の別の態様に係る、保守状態のハンガープレートアセンブリを備えたパッチパネルシステムの分解斜視図である。
【図１９Ｄ】本開示の別の態様に係る、保守状態のハンガープレートアセンブリを備えたパッチパネルシステムの分解斜視図である。
【図２０Ａ】保守状態のハンガープレートアセンブリを備えた図１９Ａ〜図１９Ｄのパッチパネルシステムの斜視図である。
【図２０Ｂ】保守状態のハンガープレートアセンブリを備えた図１９Ａ〜図１９Ｄのパッチパネルシステムの斜視図である。
【図２０Ｃ】保守状態のハンガープレートアセンブリを備えた図１９Ａ〜図１９Ｄのパッチパネルシステムの斜視図である。
【図２０Ｄ】保守状態のハンガープレートアセンブリを備えた図１９Ａ〜図１９Ｄのパッチパネルシステムの斜視図である。
【図２１Ａ】図１９Ａ〜図１９Ｄのパッチパネルシステムのサイドハンガーの斜視図である。
【図２１Ｂ】図１９Ａ〜図１９Ｄのパッチパネルシステムのサイドハンガーの斜視図である。
【図２１Ｃ】図１９Ａ〜図１９Ｄのパッチパネルシステムのベースにフレームを結合するさまざまな選択肢の断面図である。
【図２１Ｄ】図１９Ａ〜図１９Ｄのパッチパネルシステムのベースにフレームを結合するさまざまな選択肢の断面図である。
【図２１Ｅ】図１９Ａ〜図１９Ｄのパッチパネルシステムのベースにフレームを結合するさまざまな選択肢の断面図である。
【図２１Ｆ】図１９Ａ〜図１９Ｄのパッチパネルシステムに使用するブラケットの斜視図である。
【図２１Ｇ】ケーブルが通過可能な図１９Ａ〜図１９Ｄのパッチパネルシステムのポートでの提供に使用する例示的なガスケットを示した図である。
【図２１Ｈ】設置状態の図２１Ｇのガスケットを示した図である。
【図２１Ｉ】図２１Ｈに示したものと類似の別のポートに使用する別のガスケットを示した図である。
【図２１Ｊ】経時的に封止を維持するように構成された図２１Ｇのものに類似のガスケットを備えた付勢部材の使用を示した図である。
【図２１Ｋ】経時的に封止を維持するように構成された図２１Ｇのものに類似のガスケットを備えた付勢部材の使用を示した図である。
【図２１Ｌ】経時的に封止を維持するように構成された図２１Ｇのものに類似のガスケットを備えた付勢部材の使用を示した図である。
【図２１Ｍ】経時的に封止を維持するように構成された図２１Ｇのものに類似のガスケットを備えた付勢部材の使用を示した図である。
【図２２Ａ】図１９Ａ〜図１９Ｄのパッチパネルシステムに使用するカバーの断面図である。
【図２２Ｂ】異なる平面に沿った図２２Ａのカバーの断面図である。
【図２３Ａ】図１９Ａ〜図１９Ｄのパッチパネルシステムに使用する開放またはアンロック状態のハンガーユニットの斜視図である。
【図２３Ｂ】閉塞またはロック状態の図２３Ａのハンガーユニットの斜視図である。
【図２３Ｃ】閉塞またはロック状態の図２３Ａのハンガーユニットの斜視図である。
【図２４Ａ】図１９Ａ〜図１９Ｄのパッチパネルシステムのベースに係止されたカバーの底面斜視図である。
【図２４Ｂ】図１９Ａ〜図１９Ｄのパッチパネルシステムのベースに係止されたカバーの底面斜視図である。
【図２４Ｃ】図２４Ａおよび図２４Ｂに示すラッチの一例の断面図である。
【図２４Ｄ】図２４Ａおよび図２４Ｂに示すラッチの別の例の断面図である。
【図２４Ｅ】ラッチの２つの異なる位置決め選択肢を示した図２４Ａおよび図２４Ｂのラッチの断面図である。
【図２４Ｆ】カバーのベースへの係止に使用するラッチの別の例の側面図である。
【図２４Ｇ】カバーのベースへの係止に使用するラッチの別の例の断面図である。
【図２４Ｈ】非係止状態のカバーおよびベースの別の例の断面図である。
【図２４Ｉ】係止状態のカバーおよびベースの別の例の断面図である。
【図２４Ｊ】非係止状態のカバーおよびベースの別の例の断面図である。
【図２４Ｋ】係止状態のカバーおよびベースの別の例の断面図である。
【図２４Ｌ】カバーのベースへの係止に使用するラッチの別の例の斜視図である。
【図２４Ｍ】カバーのベースへの係止に使用するラッチの別の例の斜視図である。
【図２４Ｎ】非締結状態におけるカバーのベースへの封止に使用可能な締結システムの一例の斜視図である。
【図２４Ｏ】締結状態の図２４Ｎの締結システムの斜視図である。
【図２５Ａ】図１９Ａ〜図１９Ｄのパッチパネルシステムに使用するバーアクセサリであり、格納または設置状態に位置決めされた、バーアクセサリの斜視図である。
【図２５Ｂ】開放または保守状態の図２５Ａのバーアクセサリの斜視図である。
【図２５Ｃ】対応するハンガープレートを開放および閉塞状態で示した格納状態の図２５Ａのバーアクセサリの上面図である。
【図２５Ｄ】図２５Ａのバーアクセサリのうちの１つの分離斜視図である。
【図２６Ａ】図１９Ａ〜図１９Ｄのパッチパネルシステムに使用する水分センサの斜視図である。
【図２６Ｂ】乾燥状態の図２６Ａの水分センサの上面図である。
【図２６Ｃ】湿潤状態の図２６Ａの水分センサの上面図である。
【図２７Ａ】開放または保守状態のハンガープレートを備えた二重パッチパネルシステムであり、図１９Ａ〜図１９Ｄに示したものと類似の２つのパッチパネルシステムを含む、二重パッチパネルシステムの斜視図である。
【図２７Ｂ】摺動シェルフに支持された閉塞または設置状態のハンガープレートアセンブリを備えた図２７Ａの二重パッチパネルシステムの斜視図である。
【図２８Ａ】図１９Ａ〜図１９Ｄのパッチパネルシステムの２つの個々のカセットの斜視図である。
【図２８Ｂ】格納ラックから切り離されたケーブルの分離斜視図である。
【図２８Ｃ】図２８Ｂの格納ラックに接続されたケーブルの分離斜視図である。
【図２８Ｄ】別の型の格納ラックから切り離されたケーブルの分離斜視図である。
【図２８Ｅ】ケーブルが延びた複数のスプリッタモジュールの模式図である。
【図２８Ｆ】出力ケーブルがそれぞれから延びた図２８Ｅに類似の複数のスプリッタモジュールの模式図である。
【図２８Ｇ】図２８Ｆの出力ケーブルのうちの１つと退出する複数の個々のケーブルとの間の結合の模式図である。
【図２８Ｈ】図２８Ｆに示したものと類似のスプリッタモジュールの模式図であり、スプリッタモジュールに対する別の入力ケーブルを示した図である。
【図２９Ａ】図１９Ａ〜図１９Ｄのパッチパネルデバイスに取り付けられた格納状態の記録シートの斜視図である。
【図２９Ｂ】格納状態の図２９Ａの記録シートの斜視図である。
【図３０Ａ】本開示の別の態様に係る、格納または設置状態のハンガープレートを備えたパッチパネルシステムの斜視図である。
【図３０Ｂ】開放または保守状態のハンガープレートを備えた図３０Ａのパッチパネルシステムの斜視図である。
【図３１Ａ】本開示のさらに別の態様に係る、格納または設置状態のハンガープレートを備えたパッチパネルシステムの斜視図である。
【図３１Ｂ】開放または保守状態のハンガープレートを備えた図３１Ａのパッチパネルシステムの斜視図である。
【図３１Ｃ】ある点において図３１Ａのシステムに類似のパッチパネルシステムの別の実施形態の斜視図である。
【図３２Ａ】開放または保守状態のハンガープレートを備えたパッチパネルシステムのさらに別の実施形態の斜視図である。
【図３２Ｂ】摺動可能なハンガーアセンブリを備えた図３２Ａのパッチパネルシステムに類似のパッチパネルシステムの斜視図である。
【図３２Ｃ】一斉に移動するハンガーアセンブリを備えた図３２Ｂのシステムに類似のパッチパネルシステムの斜視図である。
【図３２Ｄ】図３２Ｂおよび図３２Ｃのハンガーアセンブリの代わりに使用可能な別の型のハンガーアセンブリの部分図である。
【図３３Ａ】本開示のパッチパネルシステムに使用するケーブル整線器の分離前面図である。
【図３３Ｂ】本開示のパッチパネルシステムに使用するケーブル整線器の分離斜視図である。
【図３３Ｃ】ケーブルなしで図１９Ａ〜図１９Ｄのパッチパネルシステムに使用する図３３Ａおよび図３３Ｂのケーブル整線器の図である。
【図３３Ｄ】ケーブルありで図１９Ａ〜図１９Ｄのパッチパネルシステムに使用する図３３Ａおよび図３３Ｂのケーブル整線器の図である。
【図３４】本開示の別の実施形態に係る、通信システムの斜視図である。
【図３５】本開示の別の実施形態に係る、通信システムの前面図である。
【図３６Ａ】本開示のさらに別の実施形態に係る、通信システムの斜視図である。
【図３６Ｂ】特定の追加および代替を伴う図３６Ａの通信システムの斜視図である。
【図３６Ｃ】図３６Ｂのシステムのコンポーネントに結合されるとともに案内される特定のケーブルの模式図である。
【図３６Ｄ】図３６Ｂのシステムの別の斜視図である。
【図３６Ｅ】図３６Ｄと異なる位置でケーブルガイド上にハンガーユニットを備えた図３６Ｄのシステムの斜視図である。
【図３６Ｆ】一例となるハウジング内に取り付けられた図３６Ｇのシステムの図である。
【図３６Ｇ】一例となるハウジング内に取り付けられた図３６Ｇのシステムの図である。
【図３６Ｈ】スプリッタカセットが受容された図３６Ｂのシステムのシャーシの斜視図である。
【図３６Ｉ】アンロック位置のロックバーを備えた図３６Ｈに示したものと類似のシャーシの斜視図である。
【図３６Ｊ】ロックバーがロック位置の図３６Ｉのシャーシの斜視図である。
【図３６Ｋ】図３６Ｈのスプリッタカセットのうちの１つの一例の斜視図である。
【図３７Ａ】本開示の別の態様に係る、ハンガーユニットの図である。
【図３７Ｂ】本開示の別の態様に係る、ハンガーユニットの図である。
【図３７Ｃ】本開示の別の態様に係る、ハンガーユニットの図である。
【発明を実施するための形態】
【００２６】
添付の図面を参照して、本開示の特定の実施形態について説明する。図面ならびに以下の説明において、同様の符号は同様または同一の要素を示しており、また、「近位（proximal）」という用語は、使用時にオペレータまたはユーザに最も近い装置の端部を指し、「遠位（distal）」という用語は、使用時にオペレータまたはユーザから遠い側の装置の端部を指すものとする。
【００２７】
図１Ａ〜１Ｃを参照すると、通信パッチシステム１００は、例えばラックまたはキャビネットなどのハウジング２を備えることができる。ハウジング２によって、長さＬ、高さＨ、幅Ｗ１を決定することができる。ハウジング２は、１つ以上のパッチパネルデバイス１１０を支持することができる。各デバイス１１０はガイドレール２ｂ（図１Ｃ）で上下に整列して保持されており、複数のガイドレール２ｂも、ハウジング２の少なくとも１つの側面に沿って上下に整列して配置されている。ケーブルトラフ４は、ハウジング２の近位角、遠位角、または近位角と遠位角の中間部に配置するなど、ハウジング２に隣接して配置することができる。ケーブルトラフ４は、システム１００の（例えば、ポール、壁、および他の支持体を備えることができる）フレームに取り付けることができ、複数のケーブルＣがケーブルトラフ４内を上下方向に延びる形でケーブルＣを収容することができるように構成することができる。ケーブルトラフ４は、ケーブルを収容し案内するための任意の適切な形態をとることができ、例えば、複数のガイドリング、溝、または他の中空の通路などを備えることができる。
【００２８】
各パッチパネルデバイス１１０は、複数のアダプタまたはポート７を備え、各ポート７は、ケーブルＣ（図１Ｂ）を内部に固定するためのレセプタクル５を有することができる。ポート７のレセプタクル５には、１本以上のケーブルＣを動作可能に連結することができる。例えば、レセプタクル５は、単方向通信が可能な（simplex）構成であっても、双方向通信が可能な（duplex）構成であってもよい。ポート７は、取付部５１を備えることができる。取付部５１はポート７の骨格をなすものであり、これによりポート７すなわちレセプタクル５を例えば、レール４１，４３（図２Ｃ）などの接続手段に容易に固定することができる。いくつかの実施形態では、ポート７の取付部５１は、ポート７と一体に形成されていてよく、あるいはレセプタクル５に連結される別体のコンポーネントであってもよい。また、いくつかの実施形態では、以下に述べるように、取付部５１がレセプタクル５を接続する接続手段の一部をなしていてもよい。
【００２９】
パッチパネルデバイス１１０は、ユーザがパッチパネルデバイス１１０を容易に掴んだり、取り扱ったりすることができるように、パッチパネルデバイス１１０のいずれかの端部にタブ１１を備えることができる。ハウジング２が支持するポート７の数的密度は、ハウジング２の寸法の関数とすることができる。図１Ａに示すように、各々が幅ｘと高さｙを有するポート７は、ポート７の行数が高さＨと直接相関し、ポート７の列数が幅Ｗ１と直接相関する行列状に配置することができる。
【００３０】
通信パッチシステム１００は、第１の状態（図１Ａ）と第２の状態（図１Ｂ）との間で移行可能とされている。第１の状態では、１つ以上のパッチパネルデバイス１１０は、ハウジング２の近位端すなわち近位面Ｐに対して初期の位置に置かれている。このとき、図１Ａに示すように、パッチパネルデバイス１１０をハウジング２の面Ｐと略面一の状態とすることができる。第２の状態では、パッチパネルデバイス１１０うち１つ以上が、ハウジング２の近位端すなわち近位面Ｐから矢印Ｚの方向に離れたより近位側の位置にくることができる。パッチパネルデバイス１１０が近位側に移動すると、ポート７は、隙間すなわち間隔距離ｄだけ互いに離間した状態に移行することができる（図１Ｂ）。
【００３１】
パッチパネルデバイス１１０は、図２Ａに最もよく示されている第１の状態と図２Ｂに最もよく示されている第２の状態との間で移行可能とされている。パッチパネルデバイス１１０はバー１９を備えることができる。バー１９をハウジング２の両側面２ａにそれぞれ固定することにより、パッチパネルデバイスをハウジング２内に容易に取り付けることができる。各バー１９には、第１のアーム部２１と第２のアーム部３１とを備えるヒンジ付きアーム部材１１４が摺動可能に接続されている。第１のアーム部２１は、ピン２７を貫通させるように構成かつなった長孔２５を備えることができる。ピン２７によって、第１のアーム部２１がバー１９に対して長孔２５の長さ方向に摺動可能となるように、第１のアーム部２１をバー１９に固定することができる。ヒンジ付きアーム１１４の第１のアーム部２１と第２のアーム部３１とは、ヒンジ３３で互いに旋回可能に接続されており、これにより、第２のアーム部３１は第１のアーム部２１に対して容易に回動することができる。
【００３２】
ポート７は、接続手段１６に動作可能に連結することができる。ポート７は、接続手段１６が幅Ｗ１（図２Ａ）に等しい第１の長さから拡大後の幅Ｗ２（図２Ｂ）に等しい第２の長さに移行すると、ポート７どうしが互いに離間した位置になるように移動するかあるいは移動可能となることができる。一実施形態では、ポート７は互いに離間する。このとき、ポート７を、等しい隙間すなわち等しい間隔距離ｄを空けて均等に離間させることができる。ただし、第２の状態において、隣接するポート７間の間隔距離ｄは異なっていてもよく、すなわち、不均一であってもよい。さらに、各ポート７を個別に、接続手段１６の長さ方向に摺動すなわち移動させることもできる。この場合、隣接するポート７間の隙間すなわち間隔距離ｄの調節をユーザの希望通りに行うことが容易になる。
【００３３】
ヒンジ付きアーム部材１１４が、バー１９の長さ方向の一部または略全長に亘ってバー１９内に形成された溝（図示省略）と相互作用するリップ（図示省略）を備えるようにすることも考えられる。これにより、バー１９に対するヒンジ付きアーム部材１１４の安定性の向上とバー１９に対するヒンジ付きアーム部材１１４の動きの制御性の向上を図ることができる。
【００３４】
図２Ｃに最もよく示されているように、接続手段１６は、１つ以上の伸縮レール４１，４３を備えることができる。この伸縮レール４１，４３は、摺動させることにより接続手段１６の全長を調整可能とするものである。尚、図２Ｃでは２本の平行レール４１，４３を有するものとして示されているが、１本のレールを用いてもよい。接続手段１６の全長が大きくなるほど、隣接するポート７間の隙間すなわち間隔距離ｄも大きくとることができる点に留意されたい。平行レール４１は交互配列部４１ａ，４１ｂを、平行レール４３は交互配列部４３ａ，４３ｂを備えることができる。交互配列部４１ａ，４３ａは、ポート７を連結することができる交互配列部４１ｂ，４３ｂ内をそれぞれ摺動するように構成かつ適合されており、これにより、接続手段１６を伸縮可能に構成されている。各レール４１，４３の中空の中心部内に、弾性部材または付勢部材（図示省略）を設けても良い。これにより、接続手段１６を第１の寸法Ｗ１か第２の寸法Ｗ２のいずれかに付勢しておくことができる。
【００３５】
交互配列部４１ｂ，４３ｂは開部の外周をなすものであり、これにより、交互配列部４１ａ，４１ｂおよび４３ａ，４３ｂの相互相対的な動きを妨げずに、ポート７どうしが互いにより密に近接するまでポート７を移動させることができる。さらに、交互配列部４１ａ，４１ｂおよび４３ａ，４３ｂの長さは、ポート７を互いに密接させて隣接するポートどうしを当接させることが容易となるように選択することができる。各ポート７は、種々の方法でレール４１，４３に固定されていてよく、あるいはレール４１，４３と一体に形成されていてもよい。他の実施形態では、レール４１，４３に代えて異なる接続手段を用いることも考えられる。一実施形態では、レール４１，４３に代えて弾性ベルトを用いることができる。ポートに手が届きやすくなるように、パッチパネルデバイスのポート間に、左右の間隔、角度間隔あるいは他の間隔を空けるための構成としては、他にも様々なものが利用できる。例えば、米国特許出願第２０１４／０３５５２１７号や、第２０１４／０３５７１１８号、第２０１４／０３５４１３１号に詳述されている構成が挙げられるが、これらの開示内容はいずれも参照することにより本明細書に組み込まれる。
【００３６】
例として、図３Ａ〜３Ｄを参照して、パッチパネルデバイスの他の実施形態を説明する。パッチパネルデバイス２１０は、互いに隣接して配置された複数の取付部材２３２を備えることができる。各取付部材２３２は、他の取付部材２３２の可動部材に対して回動可能すなわち旋回可能とされている可動部材２４６を備えることができる。隣接する部材２３２の可動部材２４６は、その一方の可動部材２４６が他方の可動部材に対して回動可能となるように、動作可能に互いに対して連結され得る。一実施形態では、可動部材２４６の相互相対的な径方向移動を可能にするスナップ嵌合で、可動部材２４６を互いに連結することができる。また、少なくとも２つの固定部材２４４を、複数の取付部材２３２の両端に固定することができる。この場合、これらの固定部材２４４で、複数の取付部材２３２をトレイ２３１に固定することができる。他の実施形態では、固定部材２４４を各可動部材２４６の間にそれぞれ配置することもできる。各可動部材２４６には、一部のみ図示している１本以上のケーブルＣ１を動作可能に連結することができる。各可動部材２４６はケーブルアダプタまたはケーブルコネクタ２４９を備えることができ、コネクタ２４９は、１本のケーブルＣ１を動作可能に連結することができる前面２４９ａと、他の１本のケーブルＣ１を動作可能に連結することができる背面２４９ｂとを備えることができる。可動部材２４６は、内部にコネクタ２４９を取り外し可能に固定できるレセプタクル２４７を備えることができ、これにより、コネクタ２４９を取付部材２３２から取り外すことができる。
【００３７】
可動部材２４６は、トレイ２３１に対して回動することができるように、トレイ２３１の縁２３１ａから離間して配置することができる。一実施形態では、トレイ２３１が可動部材２４６の位置に切欠（図示省略）を有して、可動部材２４６がトレイ２３１に対して動く範囲を広げるようにすることもできる。トレイ２３１は、その長さ方向に延びる軸ｚと、その高さ方向に延びる軸ｙと、その幅方向に延びる軸ｘとを有することができる。そして、各固定部材２４４をトレイ２３１の長さ方向に延びる軸ｚと同軸に設置し、複数の固定部材２４４をトレイ２３１の幅方向に延びる軸ｘに沿って延在する１列をなすように配置することができる。
【００３８】
図３Ｃおよび図３Ｄに示すように、取付部材２３２の固定部材２４４と可動部材２４６とは、可動部材２４６が固定部材２４４に対して径方向に移動して固定部材２４４との間に角度Ｇをなすことができるように、互いに旋回可能に旋回中心２４８で接続することができる。特に、可動部材２４６はｙ軸とｚ軸との間で径方向に旋回することができ、これにより固定部材２４４との間に角度Ｇをなすことができる。トレイ２３１に固定されたとき、可動部材２４６は、反時計回り方向Ｔへは旋回できるが、反対方向すなわち時計回り方向への旋回はトレイ２３１によって阻止され得る。ただし、上述のように、トレイ２３１に切欠を設けることにより、トレイ２３１と可動部材２４６との間の相互作用を低減することができ、移動部材２４６がトレイ２３１に対して動く範囲を広げることができる。一実施形態では、角度Ｇを０°〜１３５°の範囲内で調節することができる。他の実施形態では、角度Ｇを０°〜９０°の範囲内で調節することができる。例えば、一実施形態では、可動部材２４６は、パッチパネルデバイス２１０を第１の状態と第２の状態との間で移行させるような相互相対的な動きが可能とされている。第１の状態では、可動部材２４６の前面２５１は互いに略面一の状態となっており、部材２４６の隣接するものどうしは第１の距離だけ離間しているかあるいは互いに当接している。第２の状態では、隣接する部材２４６の一方が他方の隣接する部材２４６に対して旋回すなわち回動する角度Ｇに応じて、これら隣接する部材２４６の前面２５１は互いに異なる平面上にある。尚、第２の状態において、他方の部材２４６は、第１の状態における位置と同じ位置にあってもよく、あるいは同じ位置になくてもよい。
【００３９】
複数のパッチパネルデバイス２１０も、やはりハウジング２内部で支持して（図１Ａ〜１Ｃ参照）、軸ｚに沿った方向に直線移動させることにより、ハウジング２内に収めたり、取り出したりすることができる。可動部材２４６をハウジング２から離間させれば、可動部材２４６を固定部材２４４に対して旋回させることができるようになり、コネクタ２４９の面２４９ａ，２４９ｂを隣接するコネクタ２４９から浮かせることができる。これにより、ケーブルＣ１により手が届きやすくなり、ユーザが、ケーブルＣ１を掴んで、（図３Ｂに示すように）可動部材２４６のケーブルアダプタまたはケーブルコネクタ２４９から取り外すことがより容易にできるようになる。
【００４０】
図１Ａ〜１Ｃに関連して上述したように、特定のパッチパネルデバイスの複数のポート７には、ケーブルトラフ４内を上下方向に延びる複数のケーブルＣを連結することができる。以下に、パッチパネルシステムのケーブルＣを配線・管理するシステムをいくつか説明する。
【００４１】
図４Ａ〜４Ｄに、ケーブル管理システム３００の一実施形態を示す。ケーブル管理システム３００、および本明細書に記載のケーブル管理システムの他の実施形態は、本明細書に記載の適切な装置や米国特許公開第２０１４／０３５５２１７号、第２０１４／０３５７１１８号、および第２０１４／０３５４１３１号に記載の適切な装置を含む任意の適切なパッチパネルデバイスと共に用いることができるものであり、これら文献の開示内容はいずれも参照することにより本明細書に組み込まれる。図４Ａ〜４Ｄでは、ケーブル管理システム３００をパッチパネルデバイス３１０と共に使用している状態で示している。このパッチパネルデバイス３１０は、以下に詳述する一部の相違点を除けばパッチパネルデバイス２１０と同様である。ケーブル管理システム３００は、ハウジング２に対して位置が固定されている１つ以上のケーブルガイド４００を備えることができる。図４Ａ〜４Ｄに示す実施形態においては、ケーブル管理システム３００が備えるケーブルガイド４００は、ハウジング２の両側に取り付けられているが、１つ以上のケーブルガイド４００がハウジング２に対して位置が固定されていれば、任意の構成が適切であり得る。ケーブルＣは、ポート７からケーブルガイド４００を経由させてケーブルトラフ４（または他の任意の適切なケーブル配線先）まで配線されるが、その際、ポート７の取り付けられたトレイ３３１をハウジング２から引き出した場合に、トレイ３３１の各所において適切な量のたるみがケーブルＣに保たれているように配線することができる。ケーブルガイド４００の機能をより詳細に説明する前に、図５Ａ〜５Ｄに関連して、例示的なケーブルガイド４００の構造を説明する。
【００４２】
図５Ａは、ケーブル管理システム３００の側部の部分拡大図である。特にハウジング２内部でポート７を担持する３枚のトレイ３３１が、ケーブルガイド４００に隣接して示されている。図示の実施形態では、ケーブルガイド４００は、ハウジング２に固定的に取り付けられる取付アーム４１０を備えている。さらに、ケーブルガイドは棚ユニットを備えることができる。棚ユニットは、複数の棚４２０を有しており、ケーブルガイド４００の前端部に位置している。尚、棚４２０は、略平坦な上面と下面とを有することができるが、ケーブルＣを棚４２０の上に載置させることができれば、他の構成も適切であり得る。一実施形態では、ケーブルガイド４００は、ケーブルＣが接続されている各トレイ３３１ごとに一対の隣接する棚４２０を備えることができる。各対の隣接する棚４２０どうしは、隣接するトレイ３３１間の上下方向の距離と略同様の距離だけ上下方向に離間している。各対の隣接する棚４２０の間は、前部および側部が実質的に開口していてよく、後面すなわち遠位面４２２で繋がっているか、あるいは他の方法によって囲まれていてよい。遠位面４２２に沿って延びるケーブルＣが当該面に沿って所望の最小曲げ半径を有するように、各面４２２は丸みを帯びることができ、好ましくは凸状の湾曲を有し得る。
【００４３】
図５Ｂに示すように、取付アーム４１０は、複数の穴４１４を有するブラケット４１２を備えることができる。穴４１４は、取付アーム４１０をケーブルトラフ４などのデバイスに連結するため、あるいは取付アーム４１０をシャーシアセンブリや、ケーブル管理システム３００に取り付けて用いることができる他のコンポーネントに取り付けるためのものである。ブラケット４１２はまた、棚ユニットを取付アーム４１０に容易に連結できるようにするための、ブラケット４１２から近位側に延びるボルトまたはピンなどの締結具４１６を備えることもできる。例えば、隣接する棚４２０の間の１つ以上の面４２２に、図５Ｄに最もよく示されている穴４２６を設けることができる。穴４２６は、締結具４１６が嵌合する形状に形成され、これにより、棚ユニットを迅速かつ確実にブラケット４１２に連結することができる。また、棚４２０のうち１つ以上に、フックループファスナなどのアクセサリを棚４２０に連結するための貫通穴４２８（図５Ｃ参照）を設けることもできる。これらのアクセサリの例については、図６Ｂに関連して以下により詳細に説明する。尚、取付アーム４１０と棚４２０とは別体のコンポーネントとして図示されているが、これらのコンポーネントを一体的なユニットとすることもできる点に留意されたい。同様に、取付アーム４１０には、３対の隣接する棚４２０が接続されているが、より多くのまたは少ない数の棚４２０を支持するために、より大きなまたは小さな取付アームを設けることもできる。さらに、各トレイ３３１に接続された複数組のケーブルＣを適切に案内することができるように、ケーブル管理システム３００のトレイ３３１の数に応じて所望の数のケーブルガイド４００を上下に積層することができる。
【００４４】
図４Ａ〜４Ｄを再び参照して、ケーブル管理システム３００と組み合わせたケーブルガイド４００の使用についてより詳細に説明する。図４Ａは、ハウジング２を備えるケーブル管理システム３００の上部断面図である。ハウジング２は、上下に積層配置された第１の複数のトレイ３３１と、第１の複数のトレイ３３１に隣接配置される上下に積層配置された第２の複数のトレイ３３１とを有している（図４Ａでは、これらトレイ群のうちそれぞれ１つのトレイ３３１のみが示されている）。図４Ａでは、トレイ３３１が設置位置（格納位置）にある状態を示している。この状態では、トレイ３３１の全体または略全体がハウジング２の内部に配置されている。トレイ３３１は、ハウジング２に対して摺動可能であり、図４Ｂの右側のトレイ３３１に示すような引出し状態とすると、ポート７にユーザの手がより届きやすい状態となる。図４Ａ〜４Ｄに示す実施形態では、ポート７は、ポート７の後部でトレイ３３１に旋回可能に接続されており、トレイを引出し状態とすると、ポート７を互いに対して左右に揺動させて（図４Ｃ参照）、間隔を広げることができるようになる。１組のケーブルＣがポート７の前端すなわち近位端に接続されて、ケーブルガイド４００内を経由させてケーブルトラフ４内に配線されている。旋回ポートを有するパッチパネルシステムについては、米国特許第８，９３９，７９２号により詳細に説明されており、その開示内容は参照することにより本明細書に組み込まれる。
【００４５】
各ポート７には、前端に連結される前側ケーブルＣと、後端に連結される後側ケーブルＣとを差し込むことができる。図４Ａ〜４Ｄに示す実施形態では、前側ケーブルの組は、ポート７の近位端に連結され、ケーブルガイド４００内を経由させてケーブルトラフ４内に配線されている。一方、後側ケーブルＣの組は、ポート７の遠位端に連結され、ハウジング２の後部に回される。これらの後側ケーブルＣは、ハウジング２の後側にあるモジュールの電子コンポーネントに接続することができるほか、ハウジング外部の他のケーブルへの接続部となるハウジング２の後壁のコネクタに接続したり、ハウジング２の後側にある開口部に通したりすることもできる。他の実施形態では、前側ケーブルＣと同様に後側ケーブルＣもハウジング２の前側を通して、ケーブルガイド４００内を経由させてケーブルトラフ４内に配線することができる。
【００４６】
一般に、パッチパネル通信式のシステムにおいては、摺動式トレイ上のポートにケーブルを取り付けるとケーブルの管理が難しくなる可能性がある。例えば、１組のポートの前面に連結されたケーブルに関して言うと、トレイを格納位置から引出し位置まで移動させると、これら前側ケーブルのたるみが最小から最大まで増加する。たるみが大きすぎると、ケーブルのたるみが最大となる位置にトレイがあるときに、ケーブルが該システムのコンポーネントに引っ掛かったり、あるいは他の形で妨げとなったりする可能性が高まってしまうことがある。さらに、たるみが大きすぎると、トレイが引出し位置にあるときのケーブルの操作が難しくなりかねない。一方、たるみが小さすぎる場合も、例えばポートを互いから離すように動かす範囲が制限されたりするため、ケーブルの操作が難しくなってしまう場合があり、あるいはまた、ケーブルにストレスがかかって悪影響を及ぼすリスクが高くなってしまうかもしれない。以下により詳細に説明するように、ケーブル管理システム３００は、ケーブルガイド４００と組み合わせて用いることにより、たるみ管理などのケーブルの管理を簡単かつ効果的に行うことを可能にするものである。
【００４７】
図４Ｂおよび４Ｃに示すように、ポート７は、Ｚ方向において最大摺動可能距離Ｄ１を有している。このＤ１は、図４Ｂの左側のトレイ３３１によって表される格納位置と、図４Ｂの右側のトレイ３３１によって表される引出し位置との間の距離に相当する。ケーブルガイド４００の棚４２０は、最も外側のポート７の側方に配置されている。棚４２０は、トレイ３３１が格納位置にあるときのポート７の近位端からＺ方向に距離Ｄ２だけ離れ、かつトレイ３３１が引出し位置にあるときのポート７の近位端からＺ方向に距離Ｄ３だけ離れた位置に配置されている。距離Ｄ２と距離Ｄ３の和は距離Ｄ１に等しいが、図示のシステム３００において距離Ｄ２は距離Ｄ３より大きい。この構成により、ポート７の前面に前側ケーブルＣの一端Ｃ１が接続され、かつ前側ケーブルの一端Ｃ１から所定長の部分が棚４２０に載置される形で各前側ケーブルがケーブルガイドに支持されている状態で、システム３００において前側ケーブルＣを管理することができる。このようなケーブル接続構成においては、トレイ３３１を距離Ｄ２だけ移動させてポート７の近位端が棚４２０と左右に整列するまでトレイ３３１を引き出している間は、前側ケーブルＣのたるみが増加する。距離Ｄ２でケーブルのたるみは最大となるが、このときケーブルは依然として一端Ｃ１から所定長の部分でケーブルガイドに支持される状態を維持している。そして、ユーザが、図４Ｂの右側のトレイ３３１によって表される完全に後退させた位置までトレイ３３１をさらに近位側に引き出し続けると、ケーブルの張りが強くなってたるみが小さくなり始めるが、ここでもケーブルは依然として一端Ｃ１から所定長の部分でケーブルガイドに支持される状態を維持している。尚、他の例では、ケーブルガイド４００をＺ方向において異なる距離に配置できることを理解されたい。例えば、ケーブルガイド４００は、トレイ３３１が格納位置にあるときのポート７の前面に棚４２０が近接するように配置されてよく、あるいはトレイ３３１が引出し位置にあるときのポート７の前面に棚４２０が近接するように配置されてもよい。
【００４８】
図４Ａ〜４Ｄに示す構成では、トレイ３３１が格納位置にあるときよりも引出し位置にあるときの方が、前側ケーブルＣのたるみは大きい。トレイ３３１が格納位置にあるとき、ポート７はハウジング２の内部にあるか、あるいはハウジング２の前面と面一の状態にあるため、通常は前側ケーブルＣの操作が行われることはない。前側ケーブルＣの操作が行われることが通常はないことから、トレイ３３１が格納位置にあるときには、前側ケーブルＣが整線された状態を保ちやすいように前側ケーブルＣを比較的張った状態にしておくことができる。一方、前側ケーブルＣを操作したい場合には、通常、ユーザはトレイ３３１を引出し位置まで移動させる。さらに、引出し位置にあるときには、ポート７は、互いから左右に離れるように（図３Ａのパッチパネルデバイス２１０と同様のシステムにおいては上下に離れるように）移動して、図４Ｃに示すようなユーザの手がより届きやすい状態となることができるようになる。これらの理由から、トレイ３３１が引出し状態にあるときには、少なくとも若干のたるみが前側ケーブルＣに残っていることが望ましい。ただし、この時のたるみは、上述のようなポート７の移動や前側ケーブルＣの操作が可能な最小量であることが望ましい。すなわち、前側ケーブルＣのたるみは、トレイ３３１が引出し状態にあるときに最大とはならないことが望ましい。尚、トレイが引出し位置にあるときに、ポート７の１つを、図４Ｂの左側のトレイに示すような通常の位置から操作した場合に、当該ポート７に接続された前側ケーブルＣが移動して、ケーブルガイド内に配置されてケーブルガイドに支持されていた部分が、そのような配置や支持から外れる可能性がある。しかしながら、ポート７が通常の位置に戻れば、この前側ケーブルＣの当該部分も、ケーブルガイド内に配置されてケーブルガイドに支持されていた状態に戻ることができる。上述の各状態はいずれも、図４Ａ〜４Ｃに示すケーブル管理システム３００とケーブルガイド４００とを用いることにより実現することができるが、ケーブルガイド４００を別の位置に配置しても効果的なケーブル管理を行うことができることも理解されたい。例えば、ケーブルガイド４００の棚４２０を、トレイ３３１がいずれの位置にあるときのポート７の前面に近接するように配置したとしても、たるみの管理やケーブルの整線を効果的かつ簡単に行うことができる。この構成では、トレイ３３１が引出し位置にあるときにケーブルＣのたるみが最大となり、トレイ３３１が格納位置に押し込まれるに従ってたるみが減少する構成とすることができるが、この最大たるみは、ポート７のケーブルＣを操作するのに十分な量であることが望ましい。尚、図４Ａ〜４Ｄに関連して説明した構成は、トレイ３３１の移動中における、ケーブルトラフ４内やさらにはケーブルガイド４００とケーブルトラフ４の間でのケーブルＣの動きを制限または防止することを支援するものでもある。
【００４９】
上述の利点を得るためには、ユーザがポートや前側ケーブルの操作を行わない場合には、完全に後退させた位置、引出し位置、および格納位置の間でトレイの位置を切り替えても、ケーブルガイド４００の棚４２０の表面上を通過するケーブルＣが、棚４２０に載置される状態を維持しているかあるいは棚４２０に留まっている、隣接する棚４２０の領域内にある、あるいはその両方である、のいずれかの状態にあることが望ましい。この結果を得る一助となる方法の１つとして、ケーブルＣの動きに対して上下方向の制限を加えるため、ケーブルＣが他の動きをする可能性に制約を加えるため、あるいはその両方のための１つ以上の機能をケーブルガイド４００に追加することが挙げられる。また、以下に説明する機能は、ケーブルガイド４００内でのケーブルＣの動きをさらに制限または防止することや、さらには、ケーブルトラフ４内またはケーブルガイド４００とケーブルトラフ４の間の各所でのケーブルＣの動きを制限または防止することを支援可能なものでもある。
【００５０】
隣接する棚の内部にケーブルＣを保持するのを支援することができる構造の１つとして、図６Ａに示すフィン４３０を挙げることができる。図６Ａに示す実施形態では、各棚４２０の開放端に１つ以上のフィン４３０が配置されている。具体的には、第１の棚４２０は、隣接する第２の棚に向かって第１の棚の表面に対して略垂直に延在するフィン４３０を、開放端上に備えることができる。同様に、該隣接する第２の棚４２０は、第１の棚に向かって第２の棚の表面に対して略垂直に延在するフィン４３０を、開放端上に備えることができる。本実施形態では、フィン４３０は十分な剛性を有しているが、以下により詳細に説明するように、可撓性フィンを使用するのが適切な場合もある。フィン４３０は、隣接する棚４２０に完全に届くまで延在しない構成とすることができ、互いに向かって延びるフィンどうしは位置をずらして配置されて、これらフィン４３０の間に開口部４３２が設けられている。この構成により、ユーザがケーブルＣを本システムに取り付けたり、取り外したりすることを望む場合には、隣接する棚４２０の間の空間にケーブルＣを差し込んだり、取り外したりすることが、開口部４３２から比較的容易にできる。ただし、ケーブル管理システム３００の通常の動作中に、ケーブルＣが想定外に開口部４３２を通ってしまうことがないよう、開口部４３２は十分に小さく、かつケーブルＣに対して適切な向きに配置されていることが好ましい。
【００５１】
図では、隣接する棚４２０の間の空間ごとに２枚のフィン４３０を示しているが、他の構成も適切であり得る。例えば、１枚のフィンを隣接する棚４２０にほぼ完全に届くまで延在させて、小さな開口部または長孔を該フィンの端部と隣接する棚４２０との間に残すようにしてもよい。さらに、１枚の可撓性フィンを隣接する棚４２０に当接するまで延在させて、ユーザがケーブルＣをフィンに向かって押し込むと、フィンが内側に撓んで、ケーブルＣを隣接する棚４２０の間の空間に入れることができるようにしてもよい。この場合、ケーブルＣを隣接する棚の間に入れてしまえば、フィンは第１の棚から隣接する棚に当接するまで延びる元の位置に戻って、隣接する棚４２０の間にケーブルＣを閉じ込めるようになる。この可撓性フィンは、ケーブル管理システム３００の通常の動作中にケーブルＣからフィンに加えられる力ではフィンを大きく撓ませることがない程度の剛性を有することができる。さらに、例えば、隣接する棚４２０から２枚の可撓性のあるフィン４３０を互いに向かって当接し合うまで延在させて、ケーブルＣをフィンに向かって押し込むと、フィンが撓んで、フィンの奥にケーブルＣを通すことができるようにする構成など、他の変形例も適切であり得る。
【００５２】
図６Ｂは、隣接する棚４２０の間へのケーブルＣの固定を支援する追加的コンポーネントを有しているケーブルガイド４００の棚ユニットの棚４２０の断面を示している。棚４２０は、上述したものと同一のものであってよく、またフィン４３０が設けられていても、設けられていなくてもよい。ケーブルＣを支持する各棚４２０ごとに、フックループストラップ４３４などの締結デバイスを１つ設けることができる。フックループストラップ４３４としては、例えば、ベルクロ（VELCRO）の商品名で提供されているデバイスが挙げられるが、例えばスナップ留め具、フック留め具、接着性の留め具などを有するストラップなどの他の種類の締結ストラップも適切であり得る。ファスナ４３４の第１の自由端は、棚４２０の穴４２８と位置合わせすることができる穴を有することができ、リベットまたはボルト４３６などの締結具で、ファスナ４３４の第１の自由端を棚４２０に連結することができる。隣接する棚４２０の間には複数のケーブルＣを挿入することができ、ファスナ４３４の自由端をこれらケーブルＣの周りに巻き付けることができる。ケーブルＣが所望の位置にある状態で、ファスナ４３４の第２の自由端を第１の自由端に、例えばフックとループとが嵌合する方式で連結することができる。この構成では、ファスナ４３４がケーブルＣを隣接する棚４２０の間に固定している状態で、ファスナ４３４をリベットまたはボルト４３６で所望の位置に保持している。図６Ｂでは、ケーブルをよりよく整線できるようにそれぞれが１つのスリーブ内に収められた２つの群のケーブルＣを示していることに留意されたい。例えば、前側ケーブルＣの組および後側ケーブルＣの組がいずれもハウジング２の前側を通して配線される場合などに、２つの群のケーブルＣが１対の隣接する棚を通過する可能性がある。
【００５３】
図６Ｃおよび６Ｄには、改変したケーブルガイド４００’を示している。このケーブルガイド４００’は、以下に述べる特徴を除けばケーブルガイド４００と同一である。ケーブルガイド４００’は、ハウジング２に取り付けるための上述と同一の取付アーム４１０を備えることができる。さらに、ケーブルガイド４００’は、積層状に配置された複数の棚４２０’を有する棚ユニットを備えることができる。棚４２０’は、棚４２０とほぼ同様の形状の略平坦な上面と下面とを有することができ、丸みを帯びた面４２２で繋がっている構成とすることができる。ただし、棚４２０とは異なり、各棚４２０’の近位端には凹部４２１’が形成され得る。図示の実施形態では、各凹部４２１’はほぼＵ字形であるが、矩形などの他の形状も適切であり得る。棚４２０’の各ユニットにおいて、棚４２０’の積層（スタック）の一端に位置する棚４２０ｅ’は穴４２８を備えることができる。穴４２８は、締結デバイスの第１の要素を棚４２０ｅ’に連結するためにボルトまたは他のデバイスを差し込むことができるように構成されている。また、締結デバイスの第２の要素は、棚４２０’の積層の他端に位置する棚４２０ｆ’の上面に連結することができる。この構成では、図６Ｅに関連して以下により詳細に説明するように、隣接する棚４２０’の対ごとに別体の専用ファスナを設けるのではなく、１つの締結デバイスでユニット内の各対の棚４２０’の間にケーブルＣを固定することができる。
【００５４】
図６Ｅは、棚４２０’のユニットの断面を示している。図示の実施形態では、締結デバイスの第１の要素は、棚４２０ｆ’の上面にボルト留めまたは他の方法で固定されている第１のストラップ４３４ａ’の形態をとることができる。第１のストラップ４３４ａ’は、ベルクロ（VELCRO）の商品名で提供されているタイプのフックまたはループなどの留め機構を一端に備えることができる。第１のストラップ４３４ａ’は、少なくとも棚ユニットの棚４２０ｅ’から棚４２０ｆ’までの長さに亘って延在できるだけの長さとすることができる。ただし第１のストラップ４３４ａ’は、各棚４２０’の凹部４２１’が形成する空間内に配置されることが好ましく、また、留め機構が棚４２０ｅ’の上面上で少なくとも若干の距離だけ延在できるだけの長さをさらに有することが望ましい。締結デバイスの第２の要素は、第２のストラップ４３４ｂ’の形態をとることができる。図示の例では、第２のストラップ４３４ｂ’は比較的短い長さとすることができ、第２のストラップ４３４ｂ’に大きな動きの自由は許さないように棚４２０ｅ’の上面に固定することができる。第２のストラップ４３４ｂ’は、第１のストラップ４３４ａ’の一端に設けられた留め機構に対応する留め機構を備えることができる。第２のストラップ４３４ｂ’は、（第１のストラップ４３４ａ’がループをそなえる場合には）フックであってよく、あるいは（第１のストラップ４３４ａ’がフックをそなえる場合には）ループであってもよい。なお、第１のストラップ４３４ａ’と第２のストラップ４３４ｂ’の対応し合う留め機構は、スナップ、フック、接着、バックルなどの他の形態をとることもできることを理解されたい。上述の構成により、ユーザは、棚ユニット内に収容されているすべてのケーブルＣを１回の動作で固定することができる。すなわち、ケーブルＣを隣接する棚４２０’の所望の対の間に配置した状態で、ユーザは、第１のストラップ４３４ａ’を把持して、第１のストラップ４３４ａ’の中間部を各棚４２０’の凹部４２１’内に確実に導きながら、第１のストラップ４３４ａ’の一端の留め機構を第２のストラップに連結することができる。なお、第１のストラップ４３４ａ’の長さは、与えられた棚ユニットの端から端までの全長によって主に決まるため、棚ユニット内の棚４２０’の数は適宜変更することができる点に留意されたい。また、棚ユニット内の端に位置する棚の１つは必ずしも凹部４２１’を有している必要はなく、棚ユニット内の他の棚４２０’と同様の形状だがそのような凹部は有していない形状をとることができる点にも留意されたい。この図６Ｃ〜６Ｅに関連付けて説明した構成は、ケーブルＣを棚ユニットの内部に簡単かつ迅速に固定するための機構となることに加え、各対の棚４２０ａ’の間でケーブルＣが占めることのできる空間の量を最大化させることもできるものでもある。さらにこの構成のもう１つの利点として、ケーブルＣが凹部４２１’の長さ方向のいずれかの位置にあれば、第１のストラップ４３４ａ’がこれらのケーブルＣと当接して所定の位置に固定できることも挙げられる。従って、すでに大量のケーブルＣが凹部４２１’の一部に延在するように配置されていたとしても、隣接する２つの棚４２０’の間の空間内にさらにケーブルＣを追加して、第１のストラップ４３４ａ’でこれら追加のケーブルＣを棚４２０’の間に固定することができる。
【００５５】
図７は、ケーブル管理システム３００の、ケーブルＣの整線を支援する追加的機能を示している。図７において、右側の１枚のトレイ３３１が引出し位置にある状態で示されており、１組の前側ケーブルＣがケーブルガイド４００内を通して配線されており、１組の後側ケーブルＣがハウジング２内を後側に向けて通して配線されている。一般に、前側ケーブルＣは、ケーブルガイド４００を通す前に、経路に沿って横方向に配線することが望ましい。このような配線を容易にするために、ハウジング２の近位側に延びるハンドル部材３５０をトレイ３３１上に設けることができる。ハンドル部材３５０は、ケーブルＣのガイドとして機能する任意の適切な形態をとることができる。例えば、図示のように、ハンドル部材３５０は、前端で上方に湾曲した略平坦な底面を有することができる。この場合、この底面がケーブルＣを載置することができる面となる。また、ハンドル部材３５０はさらに追加の表面を有することもできるが、ハンドル部材３５０の面には少なくとも底面と前面とが含まれることが望ましい。また、ハンドル部材３５０のさらなる機能として、ユーザがトレイ３３１をハウジング２から引き出したり、ハウジング内に押し戻したりする際に便利な把持部材となることも挙げられる。さらに、トレイ３３１の最側端に側部ガイド部材３６０を設けて、ケーブルＣがトレイ３３１から離れて側方に延びる際の追加のガイドとすることもできる。図示では、側部ガイド部材３６０は凸状のケーブル当接面を有しているが、他の形状の面も適切であり得る。後側ガイド部材３７０などの追加のガイド部材をトレイ３３１上に設けて、後側ケーブルを所望の位置に保持することを支援することもできる。ハンドル部材３５０、ガイド部材３６０，３７０、あるいはそのいずれもが係止機能を備えていてもよい。例えば、トレイ３３１が格納位置にあるときにトレイ３３１を係止状態または半係止状態に保持して、トレイ３３１を引き出すように意図的に力を加えない限り、トレイ３３１が引出し位置に向けて移行し始めることがないようにすることが望ましい場合がある。この係止機能は、例えば、ハウジング２または隣接するトレイ３３１に戻り止めまたは他の連携構造を設けて、トレイ３３１が格納位置にあるときに、ハンドル部材３５０およびガイド部材３６０，３７０のうち１つ以上がこの対応する構造と摩擦嵌合する構成とすることによって発揮させることができる。
【００５６】
上述のパッチパネルデバイス３１０は、ハウジング２またはシャーシの内部に収容され、かつハウジング２またはシャーシに対して摺動可能な摺動式トレイ３３１の形をとることができる。また他の実施形態では、ほぼ自己完結型のカセットを用いることもできる。このカセットはシャーシから出し入れして交換することができ、このカセットに摺動機能のすべてを備えることができる。例として、図８Ａにカセット５００の分解図を示す。一般に、カセット５００は、前面が開口した略矩形の箱とすることができるカセットハウジング５１０と、ハウジング５１０に摺動させて出し入れ可能なカセットヘッド部５２０とを備える。以下により詳細に説明するように、カセットハウジング５１０はその両側部に、カセットヘッド５２０が容易に摺動できるようにするためのレールスロット５１２を備えることができる。
【００５７】
カセットヘッド５２０はその前側に、パッチパネル３１０に関連して説明したポート７と同様または同一の態様で配置された複数のポート７を備えており、例えば、左右に旋回可能なポート７を備えることができる。カセットヘッドの後側の両側部からは、カセットハウジング５１０のレールスロット５１２に摺動させて出し入れ可能なレール５３０が延びている。図８Ｂは、カセットヘッド５２０が引出し位置にあるときのカセット５００を示しており、このとき、ポート７は手が届きやすい状態とされて、パッチパネル３１０に関連して上述したのと同様の相互相対的な動きをすることができる。図８Ｃは、カセットヘッド５２０が格納状態にあるときのカセット５００を示している。このとき、カセットヘッド５２０は、カセットハウジング５１０の内部に完全または略完全に収容されている。
【００５８】
図８Ｄは、カセットハウジング５１０とカセットヘッド５２０との間の摺動を可能にする機構を説明するための図であり、カセットヘッド５２０のレール５３０を内部に配置した状態のカセットハウジング５１０の一側面の断面を示している。具体的には、図８Ｄには、ハウジング５１０の頂部ハウジング５１０ａおよび底部ハウジング５１０ｂの一部と、側壁５１０ｃとが示されている。頂部ハウジング５１０ａからは、底部ハウジング５１０ｂに向かって延長部５１１が延在している。ただし、延長部５１１は、頂部ハウジング５１０ａと底部ハウジング５１０ｂの間の全距離に亘って延在するものではない。延長部５１１と、側壁５１０ｃと、頂部ハウジング５１０ａの一部と、底部ハウジング５１０ｂの一部とによって、カセットハウジングのレール５３０が固定されるレールスロット５１２が形成されている。カセットヘッド５２０をカセットハウジング５１０から引き出すか、あるいはカセットハウジング５１０内に押し込む際には、レールスロット５１２とレール５３０との相互作用によって、カセットヘッド５２０を所望の向きに保ちながら容易に摺動させることができる。必要ならば、ストッパ（stop）を備えてもよい。これにより、レール５３０が想定外にカセットハウジング５１０から完全に外れてしまうことを防ぐことができ、ユーザがカセットヘッド５２０をカセットハウジング５１０からうっかり取り外して引出し位置に移動させてしまうことを防止することができる。図８Ｄには、レール５３０とレールスロット５１２の一例が示されているが、他の同様のレールとレールスロットの構造を用いて同様の結果を得ることも可能である。図８Ｅに示すように、インサート５１３をレールスロット５１２の内部に配置してもよい。インサート５１３は、任意の望ましい材料で構成してよく、レールスロットの略全長に亘って延在させることができる。インサート５１３は、インサート５１３がレールスロット５１２から滑り出るのを防止する第１のストッパと、カセットヘッド５２０のレール５３０がインサートから滑り出ないように止める第２のストッパとを有することができる。この構成では、インサート５１３は、カセットヘッド５２０がカセットハウジング５１０に対して摺動可能な長さに亘って延在することができる。さらに、インサート５１３の材料および寸法は、カセットヘッド５２０とカセットハウジング５１０とがより滑らかに摺動できるように選択することができる。例えば、レール５３０とレールスロット５１２がいずれも金属製である場合、プラスチック製のインサート５１３を用いることによって滑らかな摺動を実現することができる。カセットヘッド５２０がカセットハウジング５１０に対して摺動可能な長さに亘ってインサート５１３を延在させる場合には、インサート５１３を硬質金属で形成することが好ましい場合がある。
【００５９】
カセット５００はモジュール式とすることができる。ここでの「モジュール式」は、カセット５００をシャーシに挿入することができ、かつ例えばあるカセットが破損した場合には、簡単にハウジングから取り外して別のカセットと交換することができるという意味である。例として、図９Ａに、複数のカセット５００を保持するために使用可能なシャーシ６００を示す。図示の実施形態では、シャーシ６００は、複数のカセット５００を収容することができる上下方向のチャネルを２つ備えており、各チャネルは、カセット５００を支持する複数の支持体６１０を有している。図９Ｂは、３つのカセット５００を設置済でかつ１つのカセット５００を設置しようとしている状態のシャーシ６００を示している。上述したケーブルガイド４００またはその変形例はいずれも、この本システムのカセット版の構成に使用して、上述のパッチパネル版の構成と同様のケーブルのたるみ管理機能を発揮させることができる。例えば、ケーブルガイド４００の１つ以上の取付アーム４１０をシャーシ６００に連結して、カセットヘッド５２０をカセットハウジング５１０に対して摺動させている間のカセット５００のポートに接続されたケーブルの管理ができるようにすることができる。さらに、カセットハウジング５１０はシャーシ６００から動くことがないため、ケーブルガイド４００の取付アーム４１０をカセットハウジング５１０に直接連結してもよい。カセットハウジング５１０がシャーシ６００から動かないので、ケーブルガイド４００をカセットハウジングに固定した場合であっても、カセットヘッド５２０を摺動させてカセットハウジング５１０に出し入れしたときにケーブルガイド４００が動いてしまうことはない。
【００６０】
図１０Ａは、本開示の他の実施形態によるパッチパネルシステム１０００の斜視図を示している。パッチパネルシステム１０００は、側壁と、上壁と、底壁と、遠位壁すなわち後壁と、前面開口すなわち近位面開口とを有する外側ハウジング１００２を備えることができる。ただし、図示していないが、外側ハウジング１００２の内部に手を入れることを可能にするドアや他のカバーなどの近位側カバーを外側ハウジングに取り付けて用いることもできる。図１０Ｂはパッチパネルシステム１０００の上面図である。尚、分かりやすくするため、図１０Ｂでは外側ハウジング１００２の上壁を省略して示している。内側ハウジング１００３は外側ハウジング１００２の内部に配置することができ、好ましくは外側ハウジング１００２の領域内に完全に収めることができる。内側ハウジング１００３は、側壁と、上壁と、底壁と、後壁とを有することができ、そのいずれもを外側ハウジングの対応する壁と一体とすることができるが、外側ハウジングの壁とは完全に別体とすることもできる。内側ハウジング１００３は、図９Ａのシャーシ６００の支持部６１０と同様に上下に積層状に配置された複数のスロットを備えることができる。各スロットは、トレイまたはカセット１０１０がスロットと摺動係合している状態に保持できるように構成されているが、実際には必ずしもすべてのスロットにカセット１０１０を収容していなくてもよい。各カセット１０１０は、上述のパッチパネルデバイス１１０，２１０，３１０、カセット５００、またはその両方とほぼ同様であってよく、ケーブルを接続するためのポートまたは他のコネクタを備えている。各カセット１０１０は、近位端から延びるハンドル１０１２を備えることができる。ハンドル１０１２は、ユーザがカセット１０１０を内側ハウジング１００３から引き出す際の取手となる。例えば、ハンドル１０１２を使ってユーザは、カセット１０１０を図１０Ｇおよび１０Ｈに示す位置まで移動させて、所望の１つ以上のカセット１０１０に簡単に手が届く状態とすることができる。また、外側ハウジング１００２は、ケーブルまたは他の物を外側ハウジングの内側と外側との間に通すことを可能にする１つ以上のアクセスポート１００４を備えることができる。図１０Ａに示すように、アクセスポート１００４は、外側ハウジング１００２の底壁と一体とすることができる円筒形部材の形態をとることができるが、ケーブルを外側ハウジング１００２の外側から内側（またはその逆）に通すことができる任意の開口部が適切であり得る。
【００６１】
一例では、パッチパネルシステム１０００は、ケーブル接続業者（cable provider）などのベンダーから集合住宅や各住戸などの顧客までの接続をパッチするために使用することができる。外側ハウジング１００２は、外側ハウジング１００２内部の内側ハウジング１００３などのコンポーネントを風雨から保護することができるため、屋外での使用に特に適切であり得る。そのような用途で用いる場合には、外側ハウジング１００２の例えば右側などの一側部にあるアクセスポート１００４からベンダーからのケーブルを中に入れて、１つ以上のカセット１０１０の後側のポートに接続することができる。さらに、別のケーブルを、１つ以上のカセット１０１０の後側から、例えば外側ハウジング１００２の例えば左側にある対応するアクセスポート１００４を通して集合住宅内の各住戸まで延ばすことにより、個々の顧客とベンダーとの間を接続することができる。例えば、１本以上のケーブルＣ２を、内側ハウジング１００３内の或るカセット１０１０の前側すなわち近位側から内側ハウジング内の別のカセットの前側まで延ばしてそれらを接続することができるため、パッチパネルシステム１０００は、ベンダーと個々の顧客との間の接続を操作、保守するための利便性の高いシステムとなり得るものである。
【００６２】
図１０Ａ〜１０Ｈには、２つのカセット１０１０の前端どうしを接続する１本のケーブルＣ２のみを示しているが、実際には、多数のケーブルＣ２で、カセット１０１０の各対の前側どうしを接続することができる。このような状況でのこれらケーブルＣ２の管理は困難なものとなる可能性があり、特に、ユーザが特定の１本または複数のケーブルＣ２を操作する必要がある場合には特に難しくなり得る。そこで、パッチパネルシステム１０００に接続されたケーブルの管理を支援するために、パッチパネルシステム１０００は、旋回可能なハンガープレートアセンブリ１０２０を備えることができる。ハンガープレートアセンブリ１０２０は、ハンガープレート１０２１を備えることができ、例えば、ハンガープレート１０２１は、１つ以上のヒンジ１０２２によって内側ハウジングの側壁に連結される矩形の剛性プレートとすることができる。ハンガープレート１０２１は、好ましくは、外側ハウジング１００２の底壁と上壁との間の距離よりも小さい高さと、ハンガープレート１０２１が位置している外側ハウジングの側壁と内側ハウジングの側壁との間の距離よりも小さい幅とを有している。この構成では、ハンガープレート１０２１は１つ以上のヒンジ１０２２を中心に揺動することができ、図１０Ａおよび図１０Ｂに示すような外側ハウジング１００２の内側に配置されている状態から、図１０Ｅおよび１０Ｆに示す途中位置を経て、図１０Ｇおよび１０Ｈに示すような外側ハウジング１００２の外側の位置に至る可動域を有することができる。
【００６３】
図１０Ｃおよび１０Ｄには、ハンガープレートアセンブリ１０２０の拡大上面図と部分斜視図を示している。ハンガープレート１０２１の近位面には、複数のハンガー１０２３を連結することができる。各ハンガー１０２３は、ケーブルＣ２を載置することができる略平坦な面を有することができる。また、ハンガー１０２３の一端に面して、ガイド面１０２４を配置することができる。図では、ガイド面１０２４は、円形断面を有するものとして示されている。ガイド面１０２４は、必ずしも円形断面を有している必要はないが、ケーブルＣ２が損傷するまで曲がってしまうことがないようにケーブルＣ２の曲がりを制限する最小曲げ半径を規定する湾曲を有していることが好ましい。図１０Ｇに最もよく示されているように、ガイド面１０２４は、ハンガープレート１０２１の略全高に亘って延在する１つの円筒形部材によって形成することができる。ただし、必要に応じて、個々のハンガー１０２３に対してそれぞれ別体のガイド面１０２４を設けることもできることを理解されたい。
【００６４】
また、各ハンガー１０２３を、ケーブルＣ２がハンガー１０２３の内部に配置されている状態を保持することを支援する１つ以上の保持部材と関連させることができる。例えば、各ハンガー１０２３は、該ハンガー１０２３の平坦面から上方に延びる上延保持部材１０２５を備えることができる。図１０Ｄに最もよく示されているように、上延保持部材１０２５は略円筒形であり、上に隣接するハンガー１０２３に向かって上方に延在し、かつこの上に隣接するハンガー１０２３と当接しない。同様に、各ハンガー１０２３は、該ハンガー１０２３の平坦面から下方に延びる下延保持部材１０２６を備えることができる。図１０Ｄに最もよく示されているように、下延保持部材１０２６は略円筒形であり、下に隣接するハンガー１０２３に向かって下方に延在し、かつこの下に隣接するハンガー１０２３と当接しない。この構成では、上下に隣接する２つのハンガー１０２３の間の空間には、２つの保持部材１０２５，１０２６が存在し、これら保持部材１０２５，１０２６によって、ケーブルＣ２はこれら上下に隣接する２つのハンガー１０２３の間の空間から想定外に出てしまうことがないよう保持されている。ただし、図６Ａに関連して説明したフィン４３０と同様に、保持部材１０２５，１０２６の端部とハンガー１０２３の平坦面との間には空間が設けられているため、ユーザは、保持部材１０２５，１０２６とハンガー１０２３の平坦面との間の空間からケーブルＣ２を手動で取り出す（あるいは入れる）ことによって、ケーブルＣ２を上下に隣接するハンガー１０２３の間の空間の外に取り出す（あるいは中に入れる）ことができる。なお、上下に積層された１組のハンガー１０２３のうち、最下段のハンガー１０２３は下延保持部材を備える必要がなく、最上段のハンガー１０２３は上延保持部材を備える必要がないことを理解されたい。
【００６５】
ハンガープレートアセンブリ１０２０はまた、ハンガープレート１０２１の後側に連結されてそこからハンガー１０２３とは反対方向に延びる後側ハンガー１０２７を備えることができる。ハンガープレート１０２１の後側には、１つの後側ハンガー１０２７のみを、その上面が外側ハウジング１００２の上面近くに位置するように連結することが好ましい。ただし、例えば、ハンガープレート１０２１の底部に第２の後側ハンガー１０２７を備えたり、所望の位置に所望の数の後側ハンガー１０２７を備えたりするなど、必要に応じてより多くの後側ハンガー１０２７を備えることもできる。後側ハンガー１０２７は、上方に延びる２つの面の間に１つの平坦な底面を備え、ほぼＵ字形のチャネルを形成することができる。カセット１０１０の後側に接続されて、アクセスポート１００４から外に出したケーブルは１つに束ねられ、この後側ハンガー１０２７のＵ字形チャネルに一部を沿わせて配線される。これにより、ケーブルを整線状態に保持することを支援して、これらのケーブルが外側ハウジング１００２の前部にあるケーブルＣ２の妨げや、ハンガープレートアセンブリ１０２０の揺動の妨げとなる可能性を低減することができる。同様の理由から、アクセスポート１００４から外側ハウジング１００２に入り、１つ以上のカセットの後側に連結されるケーブルもまた、後側ハンガー１０２７のＵ字形チャネルに沿わせて配線することができることを理解されたい。また、ハンガープレート１０２１の後側ハンガー１０２７とヒンジ１０２２との間の位置に１つ以上の穴（図示省略）を設けて、後側ハンガー１０２７の内部に配置されているケーブルの束をハンガープレート１０２１に貫通させて内側ハウジング１００３に入れ、特定のカセット１０１０の後側にあるポートなどの対応ポートに接続することができるようにしてもよい。いくつかの実施形態では、ドアまたは他の機構を開けて得られる開口部からカセット１０１０の後側に手が届くようにすることもできる。この場合、アクセスポート１００４から挿入したケーブルを、ハンガープレート１０２１を貫通させずに直接、所望の位置にあるカセット１０１０の後側に接続することができる。
【００６６】
ここで、ケーブル整線の観点から、パッチパネルシステム１０００の動作を簡単に説明する。格納状態では、外側ハウジング１００２の左側にあるアクセスポート１００４から外側ハウジングの内側や外側に通してカセットの後側に接続されているケーブルは、後側ハンガー１０２７のＵ字形チャネル内に保持されている状態とすることができる。或るカセット１０１０の前側から別のカセット１０１０の前側まで延びる各ケーブルＣ２は、該或るカセット１０１０に隣接配置された第１のハンガー１０２３を経由して配線されている。第１のハンガー１０２３を経由する際には、最小曲げを確保するようにガイド面１０２４に案内されつつハンガー１０２３の平坦面に載置され、かつ保持部材１０２５，１０２６によって上下に隣接するハンガー１０２３の間に保持されている。上下に隣接するハンガー１０２３の間の空間からは、特定のケーブルＣ２を保持部材１０２５，１０２６とハンガープレート１０２１との間を通して出すことができる。そして、該空間から出たケーブルＣ２は、ハンガープレート１０２１に概ね沿って上か下に延びて、別の上下に隣接するハンガー１０２３の対の間の空間に入り、別のカセット１０１０の前側に連結され得る。図１０Ａおよび１０Ｂに示すように、格納位置では、ハンガープレート１０２１が外側ハウジング１００２の後壁に向かって延びるまで、ヒンジ１０２２を中心にハンガーアセンブリ１０２０を回動させた状態とすることができる。この位置にあるとき、ケーブルＣ２にはたるみがほとんどないか、あるいは全くない。そして、ユーザが１つ以上のカセット１０１０やケーブルＣ２に手を伸ばして、例えば保守などを行うことを望む場合には、外側ハウジング１００２の前側にドアに設けられている場合には、まずそのドアを開けることができる。そして、カセット１０１０を引き出す前に、ケーブルＣ２のたるみを大きくすることができる。すなわち、ユーザが、例えばハンガープレート１０２１や任意のハンガー１０２３などのハンガープレートアセンブリ１０２０の一部を把持して、図１０Ｅおよび１０Ｆに示すようにハンガーアセンブリを近位側に引き出し始めると、ケーブルＣ２のたるみが大きくなり始め得る。ハンガープレートアセンブリ１０２０がヒンジ１０２２を中心に回動を続けるに従って、ハンガープレート１０２１とこれに付随するハンガー１０２３も回動を続け、最終的には、図１０Ｇおよび１０Ｈに示すような、ハンガープレート１０２１が外側ハウジング１００２の前側から出た状態となる。回動の結果、ハンガープレートアセンブリ１０２０の少なくとも一部が外側ハウジング１００２から出ている状態では、ケーブルＣ２のたるみがさらに大きくなっている。これで、ユーザは、外側ハウジング１００２から１つ以上のカセット１０１０を近位側に引き出せるようになるが、その際、１つ以上のハンドル１０１２を使って簡単に引き出すことができる。カセット１０１０を引き出すとケーブルＣ２のたるみは大きくなり始め、カセット１０１０の近位面が保持部材１０２５，１０２６と一直線上に並ぶまでは大きくなり得る。そして、カセット１０１０をハウジング１００２から、保持部材１０２５，１０２６よりも離れた位置までさらに近位側に引き出すと、ケーブルＣ２のたるみは再び小さくなり始め得る。尚、カセット１０１０を最大限まで引き出した場合に、ユーザがケーブルＣ２を対応ポートで容易に操作できるだけの十分なたるみは残っているが、ケーブルＣ２の管理が難しくなるほどのたるみは残っていないことが好ましい。このとき、図１０Ｇおよび１０Ｈに示すように、後側ハンガー１０２７に載置されているケーブルとケーブルＣ２とのいずれもが整線状態を保ったまま、ケーブルＣ２やカセット１０１０に手が届きやすい状態となっている。尚、図１０Ａ〜１０Ｈにおいて、パッチパネルシステム１０００を一定の縮尺では示していないことを理解されたい。
【００６７】
図１０Ｉおよび１０Ｊを参照すると、保持部材１０２５，１０２６およびガイド面１０２４の配置は、ハンガープレートアセンブリ１０２０やカセット１０１０がいずれの位置にある場合にもケーブルＣ２のたるみの管理が所望通りに行えるように選択することができる。例えば、図１０Ｉを参照すると、ハンガープレートアセンブリ１０２０を外側ハウジング１００２から出るまで回動させると、保持部材１０２５，１０２６は、内側ハウジング１００３の近位面から距離Ｄ４だけ離れた位置となることができる。そして、ユーザがカセット１０１０を引き出すと、初めのうちはケーブルＣ２のたるみが図１０Ｉに示す状態より大きくなり得る。また、カセット１０１０の近位面を、保持部材１０２５，１０２６の位置よりさらに近位方向に動かすと、たるみは再び小さくなり始め得る。そして図１０Ｊに示すように、各カセット１０１０が完全な引出し位置まで来ると、カセット１０１０の近位面が内側ハウジング１００３の近位面から最大距離Ｄ５だけ離れた状態となる。好ましくは、距離Ｄ５は距離Ｄ４の約２倍である。この構成では、図１０Ｉおよび１０Ｊに示すようにハンガープレートアセンブリ１０２０を外側ハウジング１００２から出るまで回動させた場合のケーブルＣ２のたるみは、図１０Ｉに示すカセット１０１０が格納位置にある場合と図１０Ｊに示すカセット１０１０が引出し位置にある場合との間でほぼ同一となる。ただし、他の実施形態においては、距離Ｄ５はＤ４の２倍未満であってよく、この場合、カセット１０１０が格納状態から引出し状態に移行するとケーブルＣ２の正味のたるみが大きくなる。このようにたるみを大きくすると、ユーザが、ケーブルＣ２とカセット１０１０内の対応ポートとの接続をより容易に操作することができるようになる。この機能は、図４Ｂに関連して上述した関連機能と同様である。
【００６８】
尚、パッチパネルシステム１０００は、１つのハンガープレートアセンブリ１０２０のみを備えるものとして示されているが、内側ハウジング１００３の第１のハンガープレートアセンブリ１０２０とは反対側に、第２のハンガープレートアセンブリをさらに備えることもできることを理解されたい。第２のハンガープレートアセンブリを使用する場合、その各コンポーネントの配置が第１のハンガープレートアセンブリ１０２０のコンポーネント配置に対してミラー配置となる点を除けば、第２のハンガープレートアセンブリは、第１のハンガープレートアセンブリ１０２０と同一の構造および同一の機能を有することができる。また、ハンガープレートアセンブリ１０２０が、各カセット１０１０に対して１つのハンガー１０２３を備えるように示されているが、より多くのまたは少ない数のハンガー１０２３を設けることもできる。さらに、ハンガープレート１０２１は１つの剛性部材として示され、ハンガープレート１０２１に取り付けられたすべてのハンガー１０２３が一斉に動くように示されているが、他の実施形態では、個別に回動可能な複数のハンガープレートを設けることもできる。例えば、ハンガープレートを２つの部分に分けて設けて、上部のハンガーの群を下部のハンガーの群とは別に回動可能とすることができる。さらに、ハンガーの総数以下の任意の数のハンガープレートを用いて、各ハンガーを個別に回動可能とすることもできる。ただし、使い易さの点ではハンガープレート１０２１を１つとすることが好ましい場合がある。
【００６９】
上述したように、パッチパネルシステム１０００は屋外での使用に適切であり得る。パッチパネルシステム１０００を屋外で使用する場合には、パッチパネルシステム１０００の使用や保守を能動的に行うとき以外は、コンポーネントが外側ハウジング１００２の領域内に収められて風雨から保護された状態とすることができることが重要であり得る。従って、上述の通り、ハンガープレート１０２１が外側ハウジング１００２の外にある状態から、外側ハウジング１００２の内部に収まって風雨から保護された状態まで揺動することができるように、ハンガープレート１０２１の幅は、内側ハウジング１００３の側壁とこれに対応する外側ハウジングの側壁との間の距離よりも小さくなければならない。ただし、ハンガープレート１０２１より幅広のハンガープレートを設けることが有益な場合もある。幅広のハンガープレートを設けることによって、ケーブルを或るハンガー１０２３から出して別のハンガー１０２３に向けてハンガープレート１０２１の上または下に送る際などに、ケーブルを急角度で曲げる回数がより少なくなるようにケーブルＣ２を案内できるようになる。パッチパネルシステム１０００で使用するケーブルの中には、非常に硬いために小さく曲げた状態を維持することが難しいものがあるため、これが有益な場合がある。
【００７０】
図１１Ａ〜１１Ｈに示すパッチパネルシステム１０００’は、上述の潜在的な限界に対処するものである。パッチパネルシステム１０００’は、ハンガープレートアセンブリ１０２０’以外のほとんどまたはすべての点において、パッチパネルシステム１０００と同一とすることができる。例えば、パッチパネルシステム１０００’は、図１０Ａ〜１０Ｈに関連して説明したものと同一の外側ハウジング１００２と、内側ハウジング１００３と、アクセスポート１００４と、カセット１０１０とを備えることができる。従って、これらのコンポーネントを改めて詳細に説明することはしない。
【００７１】
パッチパネルシステム１０００のハンガープレートアセンブリ１０２０と同様に、パッチパネルシステム１０００’のハンガープレートアセンブリ１０２０’も、図１１Ａおよび１１Ｂに示す格納状態と、ケーブルに手が届く図１１Ｇおよび１１Ｈに示す引出し状態とを有しており、これらの状態の間の途中の位置を図１１Ｅおよび１１Ｆに示している。図１１Ｃは、格納状態にあるハンガープレートアセンブリ１０２０’の上面図を示している。尚、分かりやすくするため、図１１Ｃでは、内側ハウジング１００２と外側ハウジング１００３の図示を省略している。ハンガープレートアセンブリ１０２０と同様に、ハンガープレートアセンブリ１０２０’も、１つ以上のヒンジ１０２２によって内側ハウジング１００３に連結されているほぼ矩形かつ剛性の第１ハンガープレート１０２１ａ’を備えることができる。第１のハンガープレート１０２１ａ’には、上述したものと同一の複数のハンガー１０２３が上下に積層して連結されている。また、第１のハンガープレート１０２１ａ’は、上述したものと同様または同一の１つ以上の後側ハンガー１０２７を備えることができる。
【００７２】
第１のハンガープレート１０２１ａ’は、ハンガープレート１０２１と同様の高さとすることができるが、幅はより小さくすることができる。また、ハンガープレートアセンブリ１０２０’は、第１のハンガープレート１０２１ａ’に加えて、第１のハンガープレート１０２１ａ’にヒンジ連結されかつ互いにヒンジ連結されている複数の追加のハンガープレートをさらに備えることができる。図示のハンガープレートアセンブリ１０２０’の特定の実施形態においては、５枚の追加のハンガープレート１０２１ｂ’〜１０２１ｆ’が連なるようにヒンジで互いに連結され、ハンガープレート１０２１ｂ’が第１のハンガープレート１０２１ａ’にヒンジ連結されている。各ハンガープレート１０２１ａ’〜１０２１ｆ’の高さは略同様とすることができるが、各プレートの幅は互いに同様であってもよく、あるいは異なっていてもよい。尚、ハンガープレート１０２１ａ’〜１０２１ｆ’は、互いにヒンジ連結された別体の部材として示されているが、ハンガープレート１０２１ａ’〜１０２１ｆ’のうち１つ以上を、隣接するプレート間にヒンジ様の部材を設けて一体に形成して同様の機能を発揮させることもできる。
【００７３】
図１１Ｄは、伸張状態すなわち引出し状態にあるハンガープレートアセンブリ１０２０’を示している。尚、分かりやすくするため、図１１Ｄでは、外側ハウジング１００２と内側ハウジング１００３の図示を省略している。ハンガープレート１０２１ａ’〜１０２１ｆ’のうち一部を選択して、そこにケーブル保持具１０３０’を設けることができる。各ケーブル保持具１０３０’は、上延長部１０３１’と下延長部１０３２’などの２つの延長部を備えることができる。上延長部１０３１’は、対応するハンガープレートから離れるようにかつ該対応するハンガープレートと略直交するように延在する第１の部分と、第１の部分から下方に、かつ該第１の部分と直交して該対応するハンガープレートと並行に延在する第２のＬ字形部分とを備えることができる。下延長部１０３２’は、対応するハンガープレートから離れるようにかつ該対応するハンガープレートと略直交するように延在する第１の部分と、第１の部分から上方に、かつ該第１の部分と直交して該対応するハンガープレートと並行に延在する第２のＬ字形部分とを備えることができる。この構成では、各拡張部がほぼＵ字形のチャネルを形成することができる。上延長部１０３１’と下延長部１０３２’の２つのＬ字形の部分は、これらＬ字形の部分の間に隙間を有する矩形を形成するような相対位置関係で配置されており、この隙間を通してケーブルＣ２をＵ字形チャネルの一方または両方で受容できるように構成されている。図１１Ｄに示すように、２つのケーブル保持具１０３０’を中間のハンガープレート１０２１ｄ’と端のハンガープレート１０２１ｆ’の上側にそれぞれ配置するとともに、２つのケーブル保持具１０３０’をこれらハンガープレート１０２１ｄ’，１０２１ｆ’の下側にそれぞれ配置することができる。尚、図示しているよりも多くのまたは少ない数のケーブル保持具１０３０’をハンガープレートアセンブリ１０２０’に使用できることを理解されたい。
【００７４】
カセット１０１０の前側に連結されたケーブルＣ２は、図１０Ａ〜１０Ｈに関連して説明したのと同様の態様で、対応するハンガー１０２３を通過することができる。その後、ケーブルＣ２は、一連のハンガープレートに沿って延び、ハンガープレート１０２１ｄ’などの中間のハンガープレートの１つに設けられた１つのケーブル保持具１０３０’が形成するＵ字形チャネルの一方または両方に入る。ケーブルＣ２はさらに、端のハンガープレート１０２１ｆ’に設けられたケーブル保持具１０３０’まで延び、そこでハンガープレートの反対側の端部に設けられたケーブル保持具１０３０’に向かって上方または下方に延びることができる。ここで、端のハンガープレート１０２１ｆ’は、ハンガープレート１０２１ｆ’の略全高に亘ってＵ字形チャネルを形成する端部１０４０’を有することができる。端部１０４０’は、ハンガープレート１０２１ｆ’の上側のケーブル保持具１０３０’からハンガープレート１０２１ｆ’の下側のケーブル保持具１０３０’まで延びるケーブルＣ２を受容して通過させることができる。端部１０４０’は、ケーブルＣ２が確実に所定の位置に留まりながら方向転換できるようにするとともに、ケーブルＣ２の付加的な保護部となるものである。端部１０４０’は、ユーザがハンガープレートアセンブリ１０２０’を外側ハウジング１００２から引き出す際に把持するハンドルとして使用することもできる。
【００７５】
図１１Ａおよび１１Ｂに示すように、完全な格納位置にあるとき、ハンガープレート１０２１ａ’〜１０２１ｆ’は互いに折り畳まれて、内側ハウジング１００３の一方の側壁とこれに対応する外側ハウジングの側壁との間の位置で外側ハウジング１００２の内部にぴったり収まるＵ字形状となる。そして、保守のためにユーザがカセット１０１０やケーブルＣ２を操作する必要があるときには、ユーザはハンガープレートアセンブリ１０２０’を外側ハウジング１００２から引き出すことができる。ユーザがハンガープレートアセンブリ１０２０’を近位側に引くと、隣接するハンガープレート１０２１ａ’〜１０２１ｆ’の間のヒンジの働きで、ハンガープレートアセンブリ１０２０’は、直線状に伸張して外側ハウジング１００２の外にまで延びる状態に向かって動き始めることができる。そして、ユーザが引き続きハンガープレートアセンブリ１０２０’を引くと、ハンガープレートアセンブリ１０２０’は図１１Ｇおよび１１Ｈに示す完全に伸張した状態に移行し、ハンガープレート１０２１ａ’〜１０２１ｆ’が略直線状に並ぶ状態となる。この状態になると、ユーザは所望の１つ以上のカセット１０１０を引き出して、所望のケーブルＣ２の保守を行うことができるようになる。カセット１０１０が摺動することができる最大距離に対する保持部材１０２５，１０２６およびガイド面１０２４の位置については、図１０Ｉおよび１０Ｊに関連して上述したのと同一または同様の検討事項に基づいて決めることができる。
【００７６】
ハンガープレートアセンブリ１０２０と比較すると、内側ハウジング１００３の壁と外側ハウジング１００２の壁との間で占めることのできる空間の大きさが同じであるにもかかわらず、ハンガープレートアセンブリ１０２０’では、ケーブルＣ２を延在させることができる有効長をより長くとることができる。上述の通り、ケーブルＣ２が硬い場合には、このようにハンガープレートアセンブリ１０２０’の長さがより大きく構成されていることによって、ケーブルＣ２の格納と保守をより簡単かつ安全に行うことができる。尚、図では、ケーブル保持具１０３０’の構造や数、相対的な位置について特定的に示しているが、他の形態のケーブル保持具も適切であり得ることを理解されたい。例えば、ハンガープレート１０２１ａ’〜１０２１ｆ’に沿って通るケーブルＣ２を支持する任意の構造、特に、ケーブルＣ２を意図的に保持具に挿入したり、取り出したりすることができるとともに、想定外にケーブルＣ２が出てしまうことは防ぐような構造が、開示された実施形態に代わる適切な形態となり得る。
【００７７】
図では、パッチパネルシステム１０００’が、１つのハンガープレートアセンブリ１０２０’のみを備えるように示されているが、２つのハンガープレートアセンブリを用いることもできることを理解されたい。図１２にその一例を示す。図１２において、パッチパネルシステム１０００’’は、ハンガープレートアセンブリの数を除くすべての点でパッチパネルシステム１０００’と同一である。ハンガープレートアセンブリ１０２０ａ’’は、構造および機能においてハンガープレートアセンブリ１０２０’と同一とすることができる。さらに、ミラー配置となる点を除けばハンガープレートアセンブリ１０２０ａ’’と同一することができる第２ハンガープレートアセンブリ１０２０ｂ’’を、内側ハウジング１００３の右壁に連結することができる。この追加のハンガープレートアセンブリ１０２０ｂ’’は、ケーブルＣ２の追加的な管理、特に、カセット１０１０の前側の右側近辺に連結されたケーブルＣ２の追加的な管理となるものである。
【００７８】
上述のシステムおよび概念の一部は、米国特許出願公開第２０１７／００８２８１５号にも記載されており、その開示内容を参照により本明細書に援用する。ただし、上述のシステムに対する特定の改良および／または追加が望ましい場合もある。
【００７９】
改良されたパッチパネルシステム１１００の一例を図１３Ａ〜図１３Ｆに示す。パッチパネルシステム１１００は、パッチパネルシステム１０００’’に類似していてもよいが、格納状態のハンガープレートアセンブリの位置だけが異なる。パッチパネルシステム１１００は、図１０〜図１２に関連して説明したものと類似の外側ハウジング１１０２（ドア１１０２Ｄの有無は問わず）、内側ハウジング１１０３、およびカセット１１１０を具備していてもよい。
【００８０】
図１３Ａにおいては、アクセスドア１１０２Ｄが開放された格納状態のパッチパネルシステム１１００を示している。必要に応じて本明細書に記載の他の実施形態の場合は、類似のアクセスドア１１０２Ｄが設けられていてもよい。内側ハウジング１１０３内には、第１および第２のハンガープレートアセンブリ１１２０ａ、１１２０ｂが実質的に内側ハウジング１１０３の側壁と外側ハウジング１１０２の側壁との間において格納状態で、複数のカセット１１１０が垂直方向の積層構成で配置されている。図１３Ａ〜図１３Ｆには、２つのハンガープレートアセンブリ１１２０ａ、１１２０ｂを示しているが、パッチパネルシステム１１００には、ハンガープレートアセンブリのうちの１つだけが設けられていてもよいことが了解されるものとする。
【００８１】
図１３Ｂは、ハンガープレートアセンブリ１１２０ａ、１１２０ｂが設置または保守状態とも称し得る引き出し状態のパッチパネルシステム１１００の斜視図である。図１３Ｃは、ハンガープレートアセンブリ１１２０ａ、１１２０ｂが引き出し状態のパッチパネルシステム１１００の上面図であって、外側ハウジング１１０２を外形のみで示すとともに、ドア１１０２Ｄを完全に省略している。ハンガープレートアセンブリ１０２０’と同様に、ハンガープレートアセンブリ１１２０ａ、１１２０ｂは、１つまたは複数のヒンジによって内側ハウジング１１０３に結合された実質的に矩形の第１のハンガープレート１１２１ａを具備していてもよい。ハンガープレートアセンブリ１０２０’に関連して上述したものと大略同様に、複数の別のハンガープレート１１２１ｂ〜１１２１ｅが互いに連続してヒンジ結合されていてもよい。ただし、ハンガープレートアセンブリ１１２０ａ、１１２０ｂを構成するハンガープレートの特定数および相対サイズは、特定の所望寸法によって異なり得ることが了解されるものとする。さらに、ハンガープレートアセンブリ１１２０ａ、１１２０ｂの個々のハンガープレート１１２１ａ〜１１２１ｅは、ヒンジ結合された個々の部材として示しているものの、ハンガープレートのうちの１つまたは複数は、稼働中のヒンジ機構がもたらすヒンジ動作によって、隣接するプレートと一体化していてもよい。
【００８２】
各ハンガープレートアセンブリ１１２０ａ、１１２０ｂのハンガープレート１１２１ｃには、複数のハンガー１１２３が結合されていてもよい。ハンガー１１２３は、ハンガープレート１０２０に関連して上述したハンガー１０２３と実質的に同様または同一であってもよい。ただし、ハンガー１１２３は、後側ハンガープレート１０２７に類似し得る別の形態であってもよい。ハンガー１１２３の形態に関わらず、延伸するケーブル（図示省略）を有し得る各カセット１１１０と実質的に位置合わせされた状態でハンガーが位置決めされることにより、カセット内またはカセット外に延びるケーブルを各ハンガーが支持および／または固定可能であるのが好ましい。さらに、ハンガー１１２３は、ハンガープレート１１２１ｃに取り付けられたものとして示しているが、ハンガープレートアセンブリ１１２０ａ、１１２０ｂの他のハンガープレートに取り付けられていてもよい。ハンガー１１２３は、カセット１１１０内またはカセット１１１０外に延びるケーブルの最初の支持点となり得るため、ケーブルが対応するハンガーの支持なく長い距離にわたって延びることのないように、カセットの近位面に近いハンガープレート１１２１ａ〜１１２１ｅ上に位置決めされているのが好ましい。
【００８３】
図１３Ｂを参照して、ケーブル（図示省略）が第１のカセット１１１０の近位端から対応するハンガー１１２３まで延びて支持されていてもよい。これらのケーブルは、別のケーブル保持器１１３０まで延び続けていてもよい。各ハンガープレートアセンブリ１１２０ａ、１１２０ｂのハンガープレート１１２１ｅ上には、複数の別のケーブル保持器１１３０が位置決めされていてもよい。図示の実施形態において、各ケーブル保持器１１３０は、取り付けられるハンガープレートに対して実質的に直交して延びた円形部１１３１を含んでいてもよい。ケーブルは、円形部１１３１に巻き付くとともに、異なるカセットに対応する異なる垂直方向高さで別のハンガー１１２３に向かって戻る方向に延びていてもよい。あるいは、ケーブルは、１つのケーブル保持器１１３０の円形部１１３１に巻き付くとともに、別のケーブル保持器の円形部まで延び、その点において、異なるカセット１１１０に対応する別のハンガー１１２３に向かって戻る方向に延びていてもよい。円形部１１３１のサイズは、円形部に巻き付くケーブルの最小曲げ半径を与えるように選定されることで、ケーブルの損傷を最小限に抑えるようになっていてもよい。また、各ケーブル保持器１１３０は、当該ケーブル保持器が取り付けられたハンガープレート１１２１ｅに対して実質的に平行に延び得る平坦部１１３２を含んでいてもよい。平坦部１１３２は、ケーブルの整線を維持するとともに、円形部１１３１からの抜け落ちを回避するのに役立ち得る。図示の実施形態において、各ハンガープレート１１２１ｅは、３つのケーブル保持器１１３１を具備しており、別の平坦部１１３２がハンガープレートの底部近くにある。ただし、ハンガープレート１１２１ｅまたは別のハンガープレートに結合し得るケーブル保持器１１３０（または、その一部）は、より多くても少なくてもよいことが了解されるものとする。いくつかの実施形態において、平坦部１１３２は、回転可能であってもよい。図１３Ｂに示す状態において、ケーブル保持器１１３０の平坦部１１３２と対応するハンガープレート１１２１ｅとの間に位置決めされたケーブルは、当該ケーブルの端部をカセット１１１０から切り離すことなくケーブル保持器から取り外すのが困難となり得る。このため、ユーザが必要に応じて、ケーブルの端部をカセット１１１０から切り離すことなく比較的容易にケーブルを円形部１１３１から外して保守を行えるように、平坦部１１３２が回転可能である。
【００８４】
さらに図１３Ｂを参照して、ハンガープレート１１２１ｅには、カバー１１４０が結合されていてもよい。カバー１１４０は、ブラケット１１４１にヒンジ結合されていてもよい。ブラケット１１４１は、ハンガープレート１１２１ｅの上部、底部、および自由側縁部に近い部分を含んでいてもよく、自由側縁部に近いブラケットの部分にカバー１１４０がヒンジ結合されている。この構成により、カバー１１４０は、ケーブル保持器１１３０により支持されたケーブルにアクセスするため、開放されて図１３Ｂに示す状態となり得る。保守が完了した場合、カバー１１４０は、ケーブル保持器１１３０を覆うように閉塞されるようになっていてもよく、これは、ハンガープレートアセンブリ１１２０ａ、１１２０ｂが以下により詳しく説明する格納状態となった場合に、ケーブルを所望の位置に維持するのにさらに役立つ。別のケーブルの維持に役立つように、１つまたは複数のハンガーがハンガープレート１１２１ａ〜１１２１ｅの後部に設けられていてもよいことが了解されるものとする。たとえば、ハンガープレート１１２１ｅは、別の組のケーブル保持器ならびに対応するブラケットおよびカバーを具備していてもよく、これは、当該プレートの後面において、上述と同様または同一の構成であってもよい。さらに、ハンガープレートのうちの１つまたは複数には、１つまたは複数の窓Ｗが設けられていてもよい。たとえば、図１３Ｂに最もよく示すように、ハンガープレート１１２１ｄは、ケーブルが必要に応じて、窓を通じてハンガープレートの一方側からハンガープレートの反対側へと通過し得るように、窓Ｗを構成する２つの部分を含んでいてもよい。さらに、ハンガープレートアセンブリ１１２０ａ、１１２０ｂ上には、多くの別のハンガー１１３３が位置決めされていてもよい。たとえば、ケーブルが外側ハウジング１１０２の床またはその他任意の表面に垂れることのないように、所望のパネルの前部および／または後部の最底部に個々のハンガー１１３３が配置されていてもよい。個々のハンガー１１３３の一例は、図１３Ｄに最もよく図示している。
【００８５】
ケーブルの保守が完了したら、図１３Ｃに示すように、カセット１１１０がすべて内側ハウジング１１０３へと遠位方向に押し入れられ、ケーブル保持器１１３０の平坦部１１３２が回転によって図１３Ｂに示す状態となり、カバー１１４０が回転により閉塞されるようになっていてもよい。そして、ユーザは、図１３Ｄ〜図１３Ｆに示すように、終端ハンガープレート１１２１ｅが内側ハウジング１１０３および外側ハウジング１１０２の側壁間に位置決めされた状態で、内側ハウジング１１０３の外側に巻き付くように、ハンガープレートアセンブリ１１２０ａ、１１２０ｂを回転させるようにしてもよい。ハンガーアセンブリ１１２０ａ、１１２０ｂの格納状態をより良く図示するため、外側ハウジング１１０２が図１３Ｄおよび図１３Ｅから実質的に省略されていることが了解されるものとする。図１３Ｄ〜図１３Ｆから明らかなように、ハンガープレートアセンブリ１１２０ａ、１１２０ｂの格納状態において、ケーブルは、きれいにしっかりと整線されており、ケーブルの多くの部分は、たとえば外側ハウジング１１０２およびカバー１１４０等のシステムの要素によって保護されている。
【００８６】
図１３Ｇは、ハンガープレートアセンブリ１１２０ａを案内して格納状態にロックするのに使用可能なプレートガイド１１９０を示している。プレートガイド１１９０は、内側ハウジング１１０３の長さに沿って延び、ブラケット１１９１またはその他任意の適当なコネクタによって内側ハウジングに接続されていてもよい。プレートガイド１１９０は、横方向断面において実質的に「Ｕ」字状であってもよく、「Ｕ」字の両側がハンガープレート１１２１ｅ、１１２１ｄ、および１１２１ｃを格納状態へと案内するのに役立つ。ガイドプレート１１９０の近位端には、当該ガイドプレート１１９０の近位開口から離れる方向に延びた円形部１１９２を含んでいてもよい。終端ハンガープレート１１２１ｅが最初にプレートガイド１１９０の開放端へと案内されるため、円形部１１９２は、終端ハンガープレートをプレートガイドの近位開口の中心へと案内するのに役立ち得る。また、プレートガイド１１９０は、ハンガープレートアセンブリが格納状態の場合に、ハンガープレートのうちの１つの対応する開口部１１９４と一致する開口部１１９３を含んでいてもよい（ここでは、ハンガープレート１１２１ｃに示す）。矢印１１９５で示す方向に、格納状態へとユーザがハンガープレートアセンブリ１１２０ａを摺動させ続けると、結果的に、開口部１１９３および１１９４は一致することになる。開口部１１９３および１１９４が一致している場合は、両開口部へのロック要素１１９６の挿通によって、ハンガープレートアセンブリ１１２０ａを格納状態にロックするようにしてもよい。ロック要素１１９６は、両開口部１１９３、１１９４に挿通された場合に、プレートガイド１１９０に対するハンガープレート１１２１ｃの動きを物理的に制限する簡単な円筒状構造体であってもよい。ロック要素１１９６および／または開口部１１９３、１１９４は、ハンガープレートアセンブリ１１２０ａをプレートガイド１１９０にさらにロックして格納状態とする嵌め合いネジ等の別の構造を含んでいてもよい。上述の実施形態の多くには、格納状態においてカセットの前部が露出するように「後方」に可動のハンガープレートアセンブリ１１２０ａ、１１２０ｂ等のハンガープレートまたはハンガープレートアセンブリを含むが、他の実施形態においては、格納状態においてハンガープレートまたはハンガープレートアセンブリがカセットの前部を覆うように、ハンガープレートまたはハンガープレートアセンブリが「前方」に可動であってもよいことが了解されるものとする。図１５Ａ〜図１５Ｄおよび図１８〜図２０Ｄ等、ドーム留め具を備えた特定のシステムに関連して以下の他の実施形態で説明するこの構成は、たとえば図１０Ａ〜図１４Ｈに関連して説明する種類のハウジングを備えたシステムに適用されるようになっていてもよい。また、内側ハウジング１１０３および外側ハウジング１１０２等の内側ハウジングおよび外側ハウジングを有するものとして上述した実施形態の場合は、内側ハウジングの底部の外側ハウジングの底部へのしっかりとした固定および／または内側ハウジングの上部の外側ハウジングの上部への固定のため、ボルト、コネクタ等の支持部材が設けられていてもよいことが了解されるものとする。
【００８７】
図１４Ａおよび図１４Ｂはそれぞれ、引き出し状態および格納状態のハンガープレートアセンブリ１１２０ａの模式図であって、システムの他のコンポーネントは省略している。個々のハンガープレートが実質的に直線状に位置合わせされた状態でハンガープレートアセンブリ１１２０ａが引き出し状態の場合は、カセットからハンガープレートアセンブリに沿った最遠位置まで、第１の長さＬ１を有する経路に沿ってケーブルＣが延びている。ハンガープレートアセンブリ１１２０ａが図１４Ｂの格納状態に遷移して、ケーブルＣを外側にして湾曲している場合は、カセットからハンガープレートアセンブリに沿った最遠位置まで、第２の長さＬ２を有する経路に沿ってケーブルＣが延びていてもよい。経路長Ｌ１およびＬ２の差の程度は、ハンガープレートアセンブリ１１２０ａのプレートの表面に対してケーブルＣが位置決めされた距離Ｄ６により異なっていてもよい。ケーブルＣが無限に小さい厚さを有し、ハンガープレートアセンブリ１１２０ａのプレートの表面上に直接、効果的に位置決めされた理論的な構成において、第１および第２の経路長Ｌ１、Ｌ２の差は、ゼロまたは無視できるほどであってもよい。ただし、実際のところ、特に複数のケーブルＣが一体的に束ねられている場合は、ケーブルに厚さがあるため、距離Ｄ６は無視できない。このため、ハンガープレートアセンブリ１１２０ａから遠位方向に延びたケーブルＣの緩んだ長さに応じて、図１４Ａの引き出し状態から図１４Ｂの格納状態へとハンガープレートアセンブリ１１２０ａが遷移した場合は、第２の経路長Ｌ２が第１の経路長Ｌ１よりも大きく、ケーブルの張力が増す可能性があるため、ケーブルＣに応力が生じている可能性がある。
【００８８】
図１４Ｃ〜図１４Ｈは、ハンガープレートアセンブリが引き出し状態から格納状態に遷移した場合のケーブルＣの考え得る張力を抑制または除去するのに役立ち得るハンガープレートアセンブリ１１２０ａのさまざまな改良を示している。
【００８９】
図１４Ｃおよび図１４Ｄはそれぞれ、ケーブル支持部１１５０がハンガープレートアセンブリのプレートのうちの１つに結合された引き出し状態および格納状態のハンガープレートアセンブリ１１２０ａの非常に模式的な図である。支持部１１５０は、ハンガープレートのうちの１つに結合された第１の端部および第２の自由端部を有していてもよく、自由端部は、ケーブルＣを支持し得る丸みを帯びた先端を含んでいてもよい。図１４Ｃの引き出し状態において、支持部１１５０の自由端部は、取り付けられたハンガープレートの表面から離れる方向に第１の距離だけ延びていてもよく、図１４Ａの経路長Ｌ１よりも大きいと考えられる長さＬ１’を有する経路に沿ってケーブルＣが延びている。図１４Ｄに示す格納状態へとハンガープレートアセンブリ１１２０ａが遷移した場合、支持部１１５０の自由端部は、支持部が取り付けられたハンガープレートの表面の近くに移動するようになっていてもよい。たとえば、支持部１１５０の第１の端部は、自由端部がハンガープレート側に回転し、支持部が取り付けられたハンガープレートに平行に近づくように、ハンガープレートに対して回転可能に結合されていてもよい。別の例において、支持部１１５０は、ハンガープレートに取り付けられた支持部の端部に向かって支持部の自由端部が摺動するように、伸縮等の平行移動可能な構成を有していてもよい。この機構に関わらず、ケーブルＣの引き出し状態から格納状態への遷移時に応力または張力が増加しないように、経路Ｌ２’の長さは、経路Ｌ１’の長さと同等または略同等であるのが好ましい。
【００９０】
図１４Ｅおよび図１４Ｆはそれぞれ、延伸可能なハンガープレート１１６０がハンガープレートアセンブリに含まれる引き出し状態および格納状態のハンガープレートアセンブリ１１２０ａの非常に模式的な図である。延伸可能なハンガープレート１１６０は、図１４Ｅに示す延伸状態および図１４Ｆに示す後退状態を有していてもよい。延伸可能なハンガープレート１１６０は、第３の中心部によって一体的に結合された２つの端部を含んでいてもよく、これら２つの端部は、中心部上で互いに向かう方向および離れる方向に摺動可能である。ただし、他の機構が適している場合もある。たとえば、延伸可能なハンガープレート１１６０は、延伸状態まで伸び、解除すると後退状態まで縮み得るように、伸縮可能であってもよい。この機構に関わらず、ケーブルＣの引き出し状態から格納状態への遷移時に応力または張力が増加しないように、経路Ｌ２’’の長さは、経路Ｌ１’’の長さと同等または略同等であるのが好ましい。
【００９１】
図１４Ｇおよび図１４Ｈはそれぞれ、再位置決め可能なケーブル保持器１１３０’がハンガープレートアセンブリの終端ハンガープレート上に設けられた引き出し状態および格納状態のハンガープレートアセンブリ１１２０ａの非常に模式的な図である。再位置決め可能なケーブル保持器１１３０’は、取り付けられたハンガープレートの表面に沿って横方向に移動し得る点を除いて、本明細書に記載のケーブル保持器１１３０またはその他任意のケーブル保持器もしくはハンガーに構造が類似していてもよい。たとえば、再位置決め可能なケーブル保持器１１３０’が取り付けられたハンガープレート内にスロットが設けられていてもよく、スロットに沿って摺動し得るように、再位置決め可能なケーブル保持器の一部がスロット内に位置決めされている。図１４Ｇに示す引き出し状態において、再位置決め可能なケーブル保持器１１３０’は、長さＬ１’’’の経路に沿ってケーブルＣが延びるように、ハンガープレートアセンブリ１１２０ａの自由縁部の比較的近くに位置決めされていてもよい。ハンガープレートアセンブリ１１２０ａが格納状態に遷移すると、ケーブルＣの張力が任意に増大して、図１４Ｈに示すように、再位置決め可能なケーブル保持器１１３０’がハンガープレートアセンブリの自由縁部から離れる方向に摺動する可能性がある。図１４Ｈにおいて、再位置決め可能なケーブル保持器１１３０’の以前の位置は、点線で示していることが了解されるものとする。再位置決め可能なケーブル保持器１１３０’がハンガープレートアセンブリ１１２０ａの自由縁部に向かう方向または離れる方向に平行移動あるいは移動可能となるには、他の特定の機構が適する場合もあることが了解されるものとする。この機構に関わらず、ケーブルＣの引き出し状態から格納状態への遷移時に応力または張力が増加しないように、経路Ｌ２’’’の長さは、経路Ｌ１’’’の長さと同等または略同等であるのが好ましい。
【００９２】
図１４Ｃ〜図１４Ｈに関連して上述した改良の場合は、使用時に、実際の経路長Ｌ１’、Ｌ１’’、およびＬ１’’’が意図した対応する経路長Ｌ２’、Ｌ２’’、およびＬ２’’’よりも大きくなる可能性も考えられる。これらの改良は、実質的に等しい経路長になることを意図しているが、経路長Ｌ１’、Ｌ１’’、およびＬ１’’’は潜在的に、たとえばユーザエラーによって、対応する経路長Ｌ２’、Ｌ２’’、およびＬ２’’’よりも大きくなる可能性がある。一例において、設置ステップにおいては、ユーザが意図せず引き出し状態のケーブル経路に余分な長さを導入してしまい、ユーザエラーに起因する追加長さをＸとして、実際の経路長がＬ１’＋Ｘ、Ｌ１’’＋Ｘ、またはＬ１’’’＋Ｘとなる場合もある。この状況において、格納状態に遷移すると、ケーブルは、ユーザによりシステムに導入された余分な長さＸのため、不要な緩みを呈する可能性もある。その結果、実際の経路長Ｌ１’、Ｌ１’’、およびＬ１’’’は、Ｘに等しい長さだけ、意図した対応する経路長Ｌ２’、Ｌ２’’、およびＬ２’’’よりも大きくなる可能性がある。この格納状態のケーブルＣの余分な緩みにより、ケーブルがケーブル保持器１１３０から滑り落ちる可能性もある。この可能性を防ぐため、支持部１１５０、延伸可能なハンガープレート１１６０、およびケーブル保持器１１３０’に張力または付勢要素が設けられ、支持要素１１５０が図１４Ｃに示す位置に付勢（たとえば、バネ付勢）され、延伸可能なハンガープレート１１６０が図１４Ｅに示す位置に付勢（たとえば、バネ付勢）され、ケーブル保持器１１３０’が図１４Ｇに示す位置に付勢（たとえば、バネ付勢）されるようになっていてもよい。この構成により、図１４Ｃ、図１４Ｅ、および図１４Ｇに示す対応する引き出し状態においては、張力がほとんどない状態またはまったくない状態で、ケーブルＣがハンガープレートアセンブリ１１２０ａにより支持されていてもよい。図１４Ｄ、図１４Ｆ、および図１４Ｈに示す対応する格納状態へとユーザがハンガープレートアセンブリ１１２０ａを移動させると、支持部１１５０、延伸可能なハンガープレート１１６０、またはケーブル保持器１１３０’に与えられた付勢によって、ケーブルに小さな張力が加わり、ケーブルがハンガープレートアセンブリの近くに固定・位置決めされたままとするのに役立ち得る。言い換えると、ハンガープレートアセンブリが引き出し状態の場合の最初にユーザが別のことで形成した可能性があるケーブルＣの如何なる緩みも、支持要素１１５０、延伸可能なハンガープレート１１６０、またはケーブル保持器１１３０’の付勢力によって、一部または全部が格納状態で除去されるようになっていてもよい。如何なる緩みも除去され得るが、ケーブルが損傷を受けることのないように、この付勢力は小さいのが好ましいことが了解されるものとする。
【００９３】
潜在的にケーブルの機械的応力または破損となる張力のほか、ケーブルの曲げによって別途、光信号の損失が生じる可能性がある。図１５Ａ〜図１５Ｄは、本開示のさらに別の態様に係る、パッチパネルシステム１２００を示している。以下により詳しく説明する利点の中でもとりわけ、パッチパネルシステム１２００は、ケーブル格納時のケーブルへの応力または張力の回避と、光信号の損失を生じ得るケーブルの曲げ量の制限とを同時に行うことができる。
【００９４】
図１５Ａは、保守状態のハンガープレートアセンブリ１２２０ａ、１２２０ｂを備えたパッチパネルシステム１２００の斜視図である。パッチパネルシステム１２００は、ハウジング１２０２を具備していてもよい。図示の実施形態において、ハウジング１２０２は、実質的に円筒形状であってもよい。図示のように、ハウジング１２０２は、完全に閉じた円筒を構成するのではなく、円筒の一部の形状を有する閉塞部を含んでおり、内部に格納されたカセット１２１０およびケーブルＣへのアクセスを可能にする開放近位面を有する。ハウジング１２０２は、垂直配置で積層された複数のスロットを具備していてもよく、各スロットは、スロットと摺動係合したトレイまたはカセット１２１０を保持するように構成されているが、実際のところは、すべてのスロットに必ずしもカセット１２１０が受容されていなくてもよい。カセット１２１０は、垂直方向に積層された構成で、上述のカセット１０１０と実質的に類似していてもよいが、図１５Ａにはカセットを１つだけ図示している。カセット１２１０は、本明細書に記載の他のカセットとの比較により、円筒形状ハウジング１２０２により良く嵌合するように改良可能である一方、カセット１０１０等の他のカセットは、矩形ハウジングに受容されるように構成されている。ただし、カセット１２１０は、その特定の形状以外にも、上述のカセットと同様または同一であってもよい。
【００９５】
パッチパネルシステム１２００は、接続されたケーブルＣの管理を補助するため、枢動可能なハンガープレートアセンブリ１２２０ａ、１２２０ｂを具備する。ハンガープレートアセンブリ１２２０ａは実質的に、ハンガープレートアセンブリ１２２０ｂの鏡像であってもよいが、そうではなくて、同一または略同一であってもよい。したがって、以下では、ハンガープレートアセンブリ１２２０ａのみを詳しく説明する。ハンガープレートアセンブリ１２２０ａは、ハンガープレート１２２１を具備していてもよく、これは、ハウジング１２０２に枢動可能に結合された第１の縁部および当該第１の縁部の反対の第２の自由縁部を有する単一の湾曲プレートであってもよい。ハンガープレート１２２１は、単一の湾曲プレートとして示しているが、上述の他のハンガープレートアセンブリと同様に、一体的に結合された複数のプレートで構成されていてもよい。ハウジング１２０２に結合されたハンガープレート１２２１の第１の縁部近くのハンガープレートの内側面上には、複数のハンガー１２２３が位置決めされていてもよい。ハンガー１２２３は、ケーブルＣが載り得る少なくとも１つの実質的に平坦な表面を有することを含めて、上述のハンガーのいずれかに構造が類似していてもよい。各ハンガー１２２３は、カセット１２１０（あるいは、ハウジング１２０２内の対応するスロット）と関連付けられているのが好ましい。例示的なカセット１２１０を図１５Ｂに示す。ハンガー１２２３のほか、好ましくは垂直方向に位置合わせされた構成で、ハンガープレート１２２１の内面上に複数のケーブル保持器１２３０が位置決めされていてもよい。ケーブル保持器１２３０は、ケーブル保持器１１３０と実質的に同様または同一であってもよく、ハンガープレート１２２１の第２の縁部近くに位置決めされているのが好ましい。また、ハンガープレート１２２１は、ケーブルＣがハンガープレートアセンブリ１２２０ａを通過してパッチパネルシステム１２００から退出し得る複数の窓Ｗを具備していてもよい。図示の実施形態において、各窓Ｗは、ハンガー１２２３とハウジング１２０２に対して枢動可能に結合されたハンガープレートの第１の縁部との間のハンガープレート１２２１の上縁または底縁において垂直スロットとして形成されている。ただし、窓Ｗは、他の形状、位置であってもよく、より多くの窓またはより少ない窓が設けられていてもよいことが了解されるものとする。たとえば、図１８は、ハンガー１２２３’とケーブル保持器１２３０’との間のハンガープレート１２２１’の上縁および底縁に窓Ｗ’が形成された点を除き、すべての点においてパッチパネルシステム１２００と同一であるパッチパネルシステム１２００’を示している。
【００９６】
図１５Ａに示すように、ケーブルＣは、カセット１２１０上のコネクタの前方または後方から、対応するハンガー１２２３上を通ってその上に載り、１つまたは複数のケーブル保持器１２３０に巻き付き、別のハンガー上を通ってその上に載り、ハウジング１２０２内の異なる垂直位置のカセットの前方または後方でコネクタに接続されていてもよい。あるいは、一部のケーブルＣは、窓Ｗのうちの１つを通過し、パッチパネルシステム１２００の外側の別個のコンポーネントに接続されていてもよい。ハンガープレートアセンブリ１２２０ａ、１２２０ｂが図１５Ａに示す開放または保守状態の場合に、ユーザがパッチパネルシステム１２００のケーブルＣの保守を実行するようにしてもよい。保守が完了した場合、ユーザは、ハウジング１２０２の開放面に向かってハンガープレートアセンブリ１２２０ａ、１２２０ｂを回転させるようにしてもよく、これは、格納または設置状態と称する場合もあり、図１５Ｃおよび図１５Ｄに示す。格納状態においては、ハンガープレートアセンブリ１２２０ａ、１２２０ｂの一方が少なくとも部分的に、他方のハンガープレートアセンブリを覆っていてもよい。これにより、ハウジング１２０２およびハンガープレートアセンブリ１２２０ａ、１２２０ｂは一体的に、実質的な円筒形状を有していてもよく、ケーブルＣの大部分がハンガープレートアセンブリの一方または両方の背後に隠れて保護されている。２つのハンガープレートアセンブリ１２２０ａ、１２２０ｂを示しているが、単一のハンガープレートアセンブリでも十分であり、格納状態においては、ハウジング１２０２の開放面のほとんどまたは全体を覆うように寸法規定されているのが好ましいことが了解されるものとする。
【００９７】
パッチパネルシステム１２００のハンガープレートアセンブリ１２２０ａ、１２２０ｂが図１５Ａに示す保守または開放状態の場合、ケーブルＣには、最大レベルの応力または張力が加わる可能性がある。パッチパネルシステム１２００のハンガープレートアセンブリ１２２０ａ、１２２０ｂが図１５Ｃおよび図１５Ｄに示す設置または格納状態の場合、ケーブルＣには、最小レベルの応力または張力が加わる可能性がある。パッチパネルシステム１２００のハンガープレートアセンブリ１２２０ａ、１２２０ｂが格納状態の場合、パッチパネルシステム１２００は、ケーブルＣへの張力の発生およびケーブルＣの折り返しまたは曲げの程度および度合いの制限を行えるのが好都合である。図１６Ａおよび図１６Ｂは、ハンガープレートが格納／設置状態の場合のパッチパネルシステム１１００および１２００の要点をそれぞれ示した上面切り欠き図である。特に、パッチパネルシステム１１１０のハンガープレート１１２０ａが格納状態の場合、ハンガープレートアセンブリ１１２０ａのヒンジの最も近くに接続されたケーブルは、角度α１まで曲がって、０°に近づく可能性がある。ハンガープレートアセンブリ１１２０ａのヒンジから最も遠くに接続されたケーブルは、角度α２まで曲がって、９０°に近づく可能性がある。比較上、パッチパネルシステム１２００のハンガープレート１２２０ａの格納状態において、ヒンジの最も近くに接続されたケーブルは、およそ４５°以上の角度α４まで曲がる可能性があり、ヒンジから最も遠くに接続されたケーブルは、角度α３まで曲がって、１３５°に近づく可能性がある。パッチパネルシステム１２００の格納状態においてケーブルの張力低減および曲げ角度の最小化を可能とすることにより、光信号の損失およびケーブルＣの機械適応力が回避可能であると都合が良い。
【００９８】
パッチパネルシステム１２００のハンガープレートアセンブリ１２２０ａ、１２２０ｂと同様にハンガープレートアセンブリが回転するように、パッチパネルシステム１０００および１１００等、本明細書に記載の他のパッチパネルシステムを改良可能であることが了解されるものとする。言い換えると、図示の通り反対方向にハンガープレートが回転して、格納状態ではハンガープレートアセンブリが少なくとも部分的に各ハウジングの開放面を覆って、ケーブルの応力および／または曲げが少なくなるように、パッチパネルシステム１０００および１１００を改良可能である。この種の改良の別の利点として、ハンガープレートの格納または設置状態においては、ケーブルＣの大部分がユーザに見えない。このような状況は、より直感的であり、ユーザは、（たとえば、ケーブルが露出しているために）各パッチパネルシステムが保守の状態であるタイミングおよび（たとえば、ケーブルが隠れているために）パッチパネルシステムが格納の状態であるタイミングをより簡単に識別し得る。
【００９９】
格納状態の場合にパッチパネルシステム１２００を実質的な円筒形状にすることによって、別の利点も考えられる。たとえば、パッチパネルシステム１２００は、任意適当な環境で使用することも可能ではあるが、地下環境での使用が特に適している可能性がある。たとえば、さまざまな規制上または環境上の理由により、パッチパネルシステムの地上への位置決めまたは地上構造体への搭載が可能でない場合または許可されない場合がある。このような状況においては、パッチパネルシステムを地下に収容することが許容される可能性がある。パッチパネルシステムが地下に収容された場合は、パッチパネルシステムに損傷を及ぼし得る水分等の環境状態からシステムの内部を封止するのが特に重要と考えられる。パッチパネルシステム１２００の円筒形状は、このような保護環境を促進する別の構造体との併用に適する可能性がある。たとえば、図１７に示すように、パッチパネルシステム１２００は、主カバー１２８０およびカバーキャップ１２９０を具備したより大型のシステムの一部であってもよい。図示のように、主カバー１２８０は、パッチパネルシステム１２００のハウジング１２０２上に摺動可能な中空内部を備えた実質的に中実の円筒状部材であってもよい。カバーキャップ１２９０は、円筒状で、外部ネジ等の嵌め合い機構を具備することにより、たとえば水密に主カバー１２８０と結合するようになっていてもよい。この被覆システムであれば、ハンガープレートが設置状態の場合にパッチパネルシステム１２００を高度に保護可能であり、ハウジングは、主カバー１２８０および当該主カバーに固定されたキャップ１２９０によって覆われる。
【０１００】
図１９Ａ〜図１９Ｄは、ハンガープレートが開放または保守状態の分解されたパッチパネルシステム１３００のさまざまな分解斜視図である。図２０Ａ〜図２０Ｄは、同じくハンガープレートが保守状態で組み立てられた状態の図１９Ａ〜図１９Ｄに対応する図である。図１９Ａのパッチパネルシステムは、パッチパネルシステム１２００に大略類似していてもよく、断面厚がおよそ２ｍｍ〜およそ７ｍｍでアルミニウム等の金属を含み得る支持フレーム１３０２を具備していてもよい。支持フレーム１３０２の厚さは、使用する特定の金属によって決まり、支持フレームがアルミニウムで形成されている場合は、およそ３ｍｍ〜およそ５ｍｍであってもよく、およそ４ｍｍを含む。フレーム１３０２は、単一の一体片または結合された複数片で形成されていてもよく、１つまたは複数の側壁１３０４、上部１３０６、および／または底部１３０８を含んでいてもよい。フレーム１３０２は、ハウジングを構成していてもよいし、垂直配置で積層された複数のスロットを具備し、スロットと摺動係合したトレイまたはカセット１３１０を保持するように各スロットが構成されているが、実際のところは、すべてのスロットに必ずしもカセット１３１０が受容されていなくてもよいハウジングまたは内側シャーシを覆っていてもよい。カセット１３１０は、カセット１２１０または本明細書に記載のその他のカセットのいずれかと実質的に類似していてもよい。一実施形態においては、パッチパネルシステム１３００内のすべてのコンポーネントがフレーム１３０２に搭載および／または結合されていてもよく、フレーム１３０２は、パッチパネルシステム１３００全体の共通接地要素として機能し得るように、パッチパネルシステム１３００内のコンポーネントのうちの１つまたは複数の接地要素に対して電気的に結合されていてもよい。フレームは、ハンドルとして作用するとともに、フレーム上でカバー１２８０に類似する保護キャップを案内するのに役立ち得る上部を含んでいてもよい。
【０１０１】
パッチパネルシステム１３００は、接続されたケーブルＣの管理を補助するため、多くの点においてハンガープレートアセンブリ１２２０ａおよび１２２０ｂに類似し得る枢動可能なハンガープレートアセンブリ１３２０ａおよび１３２０ｂを具備していてもよい。いくつかの実施形態において、ハンガープレートアセンブリ１３２０ａおよび１３２０ｂは、互いに実質的な鏡像であってもよい。ただし、図示の実施形態において、ハンガープレートアセンブリ１３２０ａおよび１３２０ｂは、少なくともいくつかの相違点を有していてもよい。
【０１０２】
ハンガープレートアセンブリ１３２０ａは、ハンガープレート１３２１ａを具備していてもよく、これは、フレーム１３０２の第１の側壁１３０４に枢動可能に結合された第１の縁部および当該第１の縁部の反対の第２の自由縁部を有する単一の湾曲プレートであってもよい。ハンガープレート１３２１ａは、単一の湾曲プレートとして示しているが、上述の他のハンガープレートアセンブリと同様に、一体的に結合された複数のプレートで構成されていてもよい。フレーム１３０２に結合されたハンガープレート１３２１ａの第１の縁部近くのハンガープレートの内側面上には、複数のハンガー１３２３ａが位置決めされていてもよい。ハンガー１３２３ａは、ケーブルＣが載り得る少なくとも１つの実質的に平坦な表面を有することを含めて、上述のハンガーのいずれかに構造が類似していてもよい。各ハンガー１３２３ａは、カセット１３１０（あるいは、パッチパネルシステム１３００内の対応するスロット）と関連付けられているのが好ましい。ハンガー１３２３ａのほか、好ましくは垂直方向に位置合わせされた構成で、ハンガープレート１３２１ａの内面上に複数のケーブル保持器１３３０ａが位置決めされていてもよい。ケーブル保持器１３３０ａは、ケーブル保持器１１３０と実質的に同様または同一であってもよく、垂直方向に延びた第１の群および水平方向に延びた第２の群を含んでいてもよく、たとえば、第１の群は、第２の群に対しておよそ９０°で延びている。また、たとえば図２０Ｂに示すように、ハンガープレート１３２１ａは、ケーブルＣがハンガープレートアセンブリ１３２０ａを通過してパッチパネルシステム１３００から退出し得る１つまたは複数の凹部または窓Ｗを具備していてもよい。図示の実施形態において、窓Ｗは、フレーム１３０２に対して枢動可能に結合されたハンガープレートの第１の縁部近くのハンガープレート１３２１ａの上縁および底縁において水平凹部として形成されている。ただし、窓Ｗは、他の形状、位置であってもよく、より多くの窓またはより少ない窓が設けられていてもよいことが了解されるものとする。たとえば、図示の実施形態において、凹部は、ハンガープレート１３２１ａの第２の縁部の上部および底部に設けられていてもよく、窓Ｗと同一または同様の機能を実行可能であってもよい。
【０１０３】
いくつかの実施形態において、ハンガープレートアセンブリ１３２０ｂは、ハンガープレートアセンブリ１３２０ａの鏡像であってもよいが、図示の実施形態において、ハンガープレートアセンブリ１３２０ｂは、いくつかの相違点を有していてもよい。ハンガープレートアセンブリ１３２０ｂは、ハンガープレート１３２１ｂを具備していてもよく、これは、フレーム１３０２の第２の側壁１３０４に枢動可能に結合された第１の縁部および当該第１の縁部の反対の第２の自由縁部を有する単一のプレートであってもよい。ハンガープレート１３２１ｂは、単一のプレートとして示しているが、上述の他のハンガープレートアセンブリと同様に、一体的に結合された複数のプレートで構成されていてもよい。ハンガープレート１３２１ａは（凸状の外面および凹状の内面を有する）湾曲したものとして示しているが、ハンガープレート１３２１ｂは、実質的に平面状であってもよい。図示の構成により、動作時には、ハンガープレートアセンブリ１３２０ａ、１３２０ｂの設置状態において、ハンガープレート１３２１ｂがカセット１３１０とハンガープレート１３２１ａとの間に位置決めされているのが好ましい。言い換えると、パッチパネルシステム１３００のハンガープレートアセンブリ１３２０ａ、１３２０ｂが保守状態から設置状態に遷移する場合は、ハンガープレート１３２１ｂが最初に閉じられた後、ハンガープレート１３２１ａが２番目に閉じられる。フレーム１３０２に結合されたハンガープレート１３２１ｂの第１の縁部近くのハンガープレートの内側面上には、複数のハンガー１３２３ｂが位置決めされていてもよい。ハンガー１３２３ｂは、ケーブルＣが載り得る少なくとも１つの実質的に平坦な表面を有することを含めて、上述のハンガーのいずれかに構造が類似していてもよい。各ハンガー１３２３ｂは、カセット１３１０（あるいは、パッチパネルシステム１３００内の対応するスロット）と関連付けられているのが好ましい。ハンガー１３２３ｂのほか、好ましくは垂直方向に位置合わせされた構成で、ハンガープレート１３２１ｂの内面上に複数のケーブル保持器１３３０ｂが位置決めされていてもよい。ケーブル保持器１３３０ｂは、ケーブル保持器１１３０と実質的に同様または同一であってもよく、また、垂直方向に延びていてもよい。また、ハンガープレート１３２１ｂは、ケーブルＣがハンガープレートアセンブリ１３２０ｂを通過してパッチパネルシステム１３００から退出し得る１つまたは複数の凹部または窓Ｗを具備していてもよい。図示の実施形態において、窓Ｗは、側壁１３０４に結合されたハンガープレート１３２１ｂの縁部の上部または底部でスロットとして形成されている。ただし、窓Ｗは、他の形状、位置であってもよく、より多くの窓またはより少ない窓が設けられていてもよいことが了解されるものとする。ハンガープレート１３２１ｂの上部および／または底部は、ユーザが把持してハンガープレート１３２１ｂを位置決めするのを容易化するハンドルＨとして機能し得る水平スロットを含んでいてもよい。
【０１０４】
パッチパネルシステム１３００は、１つまたは複数のサイドハンガー１３４０ａおよび１３４０ｂをさらに具備していてもよい。サイドハンガー１３４０ａおよび１３４０ｂは、金属で形成されているのが好ましいが、他の材料も適していると考えられる。図示の実施形態においては、ハンガーアセンブリ１３２０ａに隣接する第１の側壁１３０４に一方のサイドハンガー１３４０ａが搭載され、ハンガーアセンブリ１３２０ｂに隣接する第２の側壁１３０４に別のサイドハンガー１３４０ｂが搭載されている。サイドハンガー１３４０ａおよび１３４０ｂを図２１Ａおよび図２１Ｂに分けて示す。サイドハンガー１３４０ａおよび１３４０ｂはいずれも、対応する側壁１３０４から離れる方向に実質的に直交して延びる複数の第１の延伸部材１３４１ａおよび１３４１ｂを具備するとともに、対応する側壁に対して実質的に平行に延びる先端を含んでいてもよい。第１の延伸部材１３４１ａおよび１３４１ｂは、塊状にグループ化されていてもよく、延伸部材の先端が塊の中心から離れる方向に延びている。図示の実施形態においては、サイドハンガー１３４０ａが一塊の４つの延伸部材１３４１ａを含み、サイドハンガー１３４０ｂが二塊の４つの延伸部材１３４１ｂを含むが、他の実施形態においては、延伸部材の数および位置が異なっていてもよいことが了解されるものとする。また、サイドハンガー１３４０ａおよび１３４０ｂはいずれも、対応する側壁１３０４から離れる方向に実質的に直交して延びる複数の第２の延伸部材１３４２ａおよび１３４２ｂを具備するとともに、対応する側壁に対しては実質的に平行であるが、延伸部材１３４１ａおよび１３４１ｂの先端と反対方向に延びる先端を含んでいてもよい。この構成により、パッチパネルシステム１３００に出入りするケーブルＣは、一塊の第１の延伸部材１３４１ａおよび１３４１ｂの周りを通って配線されていてもよく、対応する第２の延伸部材１３４２ａおよび１３４２ｂによって少なくとも部分的に囲まれていてもよく、たとえば図２０Ｃおよび図２０Ｄに示すように、ケーブルＣを適所に保つのに役立つ。
【０１０５】
パッチパネルシステム１３００は、フレーム１３０２の底辺１３０８が搭載されたベース１３９０を含んでいてもよい。ベース１３９０は、実質的に円形で、システムが組み立てられた場合にハンガープレートアセンブリ１３２０ａに隣接するフレーム１３０２の側壁１３０４に隣接するように位置決めされた１つまたは複数のポート１３９１ａと、システムが組み立てられた場合にハンガープレートアセンブリ１３２０ｂに隣接するフレーム１３０２の側壁１３０４に隣接するように位置決めされた１つまたは複数のポート１３９１ｂとを具備していてもよい。図示の実施形態において、ベース１３９０は、フレームの両側でパッチパネルシステム１３００にそれぞれ出入りするケーブルの２つのポート１３９１ａおよび２つのポート１３９１ｂを具備していてもよいが、他のポート数および位置も適していると考えられる。いくつかの実施形態において、ベース１３９０は、金属で形成されていてもよい。
【０１０６】
他の実施形態においては、ベース１３９０がプラスチックで形成され、金属ボルトによりフレーム１３０２に取り付けられて、パッチパネルシステム１３００の接地を補助するのが好ましいと考えられる。たとえば、図２１Ｃに示すように、ベース１３９０は、ナット１３９３等の定着部材によりフレーム１３０２の底部１３０８の対応する孔を通って固定可能なボルト１３９２の形態の複数の雄−雄コネクタを含んでいてもよい。他の実施形態においては、図２１Ｄに示すように、ベース１３９０は、フレーム１３０２の底部１３０８をベース１３９０に固定するのに利用可能な１つまたは複数の雌−雌コネクタ１３９４を含んでいてもよい。フレーム１３０２のベース１３９０への結合には、他の適当な機構が用いられるようになっていてもよいことが了解されるものとする。たとえば、図２１Ｅに示すように、ナット１３９３を装着可能な第１のネジ端をボルト１３９２が有していてもよい。ボルト１３９２の第２の端部には、図示のようにヘッドを含んでいてもよいし、あるいは、ボルトの第１の端部に類似する別のナットを装着していてもよい。Ｏリング１３９９等の１つまたは複数のガスケットがボルト１３９２とベース１３９０との間の境界をなしていてもよい。図示の例において、Ｏリング１３９９は、ベース１３９０の凹部内かつボルト１３９２の軸周りに位置決めされている。Ｏリング１３９９等のガスケットは、特にボルトおよびベースの熱膨張係数が異なる場合に、ベース１３９０、ボルト１３９２、および／またはフレーム１３０２間の封止を容易にし得る。このような場合、Ｏリング１３９９は、温度変化に際してボルト１３９２がベース１３９０と異なる速度で膨張する場合に封止を維持するのに役立ち得る。金属ボルトを使用すると、ボルトがフレーム１３０２に対して導電結合されるため、パッチパネルシステム１３００全体の外部アクセス可能な接地要素がもたらされ得る。
【０１０７】
図２１Ｆは、図示の明瞭化のため他のコンポーネントが省略された状態でベース１３９０に結合されたフレーム１３０２の部分の拡大図である。いくつかの実施形態において、フレーム１３０２の底部１３０８は、フレームの側壁１３０４と一体化していてもよい。ただし、図示の実施形態において、フレーム１３０２の底部１３０８および側壁１３０４は、別個の部分として形成され、締結具１３０５で一体的に結合されており、これは、ロックワッシャを備えた金属ボルトであってもよいが、他の締結具も適当と考えられる。側壁１３０４への取り付けも含めて、カセット１３１０を支持可能な１つまたは複数のシェルフまたはリブ１３０７がフレーム１３０２の内部に設けられていてもよい。また、１つまたは複数のブラケット１３１２（たとえば、各側壁１３０４に１つ）がフレーム１３０２に結合され、出入りするケーブルＣまたはケーブル群の固定を補助するとともに、フレーム１３０２から延びた接地要素を提供していてもよい。ブラケット１３１２は、フレーム１３０２と一体化していてもよいし、フレーム１３０２に別個に取り付けられていてもよい。ブラケット１３１２には、ポート１３９１ｂを通過した外側ケーブルシースＣＳが圧着あるいは固定されていてもよい。ブラケット１３１２には、外側ケーブルシースＣＳの内部のバッファチューブＢＴが圧着あるいは固定され、また、外側ケーブルシースＣＳ内の内側ケーブルＣが別個に、たとえば圧着によって一体的に固定されていてもよい。ケーブルＣの束に接地導体ＧＣが含まれる場合、当該接地導体ＧＣは、たとえば圧着によって、ブラケット１３１２に別個に固定されていてもよい。接地導体ＧＣを使用の場合は、カバー１３８０が導電性であればそれも含めて、パッチパネルシステム１３００を接地するように機能し得る。接地導体ＧＣが用いられる場合、ブラケット１３１２は、金属または別の導電性材料で形成されるのが好ましい。ケーブルＣのブラケット１３１２への接続は、ベース１３９０のポート１３９１ｂを通過するケーブルＣに加わる引っ張り力への対抗に役立ち得る。
【０１０８】
図２１Ｇは、図２１Ｆに示すようなケーブルのケーブルシースＣＳ等のケーブルシースからベース１３９０および／またはポート１３９１ｂの他の部分まで延びたシールの形成に使用できる例示的なガスケット６０００を示しているが、ガスケット６０００は、ケーブルから本明細書に記載の通りケーブルが通過し得るその他任意の構造体まで延びたシールの形成に用いられるようになっていてもよいことが了解されるものとする。図示の実施形態において、ガスケット６０００は、ケーブルシースＣＳ中のケーブルを含めて、ケーブルを受容する開口が通過した実質的な円筒状であってもよい。ガスケットは、当該ガスケット６０００の長手方向の長さに沿って延びたスリット等の１つまたは複数の側部開口を含むことにより、ガスケットの外側の位置からガスケット内の位置までケーブルをより簡単に通過させるようにしてもよい。ガスケット６０００は、軟質ゴムの管類で形成されるのが好ましいものの、他の材料、特にエラストマー材料が使用に適している場合もある。さらに、中心開口およびガスケットの長手方向の長さに沿って延びたスリットを備えた円筒としてガスケット６０００を図示しているが、ガスケットが位置決めされることになる容積の形状に応じて、他の形状が適当であってもよい。
【０１０９】
図２１Ｈは、ケーブルシースＣＳがポート１３９１ｂを通過するベース１３９０内に使用したガスケット６０００の断面図である。ガスケット６０００は、実質的に円筒形状を有していてもよいが、ポート１３９１ｂ内の位置では、圧縮されて変形することにより、位置決めされた容積を実質的に満たしていてもよいことが了解されるものとする。また、図２１Ｈは、大略円筒状、円錐状、または円錐台状で、ケーブルシースＣＳが通過可能な中心開口を含み、ポート１３９１ｂの雌ネジ６００４等の対応する内部嵌め合い機構と係合する雄ネジ６００６等の嵌め合い機構を含み得る張力緩和部材６００２を示している。張力緩和部材６００２は、ケーブルシースが張力緩和部材の隣接または離隔位置で側方に引っ張られた場合または曲げられた場合にケーブルシースＣＳ内のケーブルに作用する張力を防止または抑制するのに役立ち得る。ポート１３９１ｂに隣接するベース１３９０の底面上には、１つまたは複数の回転ストッパまたはロッカー６００８が位置決めされ、張力緩和部材６００２が意図せず回転してベース１３９０から隔離または分離してしまう可能性の低減に役立ち得る。ガスケット６０００の潜在的な利点として、ガスケット６０００が与えるシールは、本明細書に記載の他のシールと比較して、ベース１３９０とガスケット６０００との間の熱膨張係数の差に対する感度が低いと考えられる。たとえば、環境の温度が変化した場合、ベース１３９０およびガスケット６０００の温度の変化によって、ガスケットが与えるシールの有効性が大幅に低下することはないと考えられる。
【０１１０】
図２１Ｉは、図２１Ｈに示したものの代替となるポート１３９１ｂ中のガスケット６０００を示している。特に、実質的にポート１３９１ｂの長手方向の長さだけ延びて、ケーブルシースＣＳとベース１３９０の内部とを良好に封止するのに役立つ長さを有するガスケット６０００を提供するのが好ましいと考えられる。ベース１３９０の雌ネジ６００４は、ベース１３９０の底面のその他の部分の下方に延びた延伸部材上に設けられ、図２１Ｈに示したものよりも長手方向の長さが大きなガスケット６０００を使用可能であり、より良好な封止を可能にし得る。
【０１１１】
いくつかの状況において、ガスケット６０００等のガスケットは、時間とともに弾性を失い、時間とともに封止手段としての有効性が低下する可能性もある。このような弾性の損失を補償するため、ガスケット６０００は、１つまたは複数の付勢要素６０１０と併せて用いられるようになっていてもよい。たとえば、図２１Ｊに示すように、ガスケット６０００の底面と張力緩和部材の上面との間には、２つの付勢部材６０２０が位置決めされていてもよい。最初の載置に際して、付勢部材６０２０は、大きく圧縮されていてもよい。時間とともに、ガスケット６０００が弾性を失い始めると、付勢部材６０２０が延び始めてガスケット６０００への圧力を維持することにより、ガスケット６０００が弾性を失っても封止を維持するのに役立ち得る。図２１Ｊには、２つの付勢部材６０２０を示しているが、使用する付勢部材は、これより多くてもよいし、少なくてもよいことが了解されるものとする。さらに、付勢部材６０２０は、コイルバネとして示しているが、その他任意の適当な形態であってもよく、また、他の位置に設けられていてもよい。たとえば、図２１Ｋでは、２つの部分に分割されたものとしてガスケット６０００を示しており、２つの部分のガスケット６０００間に２つの付勢部材６０２０が位置決めされて、時間とともにガスケット６０００の各部分が弾性を失った場合に封止を維持するのに役立つ。一方、図２１Ｌは、ガスケット６０００の上部およびポート１３９１ｂの上面の内部に接触するように位置決めされた２つの付勢部材６０２０を示している。図２１Ｌの付勢部材６０２０の機能は、上述のものと同じである。別の実施形態においては、図２１Ｍに示すように、ガスケット６０００の内側に任意所望の配向で１つまたは複数の付勢部材６０２０が位置決めされているため、時間とともにガスケット６０００が弾性を失い始めた場合に、付勢部材６０２０が損失を補償するとともに、ガスケット６０００が与える封止を維持するのに役立ち得る。
【０１１２】
図１９Ａ〜図２０Ｄ、特に、図１９Ｃ、図１９Ｄ、図２０Ｃ、および図２０Ｄを再び参照して、パッチパネルシステム１３００は、電子機器、センサ、および／または別のケーブルコネクタコンポーネントの格納に使用可能な後側筐体またはカートリッジ１３１４を具備していてもよい。図２０Ｃは、フレーム１３０２に対する回転によってアクセス可能となるように、後側カートリッジ１３１４がフレーム１３０２にヒンジ搭載されていてもよいことを示している。たとえば、後側カートリッジ１３１４は、上端がフレーム１３０２の後部から離れる方向Ｄ１に回転するように底端近くでヒンジ動作するようになっていてもよいし、底端がフレーム１３０２の後部から離れる方向Ｄ２に回転するように上端近くでヒンジ動作するようになっていてもよい。図２０Ｃを参照して、カートリッジ１３１４は、実質的に閉じた内部空間がハウジングの後部に規定されるように、ハウジングの後部に対向した格納状態であってもよい。また、カートリッジ１３１４がフレームに対して回転し、カートリッジ１３１４の内部にアクセス可能な状態となった場合、カートリッジおよびハウジングの後部は、ハウジングの後部において、実質的に開放された内部空間を規定していてもよい。他の機構によっても、カートリッジの内部にアクセス可能となるようにカートリッジ１３１４が移動し得ることが了解されるものとする。たとえば、カートリッジが単一平面内で移動しながら左右方向に摺動し得るように、後側カートリッジ１３１４の上部および／または底部がパッチパネルシステム１３００のコンポーネントに摺動接続されていてもよい。他の実施形態においては、カートリッジが単一平面内に残ったまま左右いずれかに回転し得るように、たとえばコーナーヒンジによって、カートリッジ１３１４がフレーム１３０２に結合されていてもよい。単一平面における（たとえば、上述の摺動機構またはコーナーヒンジによる）カートリッジ１３１４の移動または回転は、以下により詳しく説明する二重パッチパネルシステムに特に適すると考えられる。
【０１１３】
また、パッチパネルシステム１３００は、パッチパネルシステム１２００のカバー１２８０に類似するカバー１３８０を具備していてもよいが、両カバーはある面で異なっていてもよい。カバー１３８０は、実質的にドーム状であってもよく、当該カバーの横断面を図２２Ａに示す。図２２Ａに示すように、カバー１３８０は、当該カバー１３８０の内部の底部からカバーの上部に向かって垂直方向に延びたガイドスロット１３８２を含んでいてもよい。ガイドスロット１３８２は、１つだけ示しているが、カバーの内部の直径方向対向部分に２つのガイドスロット１３８２が含まれるのが好ましいことが了解されるものとする。さらに、ガイドスロット１３８２は、カバーの内部の上部に向かってある距離だけ延びた狭隘部へと先細りになるカバーの底縁近くに比較的広い窪みを備えた局所凹部の形態であってもよい。ガイドスロット１３８２は、単一の配向または限定数の配向のうちの１つでフレーム１３０２上に嵌合するようにカバー１３８０を制限するのに役立ち得る。たとえば、フレーム１３０２の上部１３０６には、内側ハウジングまたはシャーシの上面からある離隔距離の相対的に直線状または平坦状の部分と、フレーム１３０２の側壁１３０４を越えて延びた２つの端部とを含んでいてもよい。図２２Ａに示すように、各ガイドスロット１３８２は、フレーム１３０２の上部１３０６の端部のうちの１つを受け入れるようにサイズ規定されていてもよいため、フレーム１３０２の上部１３０６の端部がガイドスロット１３８２内にある場合は、カバー１３８０がフレーム１３０２に対して回転不可能となる。カバー１３８０の底縁近くのガイドスロット１３８２の比較的広い部分は、フレーム１３０２の上部１３０６の端部に対してガイドスロット１３８２を適正に配向させることを補助し得る。上述の通り、フレーム１３０２の上部１３０６の端部は、フレーム１３０２の側壁１３０４を越えて延びていてもよい。この構成により、カバー１３８０がフレーム１３０２を囲む場合は、図２２Ｂに示すように、フレーム１３０２の側壁１３０４とカバー１３８０の内部壁との間に間隙空間が維持されることになる。このため、カバー１３８０の外側に何かが意図せず当たった場合、この間隙空間は、カバー１３８０により覆われたコンポーネントを付加的に保護し得る。また、フレーム１３０２の上部１３０６の直線部は、内側ハウジングまたはシャーシの上部の上方に離隔して、ユーザがフレーム１３０２の上部１３０６をハンドルとして利用できるように、便利な把持領域を提供していてもよい。カバー１２８０およびベース１２９０と同様に、カバー１３８０およびベース１３９０は、以下により詳しく説明するラッチ機構によって促進され得るパッチパネルシステム１３００の水密をもたらすようになっていてもよい。特に外部環境状態によってシステム１３００の内部コンポーネントが損傷を受ける可能性がない場合は、カバー１２８０が省略されていてもよく、ハンガープレートアセンブリ１３２０ａ、１３２０ｂが格納状態の場合に内部コンポーネントを保護するように機能することが了解されるものとする。カバー１３８０が省略された場合は、システム１３００の側部および後部を保護する他の構造体が設けられ、システム１３００の前部がハンガープレートアセンブリ１３２０ａ、１３２０ｂによって保護されるようになっていてもよいことが了解されるものとする。
【０１１４】
ハンガー１２２３に類似するハンガー１３２３ａ、１３２３ｂを各ハンガープレート１３２１ａ、１３２１ｂの内側に具備するパッチパネルシステム１３００を示したが、この追加または代替として、他種のハンガーが用いられるようになっていてもよい。たとえば、図２３Ａは、ハンガー１３２３ａおよび／または１３２３ｂの追加または代替として使用可能なハンガーユニット１３２３’を示している。ハンガーユニット１３２３’は、支持部１３２４’および当該支持部１３２４’から延びた複数の個々のハンガー１３２５’を具備していてもよい。支持部１３２４’は、対応するハンガープレート１３２１ａ、１３２１ｂと一体的に形成されていてもよいし、ハンガープレートに取り付けられた別個の部材であってもよい。各ハンガー１３２５’の自由端部には、たとえば稼働中のヒンジ機構によって当該自由端部にヒンジ結合されたラッチ部材１３２６’を含んでいてもよい。また、各ハンガー１３２５’の自由端部には、リップ１３２７’を含んでいてもよい。図示の例においては、各ハンガー１３２５’の自由端部の半分がラッチ部材１３２６’を含み、自由端部の残りの半分がリップ１３２７’を含む。後述の通り、各ハンガーユニットのラッチ部材は、別のハンガーユニットのリップを係止構成で受容して係合するように成形されている。各ハンガー１３２５’の自由端部におけるラッチ部材１３２６’およびリップ１３２７’の位置は、垂直方向に隣接したハンガー１３２５’間で逆転している。この構成により、第１のハンガー１３２５’のラッチ部材１３２６’は、第１のハンガーの直上に位置決めされた第２のハンガー１３２５’のリップ１３２７’に向かって枢動するようになっていてもよい。これにより、各ラッチ部材１３２６’は、図２３Ａに示す開放状態から図２３Ｂおよび図２３Ｃに示す係止状態まで枢動して、垂直方向に隣接する２つのハンガー１３２５’間の閉じた空間または連続境界を形成していてもよい。図示の構成において、リップ１３２７’は実質的に円筒状であってもよく、各ラッチ部材１３２６’は、リップ１３２７’の円筒部に留まる円筒状の窪みを構成する２つの突起またはフランジを含んでいてもよい。ハンガーユニット１３２３’の最上ハンガー１３２５’は、ラッチが上方に枢動することになる場合、ラッチ部材を具備する必要がないことが了解されるものとする。他の実施形態においては、ラッチ部材１３２６’が下方に枢動するようになっていてもよく、この場合は、最上ハンガー１３２５’がラッチ部材１３２６’を具備するのが好ましく、最下ハンガー１３２５’は、ラッチ部材１３２６’を具備する必要がない。さらに、リップ部１３２７’が円筒以外の形状を有していてもよく、ラッチ部材１３２６’がリップ１３２７’の任意の相補形状を有していてもよいことが了解されるものとする。さらに、支持部１３２４’は、対応するハンガー１３２１ａまたは１３２１ｂと一体になっていない場合、たとえばネジまたはボルトによってハンガーユニット１３２３’のハンガーへの結合を補助する孔等の特徴を含んでいてもよい。
【０１１５】
カバー１３８０および／またはベース１３９０は、ベース１３９０に対してカバー１３８０をロック状態に引き込むとともにロック状態の維持を補助するロックまたはラッチ機構を含んでいてもよい。図２４Ａおよび図２４Ｂは、ラッチ機構が係合したパッチパネルシステム１３００を覆うカバー１３８０の底面斜視図であって、ベース１３９０に固定されたカバー１３８０を描画したものである。図示の実施形態においては、４つの別個のラッチを示している。図２４Ａおよび図２４Ｂは、ベース１３９０が複数のリブ１３９５を具備し得ることを示している。図２４Ａの実施形態においては、４対のリブ１３９５がそれぞれ、ベース１３９０の下面の内周から中心の円形延伸部１３９６に向かって延びている。図２４Ｂの実施形態においては、４群のリブ１３９５がベース１３９０の下面の内周から中心に向かって延びており、各群のリブが４分円の形状を有し、第１および第２のリブが互いに実質的に９０°の角度を成し、第３のリブが第１および第２のリブに対して実質的に４５°の角度を成している。両実施形態においては、少なくとも係止状態において、ラッチがベース１３９０の底部を越えて突出することのないように、各ラッチがリブ間で延びている。ただし、他の実施形態においては、１つまたは複数のラッチがリブ間で延びている必要がなく、ベース１３９０の底部を越えて突出していてもよい。リブ１３９５は、カバー１３８０をベース１３９０上に引き込むラッチ機構からベース１３９０が力を受けている場合に、少なくとも部分的にはリブ１３９５の強度によって、ベース１３９０が如何なる大きな撓みにも対抗するように、ベース１３９０を強化するのに役立ち得る。図２４Ａおよび図２４Ｂに示すのと異なる数および構成のリブ１３９５を設けて、係止時の撓みに対抗するための意図した強度を与えるようにしてもよいことが了解されるものとする。
【０１１６】
図２４Ｃは、カバー１３８０がベース１３９０に係止された係止状態の図２４Ａおよび図２４Ｂのラッチ機構の第１の実施形態の断面図である。図示の実施形態において、ベース１３９０は、当該ベース１３９０の外周に延びた凹部１３９７を含んでいてもよく、Ｏリング１３９９（または、ガスケット等の類似シール）が凹部１３９７内に据え付けられている。カバー１３８０の底縁には、Ｏリング１３９９を含む凹部１３９７に隣接したベース１３９０の外側面に接触する上向きフック１３８１を含んでいてもよい。図示の実施形態において、ラッチは、ベース１３９０の窪みでレバー１３８３がベース１３９０に対して回転可能に結合された中心上ドローラッチの形態であり、下向きフック部１３８４が、レバー１３８３に結合された第１の端部と、カバー１３８０の上向きフック１３８１に引っ掛かるように構成された第２の端部とを有する。ラッチ機構のレバー１３８３を図２４Ｃの図で反時計回り（「ＣＣＷ」）方向に回転させると、下向きフック１３８４ひいてはカバー１３８０の上向きフック部１３８１に対する引っ張りおよび／または引き込みが生じて、ベース１３９０と密に接触する。レバー１３８３を反対の時計回り（「ＣＷ」）方向に回転させると、下向きフック１３８４の張力が解除されるとともに、カバー１３８０の上向きフック１３８１の張力も解除される。Ｏリング１３９９に接触する上向きフック１３８１の内側面は、垂直に対する角度α（およそ０°（垂直）〜およそ４５°）で設けられていてもよい。角度αは、およそ１５°〜およそ３０°であるのが好ましい。ベース１３９０の凹部１３９７にあるＯリング１３９９によれば、カバー１３８０とベース１３９０との間の所望の圧縮シールを実現するのに必要な力が小さくて済み、また、カバー１３８０をベース１３９０から容易に取り外せるため、都合が良い。この機能性は、カバー１３８０のフック部１３８１の内側面の角度αおよび窪み１３９７に隣接するベース１３９０の対応する角度の外側面によって少なくとも部分的にもたらされるようになっていてもよい。ベース１３９０には複数のラッチ機構が設けられていてもよいが、図２４Ｃにおいては１つだけ示していることが了解されるものとする。
【０１１７】
また、図２４Ｃに示したものの代わりに、他のラッチ機構も適していると考えられる。たとえば、図２４Ｄは、図２４Ｃに示したものと類似するラッチ機構の別の選択肢の断面図である。図２４Ｄの実施形態においては、カバー１３８０が上述と同じフック部１３８１を具備するとともに、ベース１３９０が同じ凹部１３９７およびＯリング１３９９を具備する。このラッチ機構のレバー１３８３’は、ハンドルとして機能するとともに、レバー１３８３と若干異なる構造であってもよく、ベース１３９０と相互作用するとともに、下向きフック１３８４が結合される実質的に平坦な端部を有する。レバー１３８３’を回転させる代わりに、ハンドルとして把持され、引き込むことで下向きフック１３８４に張力を生じるようになっていてもよい。下向きフック１３８４に張力が印加されている間に、図２４Ｄに示す位置までレバー１３８３’が移動するようになっていてもよく、レバー１３８３’の平坦面とベース１３９０の対応する平坦内側面との接触によって、図示の位置にレバー１３８３’が維持される。図示の位置においては、下向きフック１３８４の張力によって、上向きフック１３８１にも張力が印加され、カバー１３８０がベース１３９０と密に接触する。ラッチの解除のため、ユーザが単にレバー１３８３’を握り、レバーの平坦面を移動させてベース１３９０の対応する平坦内側面との接触を終わらせ、下向きフック１３８４の張力を解除するようにレバーを位置決めするようにしてもよい。
【０１１８】
図２４Ｅは、任意選択的な２つの位置でカバー１３８０をベース１３９０に係止する図２４Ｃのラッチ機構の断面図である。特に、図２４Ｅは、第１の位置１３８３ａにおけるベース１３９０の底部の近くにラッチ機構のレバー１３８３を位置決め可能であること、または、ベース１３９０がレバー１３８３ｂの下方に延びるように、第２の位置１３８３ｂにおけるベース１３９０の窪み内にラッチ機構のレバー１３８３を位置決め可能であることを示している。レバー１３８３が凹部位置１３８３ｂに設けられている場合は、ベース１３９０に開口１３９８が設けられて、凹部レバーへのアクセスが容易となっていてもよい。図２４Ｅは、第１のレバー位置選択肢１３８３ａの第２のレバー位置選択肢１３８３ｂとの比較の様子および両レバーが単一のラッチ機構として備わっていない様子を示すため、２つのレバー１３８３ａ、１３８３ｂを示していることが了解されるものとする。ラッチ機構のレバーを（たとえば、位置１３８３ｂに対する位置１３８３ａにおいて）カバー１３８０との接触点からある離隔距離で位置決めすることの潜在的な利点として、ベース１３９０用に別の材料が用意され、ベースの厚さおよび／または強度が大略大きくなることが考えられる。ベースの強度が増すと、ラッチ機構の係止による力がベース１３９０に印加された場合に、ベース１３９０の一部、特に、ラッチ機構に隣接するベースの部分が曲がったり変形したりする可能性が小さくなり得る。
【０１１９】
図２４Ｆおよび図２４Ｇはそれぞれ、上述のラッチ機構のいずれかの代替または追加として使用可能なラッチ機構の側面図および断面図である。図２４Ｆおよび図２４Ｇのラッチ機構は、主として、下向きフック１３８４の代わりに実質的に「Ｕ」字状の係合アーム１３８４’’を具備する点を除いて、図２４Ｃのラッチ機構と大略類似していてもよい。図２４Ｇに示すように、係合アーム１３８４’’がカバーの上向きフック１３８１と係合する場合は、レバー１３８３’’が図２４ＧのＣＣＷ方向に回転して、カバー１３８０をベース１３９０と密に接触させるようにしてもよい。カバーの張力を解除するには、図２４ＧのＣＷ方向にレバー１３８３’’を回転させるようにしてもよい。図２４Ｆに示すように、ベース１３９０は、図２４Ｅに示したものと同様に、ラッチ機構の一部が位置決めされる開口１３９８を含んでいてもよい。図２４Ｇにおいては、開口１３９８が見えず、破線で表していることが了解されるものとする。ラッチ機構は、図２４Ｇにおいて点線で示すボルト等の１つまたは複数の締結具によりベース１３９０に結合されていてもよい。
【０１２０】
図２４Ｈおよび図２４Ｉは、カバー１３８０’’およびベース１３９０’’の断面図であり、カバー１３８０’’とベース１３９０’’との間の接触点を除いて、上述のその他のカバーおよびベースのいずれかと類似し得る。本実施形態において、カバー１３８０’’の底部には、Ｏリング１３９９等のガスケットを収容するように成形された実質的に三角形の窪みを含んでいてもよく、この三角形の窪みの大部分が閉塞または係止状態のベース１３９０’’のより近くに位置決めされている。一方、ベース１３９０’’は、カバー１３８０’’に向かって延びた実質的に三角形または実質的に台形の突起を具備していてもよい。三角形または台形突起の上部には、そこから延びた先端を含んでいてもよく、これは円形であってもよい。図２４Ｉに最もよく示すように、たとえば係止状態でカバー１３８０’’がベース１３９０’’に接続されている場合は、ベース１３９０’’の三角形または台形の突起の先端がＯリング１３９９を収縮させた状態で、突起がカバー１３８０’’の三角形の窪みに受容される。ベース１３９０’’の突起の先端は、Ｏリング１３９９に対する集力装置として作用することにより、カバー１３８０’’とベース１３９０’’との間の良好な封止が容易化されるようになっていてもよい。カバー１３８０’’の三角形状窪みならびにベース１３９０’’の三角形状突起および先端はいずれも、カバー１３８０’’およびベース１３９０’’の全周にわたって延びていてもよいし、全周未満であってもよいことが了解されるものとする。さらに、図２４Ｈおよび図２４Ｉに示すカバー１３８０’’およびベース１３９０’’の構成は、互いに係止可能なものとして、本明細書に記載のカバーおよびベースのいずれかに組み込まれるようになっていてもよいし、本明細書に記載のラッチ機構のいずれかが図２４Ｈおよび図２４Ｉのカバー１３８０’’およびベース１３９０’’と併用されるようになっていてもよい。
【０１２１】
図２４Ｊおよび図２４Ｋは、図２４Ｈおよび図２４Ｉのカバー１３８０’’およびベース１３９０’’と比較して接続特性が大略逆のカバー１３８０’’’およびベース１３９０’’’の断面図である。言い換えると、ベース１３９０’’’は、ガスケットまたはＯリング１３９９ならびにカバー１３８０’’’の突起および先端を受容する実質的に三角形の窪みを含んでいてもよい。カバー１３８０’’’は、当該カバー１３８０’’’がベース１３９０’’’に係止あるいは結合された場合にＯリング１３９９に対する集力装置として作用する先端を備えた実質的に三角形または実質的に台形の突起を含んでいてもよい。これらの相互作用構造の逆転以外に、上述のカバー１３８０’’およびベース１３９０’’の説明は、図２４Ｊおよび図２４Ｋのカバー１３８０’’’およびベース１３９０’’’に完全に当てはまることが了解されるものとする。
【０１２２】
図２４Ｌは、上述したものに類似するカバー１３８０’’’’およびベース１３９０’’’’の斜視図であって、カバーおよびベースに別個に適用されるラッチ機構を備えている。たとえば、図２４Ｆおよび図２４Ｇのカバー１３８０は、ラッチ機構と係合する一体的な上向きフック１３８１を具備するものとして示しているが、カバー１３８０’’’’は、当該カバーに結合された複数のカバーラッチ部ＣＬを含み、図２４Ｆおよび図２４Ｇの上向きフック１３８１と形状および目的が類似し得る上向きフック１３８１’’’’を各カバーラッチ部ＣＬが備えている。図示の実施形態においては、カバー１３８０’’’’の円周の離隔位置において、カバー１３８０’’’’の底部の近くで複数の個々のカバーラッチ部ＣＬが結合されている。同様に、ベース１３９０’’’’は、その円周の離隔位置において当該ベース１３９０’’’’に結合された複数のベースラッチ部ＢＬを含んでいてもよい。各ベースラッチ部ＢＬは、図２４Ｆおよび図２４Ｇに関連して説明したベース１３９０のラッチと構造および機能が類似していてもよい。たとえば、各ベースラッチ部ＢＬは、レバー１３８３’’’’に対して動作可能に結合されたＵ字状係合アーム１３８４’’’’を具備していてもよく、レバー１３８３’’’’が回転してＵ字状係合アーム１３８４’’’’を対応する上向きフック１３８１’’’’に係合および／またはロックすることにより、カバー１３８０’’’’をベース１３９０’’’’方向に引き込んで封止係合させる。上述の通り、図２４Ｌに示すラッチ機構の機能面は、図２４Ｆおよび図２４Ｇに関連して説明したラッチ機構と同一または実質的に同様であってもよく、図２４Ｌのベースおよびカバーは、図２４Ｃ、図２４Ｈ、および／または図２４Ｉに関連して説明したＯリングおよび／またはガスケットのいずれかを具備していてもよいことが了解されるものとする。図２４Ｌのラッチ機構の主要な相違点は、たとえばネジ、ボルト、接着剤、またはその他任意の適当な機構によって、カバーラッチ部ＣＬおよびベースラッチ部ＢＬがそれぞれ、カバー１３８０’’’’およびベース１３９０’’’’に別個に取り付けられている点である。この変形により、カバー１３８０’’’’およびベース１３９０’’’’を構成する材料に関わらず、カバーラッチ部ＣＬおよびベースラッチ部ＢＬを任意所望の材料で構成することができる。たとえば、ベース１３９０’’’’およびカバー１３８０’’’’は、ポリエチレンのような硬質プラスチック等のプラスチックあるいは軟質プラスチックまたは金属で形成されていてもよい。一実施形態において、カバーラッチ部ＣＬおよびベースラッチ部ＢＬは、金属等の剛性材料で形成されている。上記特定の構成においては、１つまたは複数のラッチ機構を動作させてカバーをベースへと引き込む行為により、ラッチまたはその隣接位置のカバーおよび／またはベースの部分がいく分撓む可能性がある。ただし、カバーラッチ部ＣＬおよびベースラッチ部ＢＬが金属で形成された図２４Ｌの例において、カバー１３８０’’’’およびベース１３９０’’’’は、変形する可能性が低く、カバーラッチ部ＣＬおよびベースラッチ部ＢＬの金属あるいは剛性構造によって、変形がほとんど生じないか、または、効果的に除去されるようになっている。一実施形態において、撓み量を最小限に抑えるには、カバーラッチ部ＣＬおよびベースラッチ部ＢＬが所定の幅を有していてもよいため、全体としては、複数のカバーラッチＣＬが底部近くでカバー１３８０’’’’の円周部のかなりの割合に沿って延びる一方、複数のベースラッチＢＬが上部近くでベース１３９０’’’’の円周部のかなりの割合に沿って延びる。いくつかの例において、カバーラッチ部ＣＬおよびベースラッチ部ＢＬはそれぞれ、カバー１３８０’’’’およびベース１３９０’’’’の円周部の少なくとも８０％または少なくとも９０％に沿って延びている。図２４Ｍは、カバーラッチ部ＣＬおよびベースラッチ部ＢＬがそれぞれ、カバー１３８０’’’’およびベース１３９０’’’’の円周部の１００％に沿って延び、それ以外のカバー、ベース、およびラッチ機構が図２４Ｌに示したものと同一である一実施形態を示している。言い換えると、図２４Ｍのカバーラッチ部ＣＬは、カバー１３８０’’’’の全周に延びた連続構造体である一方、ベースラッチ部ＢＬは、ベース１３９０’’’’の全周に延びた連続構造体である。この構成は、製造および取り付けの観点から、図２４Ｌの構成と比較して簡単と考えられ、さらに、ラッチ機構を用いてカバーをベース側に引き込む際のカバー１３８０’’’’および／またはベース１３９０’’’’の如何なる程度の撓みの可能性をも低減可能である。
【０１２３】
いくつかの実施形態において、上述のドローラッチは、完全に除去されていてもよく、カバー１３８０をベース１３９０に封止および／またはロックする別個の機構が設けられていてもよい。たとえば、図２４Ｎは、ドローラッチが存在せず、カバー１３８０に結合されてカバー１３８０をベース１３９０にしっかりと取り付ける締結具Ｆが設けられた一実施形態を示している。図２４Ｎおよび図２４Ｏに示すように、カバー１３８０がベース１３９０に結合された場合にカバー１３８０の開口部と一致する１つまたは複数の開口部をフレーム１３０２の上部１３０６が含んでいてもよい。図示の実施形態においては、カバー１３８０に２つの締結具Ｆが備わっている。カバー１３８０がフレーム１３０２上で摺動した場合は、図２２Ａおよび図２２Ｂに関連する説明と同様に、フレーム１３０２の上部１３０６がカバー１３８０を案内するようにしてもよい。図２４Ｏに示すように、カバー１３８０の上部がフレーム１３０２の上部１３０６に近づくと、カバー１３８０の開口部は、フレーム１３０２の上部１３０６の対応する開口部と一致する。この点においては、（フレーム１３０２上に配置された場合にカバー１３８０を部分的に通過する可能性がある）締結具Ｆの回転により、カバー１３８０をベース１３９０に引き込むようにしてもよい。図示の例において、締結具Ｆは、フレーム１３０２の上部１３０６またはフレーム１３０２の上部１３０６に結合されたナット等の受容構造に直接ネジ込み可能なボルトである。ただし、締結具Ｆは、ボルト以外の適当な形態であってもよく、２つの締結具Ｆを示しているものの、１つだけ用いられるようになっていてもよいし、３つ以上の締結具が用いられるようになっていてもよい。さらに、図２４Ｏは、図２４Ｊおよび図２４Ｋと類似の構成を有するガスケット１３９９を示しているが、図２４Ｈおよび図２４Ｉに示したものまたは図２４Ｃに示したもの等、他の構成も適し得ることが了解されるものとする。いずれにしろ、締結具Ｆを用いてカバー１３８０をベース１３９０側に引き込むと、図２４Ａ〜図２４Ｍに関連して上述した種類のラッチ機構のいずれかを要することなく、カバーとベースとが密封されて好ましい。また、封止状態でカバー１３８０をベース１３９０に固定する機構をより良く明確に説明するため、フレーム１３０２内に存在することになる通信システムの部分を含めて、システムの他のコンポーネントが図２４Ｎおよび図２４Ｏの図から省略されていることがさらに了解されるものとする。
【０１２４】
図２５Ａは、ケーブルＣの保守中にハンガープレート１３２１ａ、１３２１ｂを保守状態に維持する別のアクセサリ部材を備えた図２０Ａと同じ図のパッチパネルシステム１３００を示している。アクセサリ部材は、フレーム１３０２の側壁１３０４上のヒンジ近くでハンガープレート１３２１ａの内側面に取り付けられた第１のバー１５００ａと、フレーム１３０２の他方の側壁１３０４上のヒンジ近くでハンガープレート１３２１ｂの内側面に取り付けられた第２のバー１５００ｂとを具備していてもよい。図２５Ａの図において、第２のバー１５００ｂは、ハンガープレート１３２１ｂによって大部分が視界から遮られているため、点線で示していることが了解されるものとする。バー１５００ａ、１５００ｂの格納状態において、各バーは、対応するハンガープレート１３２１ａ、１３２１ｂの底部から上部まで延びていてもよく、格納状態のバーによって、ハンガープレートは、自由に開放または閉塞可能である。２つのバー１５００ａ、１５００ｂが各バーの反対端でヒンジ動作するように、第１のバー１５００ａは、当該バー１５００ａの上部および底部の一方でヒンジ１５１０ａによりハンガープレート１３２１ａに接続されていてもよく、第２のバー１５００ｂは、当該バー１５００ｂの上部および底部の他方でヒンジ１５１０ｂによりハンガープレート１３２１ｂに接続されていてもよい。ハンガープレート１３２１ａ、１３２１ｂが開放された場合、ユーザは、図２５Ｂに示すように、両バー１５００ａ、１５００ｂをそれぞれのヒンジ１５１０ａ、１５１０ｂ周りに旋回させるようにしてもよい。バー１５００ａ、１５００ｂは、それぞれのヒンジ１５１０ａ、１５１０ｂ周りに回転して保守状態となれば、ハンガープレート１３２１ａ、１３２１ｂが意図せず閉じることを防止可能である。バー１５００ａ、１５００ｂは、力が印加されていなければ所与の位置（すなわち、格納位置、保守位置）を維持するため、ユーザが意図的に力を印加していない場合の重力によって移動すなわち旋回することはない。
【０１２５】
バー１５００ａ、１５００ｂは、その格納状態において、１つまたは複数のケーブルＣを覆っていてもよく、ユーザは、バーを保守状態まで旋回させて保守を実行することが必要となる場合がある。これにより、保守の実行が可能となる前にユーザが強制的に開始させられる安全状態がもたらされ得る。バー１５００ａの背後を通過するケーブルＣを図２５Ａに示す。図２５Ｃは、バー１５００ａ、１５００ｂが格納状態であり、ハンガープレート１３２１ａ、１３２１ｂが比較として設置（閉塞）および保守（開放）状態であるパッチパネルシステム１３００の上面図である。バー１５００ａ、１５００ｂが格納位置の場合にケーブルＣを覆っていてもよいという事実は、図２５Ｃにも示している。バー１５００ａ、１５００ｂは、さまざまな形状を有していてもよく、バー１５００ａ、１５００ｂがそれぞれのヒンジ１５１０ａ、１５１０ｂの周りに回転してパッチパネルシステム１３００のハンガープレート１３２１ａ、１３２１ｂが保守状態である場合に、ハンガープレートが意図せず閉じてしまうことを防止するのに十分な剛性であるのが好ましい。バー１５００ａ、１５００ｂは、実質的に円筒状であってもよく、これにより、バー１５００ａ、１５００ｂがケーブルＣを覆ってパッチパネルシステム１３００が格納状態の場合に、ケーブルＣに対する最小曲げ半径が維持されるようになっていてもよい。バー１５００ａの円筒形状を図２５Ｄに示す。ただし、上述の通り、他の形状、特に、ケーブルＣに対する最小曲げ半径を維持可能な形状も適していると考えられる。たとえば、図２５Ｄは、バー１５００ａの円筒形状の代替として使用可能なバー１５００ａ’の別の形状を示している。図示のように、バー１５００ａ’は、ケーブルＣに接触してケーブルの最小曲げ半径を維持することを意図した弓形の外側面を含む。バー１５００ａ’のように弓形状を有するバーをバー１５００ｂの代わりとして同様に使用可能であることが了解されるものとする。さらに、ハンガープレート１３２１ａ、１３２１ｂの代わりにバー１５００ａ、１５００ｂがフレーム１３０２に取り付けられていてもよいことが了解されるものとする。たとえば、フレーム１３０２の前方開放面の対向隅部近くのフレーム１３０２の各側壁１３０４にヒンジ付きブラケットが搭載され、各ブラケットに１つのバーが取り付けられていてもよい。ただし、他の取り付け方法も本開示の範囲内である。
【０１２６】
図２６Ａは、水分センサシステム１６００の形態のアクセサリを備えたパッチパネルシステム１３００を示している。水分センサシステム１６００に使用する場合、フレーム１３０２の側壁１３０４は、フレーム１３０２の底部１３０８の下方にある離隔距離だけ延びて、フレーム１３０２の底部１３０８とベース１３９０との間に、水分センサシステム１６００が配設される凹状空間を形成していてもよい。水分センサシステム１６００は、光学時間領域反射率計（「ＯＴＤＲ」）システムの一部であり、少なくとも一対のスポンジ１６２０等の吸水構造体間の公称軸Ａに沿って延びた光ファイバケーブル１６１０を含むように構成されていてもよい。ケーブル１６１０は、システム１６００の一部であり、システム１３００の外部から供給された別のケーブルに結合されるように構成されていてもよいし、システム１３００の外部から供給された光ファイバケーブルであってもよい。図２６Ａ〜図２６Ｃには、ケーブル１６１０の一部のみを示しており、ケーブル１６１０は、当技術分野において知られているように、ＯＴＤＲシステムの他の部分に接続されていてもよいことが了解されるものとする。図示の実施形態において、各スポンジ１６２０は、ケーブル１６１０から離れる方向を向いた後部と、ケーブル１６１０に対向する前部とを含み、前部が円形の最前部１６２１を含む。
【０１２７】
水分センサシステム１６００の乾燥状態においては、図２６Ａおよび図２６Ｂに示すように、乾燥スポンジ１６２０間の公称軸Ａに沿ってケーブル１６１０が延びていてもよく、ケーブル１６１０が公称軸に沿って実質的に直線状に延びるように、スポンジの最前部１６２１が公称軸に対向するとともに、ケーブル１６１０と接触または直接隣接している。たとえば洪水事象に際して水がパッチパネルシステム１３００に入った場合、スポンジ１６２０は、水を吸収して、図２６Ｃに示すようにサイズが膨張するようになっていてもよい。図示の簡素化のため、図２６Ｃには、２つのスポンジ１６２０のみを示していることが了解されるものとする。図２６Ｃに示すように、スポンジ１６２０のサイズが膨張すると、スポンジ１６２０の最前部１６２１が公称軸Ａを越えて延びるため、ケーブル１６１０に接触して公称軸から離れる方向に押すが、隣接するスポンジはケーブル１６１０を反対方向に押すため、スポンジ１６２０でケーブル１６１０が曲がり、ケーブル１６１０を通過する光信号がケーブルの曲がった部分で一部減衰または完全遮断される場合がある。このようなセンサシステムにおいては、２つ、３つ、またはそれ以上のスポンジが用いられるようになっていてもよく、ケーブル１６１０の反対側に位置決めされた少なくとも２つの隣接するスポンジ１６２０が好ましいことが了解されるものとする。ケーブル１６１０によって伝搬される光信号の一部減衰または完全遮断は、特定のパッチパネルシステム１３００の特定の位置に損傷が発生したことをユーザに示し得るＯＴＤＲシステムによって検出されるようになっていてもよい。したがって、水分センサシステム１６００は、パッチパネルシステムの問題を診断するのに役立ち、洪水事象等の水の事象に直面したパッチパネルシステム群から特定のパッチパネルシステム１３００を識別する際の補助となり得る。図２６Ｃは、水分センサシステム１６００に１つまたは複数のガイド１６３０が備わっていてもよいことを示している。ケーブル１６１０は、１つまたは複数のスポンジ１６２０の膨張に際して、所望の曲げにより信号の途絶または遮断を生じる可能性が高くなるように、１つまたは複数のガイド１６３０に沿って延びていてもよい。
【０１２８】
図２７Ａは、本開示の別の態様に係る、パッチパネルシステム１３００’を示している。パッチパネルシステム１３００’は、第１のパッチパネルシステム１３００ａ’および第２のパッチパネルシステム１３００ｂ’を具備していてもよく、それぞれ、互いに同様または同一であるとともに、上述のパッチパネルシステム１３００と同様または同一であってもよい。パッチパネルシステム１３００ａ’および１３００ｂ’の同様または同一のコンポーネントについては、パッチパネルシステム１３００に関連して上述したため、ここで別途詳しく説明することはない。パッチパネルシステム１３００ａ’および１３００ｂ’は、各パッチパネルシステム１３００ａ’および１３００ｂ’の後側カートリッジの後面が互いに対向した状態で背中合わせに位置決めされていてもよい。パッチパネルシステムのうちの一方１３００ａ’からのケーブルＣ’が他方のパッチパネルシステム１３００ｂ’に接続されることで、単一のパッチパネルシステム１３００と比較して、組み合わせパッチパネルシステム１３００’の容量が効果的に２倍となり得る（逆も同様である）。一例においては、図２７Ａに示すように、第１のパッチパネルシステム１３００ａ’におけるケーブルＣ’がハンガープレートとフレームとの間の側路を通って、サイドハンガーに沿って延び、隣接する第２のパッチパネルシステム１３００ｂ’まで延びていてもよい。別の実施形態において、ケーブルＣ’は、一方のパッチパネルシステム１３００ａ’のフレーム上を隣接する第２のパッチパネルシステム１３００ｂ’まで延びていてもよい。図２７Ｂは、設置状態の図２７Ａのパッチパネルシステム１３００’のハンガーアセンブリを示している。図示のように、両パッチパネルシステム１３００ａ’、１３００ｂ’が単一のベース１３９０’に取り付けられていてもよく、これは、単一のパッチパネルシステム１３００を受容するように構成可能なベース１３９０と比較して、２つのパッチパネルシステム１３００ａ’、１３００ｂ’を受容するように構成可能なベース１３９０’のサイズおよび形状以外のほとんどの点で、ベース１３９０に類似していてもよい。同様に、パッチパネルシステム１３００’は、両パッチパネルシステム１３００ａ’および１３００ｂ’を同時に覆うのに使用可能な単一のカバー１３８０’により覆われていてもよい。カバー１３８０’は、サイズおよび形状以外のあらゆる点において、カバー１３８０と同様または同一であってもよい。カバー１３８０’が２つのパッチパネルシステム１３００ａ’、１３００ｂ’を覆うように構成されている一方、カバー１３８０が単一のパッチパネルシステム１３００を覆うように構成されているためである。たとえば、カバー１３８０’は、カバー１３８０に設け得る一対のガイドスロット１３８２の代わりに、二対の内部ガイドスロットを含んでいてもよい。図２７Ｂに示すパッチパネルシステム１３００’の実施形態において、パッチパネルシステム１３００’は、取り付け対象の構造体に対して摺動可能なシェルフ１７００上に支持されている。シェルフ１７００は、取り付けブラケット１７１０の形態で、当該取り付けブラケット１７１０に対して摺動する摺動シェルフ部材１７２０を具備していてもよい。いくつかの実施形態において、ベース１３９０’は、シェルフ部材１７２０に対して回転可能となるように、シェルフ部材１７２０に回転可能に搭載されていてもよい。図示のように、ベース部材１３９０’およびシェルフ部材１７２０はいずれも、回転中に互いに平行状態を維持する実質的に平坦な表面を含む。回転の範囲は、たとえば一方向に最大９０°または二方向に最大９０°（合計１８０°の回転）等、任意所望であってもよいが、必要に応じてより大きな回転であってもよいし、より小さな回転であってもよい。取り付けブラケット１７１０は、ポール１７３０等の任意適当な支持構造に取り付けあるいは固定されていてもよい。図１９Ｃ、図１９Ｄ、図２０Ｃ、および図２０Ｄに関連して上述した通り、パッチパネルシステム１３００ａ’および１３００ｂ’の後側カートリッジは、各パッチパネルシステム１３００ａ’または１３００ｂ’の後面と大略平行なままとなるように、単一平面内で左または右に回転または摺動するようになっていてもよい。それ以外の場合は、特定のパッチパネルシステムの後面から離れる方向に回転する隙間を後側カートリッジが有していない可能性があることから、パッチパネルシステム１３００ａ’および１３００ｂ’の後側カートリッジの他種の回転が除外されていてもよい。
【０１２９】
図２８Ａは、図１９Ａ〜図２０Ｄのパッチパネルシステム１３００の２つのカセット１３１０ａ、１３１０ｂを示すが、本明細書に記載の他のパッチパネルシステムにも同様の考え方を適用可能である。第１のカセット１３１０ａは、たとえばスプリッタモジュール１８１０に結合されたサービスプロバイダからの入力ケーブル１８００を受容していてもよい。スプリッタ１８１０は、入力ケーブル１８００から供給された信号を複数のケーブル１８２０間で分割するようにしてもよい。ケーブル１８２０は、スプリッタモジュール１８１０から出て、それぞれ格納ラック１８４０中に位置決めされたコネクタ１８３０で終端するように配線されていてもよい。格納ラック１８４０は、スプリッタモジュール１８１０を出て個々のカセットへと配線されるケーブル１８２０を整線するように機能し得る。一実施形態において、スプリッタモジュール１８１０から出ているケーブル１８２０のうちの１つをオペレータがサービス加入者に接続したい場合は、ケーブル１８２０’のコネクタ１８３０’が格納ラック１８４０から取り外され、パッチパネルシステム１３００’の別個のカセット１３１０ｂ内でコネクタ１８５０に接続されるようになっていてもよく、ケーブル１８６０および対応するケーブル１８２０’を経由して、サービス加入者がサービスプロバイダに接続される。図２８Ａにおいては、ケーブル１８２０およびケーブル１８２０’（ならびに、コネクタ１８３０およびコネクタ１８３０’）の構造および機能が同一であってもよく、ケーブルが格納状態（１８２０、１８３０）または接続サービス提供状態（１８２０’、１８３０’）のいずれであるかという事実だけが異なっていることが了解されるものとする。ケーブル格納ラック１８４０は、カセット１３１０ａから取り外し可能であってもよく、スプリッタモジュール１８１０から出ているケーブル１８２０’がすべてパッチパネルカセット１３１０ｂ（または、別の類似カセット）内のコネクタ１８５０に結合され、サービス加入者がサービスプロバイダに接続された後、それ以上のケーブル１８２０がケーブル格納ラック１８４０に格納されていないことから、当該ケーブル格納ラック１８４０をカセット１３１０ａから物理的に取り外せるようになっていてもよい。図２８Ｂおよび図２８Ｃは、ケーブル格納ラック１８４０の例示的な一実施形態を示している。特に、図２８Ｂは、ケーブル格納ラック１８４０に隣接して位置決めされ、「ブーツ」１８３２等の張力緩和部およびコネクタキャップ１８３４を具備し得るケーブル１８２０のコネクタ１８３０の分離図であり、図２８Ｃは、ケーブル格納ラック１８４０に格納されたケーブル１８２０のブーツ１８３２を示している。ケーブル格納ラック１８４０は、コネクタ１８３０のブーツ１８３２がケーブル格納ラック１８４０内にしっかりと格納され得るように撓み得る隣接壁対１８４４により囲まれた複数の載置空間１８４２を含んでいてもよい。ケーブルブーツ１８３２がケーブル格納ラック１８４４の１つのスロット１８４２に格納されている場合、ケーブルブーツ１８３２が隣接スロット１８４２に留まっていれば、一方または両方の隣接壁１８４４の撓みが制限可能となる。図２８Ｄは、２つの行で交互になっている個々の隣接スロット１８４２ａ’および１８４２ｂ’の位置決めを調整するケーブル格納ラック１８４０’の別の実施形態を示しており、各スロット１８４２ａ’および１８４２ｂ’がそれぞれのスロット壁１８４４ａ’および１８４４ｂ’を有しており、ケーブルブーツ１８３２が同じ行の隣接するケーブルスロット１８４２ａ’、１８４２ｂ’に格納されているか否かに関わらず、壁１８４４ａ’、１８４４ｂ’が自由に撓み得るように、各行のスロット１８４２ａ’、１８４２ｂ’が同じ行の隣接スロット１８４２ａ’、１８４２ｂ’から離隔している。パッチパネルシステム１３００には、複数のスプリッタカセット１３１０ａおよび複数のファイバ分布カセット１３１０ｂが備わっていてもよいことが了解されるものとする。たとえば、パッチパネルシステム１３００の上半分または下半分にスプリッタカセット１３１０ａを備え、パッチパネルシステム１３００の上半分または下半分の他方にファイバ分布カセット１３１０ｂを備えていてもよい。この構成は、パッチパネルシステム１３００に出入りするケーブルのほか、スプリッタカセット１３１０ａをファイバ分布カセット１３１０ｂに接続するケーブルをより良好に整線するのに役立ち得る。ただし、カセット１３１０をこのように厳密に配置する必要があり、改良も適し得ることが了解されるものとする。
【０１３０】
図２８Ｅは、本開示の一態様に係る、積層構成の複数のスプリッタモジュール１８１０を示している。以下、図２８Ａに示したものと同様に、スプリッタカセット１３１０ａ上に設けられた例示的な一実施形態を参照して、スプリッタモジュール１８１０の積層構成を説明するが、モジュール１８１０の積層構成の構成および特徴は、光ファイバの配線および管理と関連付けられた別の実施態様で用いられるようになっていてもよいことが了解されるものとする。図２８Ｅを参照して、各スプリッタモジュール１８１０は、図２８Ａに示したものと同様に、コネクタ１８３０においてそれぞれ終端する複数の個別被覆ケーブル１８２０を具備していてもよい。図２８Ｅは、複数のコネクタ（図２８Ａに示す一群の積層ファイバ分布カセット１３１０ｂのいずれかのコネクタ１８５０等）のいずれかに接続可能な複数の個別被覆ケーブル１８２０をそれぞれ具備する複数の積層スプリッタモジュール１８１０を光ファイバ分布・配線実施態様が含む場合に、ケーブル１８２０の過密および／または絡みが問題となり得ることを示している。図２８Ｅの例において、各ケーブル１８２０は、ケーブルの外部を構成するとともに個々のファイバを収容するケーブルジャケットまたはシースを有していてもよく、ジャケットまたはシースの外面におけるケーブルの外径は、およそ０．９ｍｍ〜およそ１．６ｍｍである。
【０１３１】
図２８Ｆは、少なくとも１つの差異を伴う図２８Ｅに類似の積層構成の複数のスプリッタモジュール１８１０’を示している。特に、スプリッタモジュール１８１０から延びた個々のファイバをケーブルのシースまたは外側ジャケット内にそれぞれ含む複数の個々のケーブル１８２０を当該スプリッタモジュール１８１０が具備する一方、各スプリッタモジュール１８１０’は、そこから延びた出力ケーブル１８１１’を具備していてもよく、出力ケーブル１８１１’がそのシースまたは外側ジャケット内に複数の個々のファイバ１８１２’を収容している（図２８Ｇ参照）。たとえば、各スプリッタモジュール１８１０がそこから延びた３２本の個々のケーブル１８２０を具備しており、各ケーブルが単一のファイバを収容している場合、各スプリッタモジュール１８１０’は、当該スプリッタモジュール１８１０’から出ている出力ケーブル１８１１’を具備していてもよく、当該出力ケーブル１８１１’が３２本のファイバ１８１２’を収容している。図２８Ｆおよび図２８Ｇを参照して、出力ケーブル１８１１’は、カップリング１８１３’において終端していてもよい。個々のファイバ１８１２’は、ケーブル１８１１’を出て、カップリング１８１３’またはその内部を始点とする個々のケーブル１８１４’に入っていてもよい。言い換えると、一例においては、３２本の個々のファイバ１８１２’が単一の出力ケーブル１８１１’に収容された状態でスプリッタモジュール１８１０’から延びていてもよい。カップリング１８１３’においては、個々のファイバ１８１２’が出力ケーブル１８１１’を出て、対応する個々のケーブル１８１４’に入っていてもよく、個々のファイバ１８１２’がカップリング１８１３’を通って連続している。個々のファイバ１８１２’および対応する個々のケーブル１８１４’は、コネクタ１８３０において終端していてもよく、これは、本明細書に記載の他のコネクタと同様であってもよい。
【０１３２】
カップリング１８１３’は、任意適当な構成であってもよいことが了解されるものとする。たとえば、図２８Ｇは、第１の端部が出力ケーブル１８１１’の終端を覆う実質的な円筒状としてカップリング１８１３’を示しているが、カップリング１８１３’は他の形状を有していてもよく、出力ケーブル１８１１’の終端がカップリング１８１３’の一端を覆っていてもよい。一例において、出力ケーブル１８１１’の終端は、カップリング１８１３’の第１の端部を覆っていてもよく、カップリング１８１３’は、第１の端部以上のサイズを有する第２の端部へと延びていてもよい。さらに、図２８Ｇは、カップリング１８１３’内の対応する３つの個々のケーブル１８１４’の終端に３つのファイバ１８１２’が入る様子を示しているが、たとえばカップリング１８１３’の３２本の個々のケーブル１８１４’にそれぞれ入る３２本のファイバ１８１２’等、任意適当な数のファイバ１８１２’およびそれぞれ対応する個々のケーブル１８１４’がカップリング１８１３’を通じて接続されていてもよいことが了解されるものとする。さらに、図２８Ｇは、個々のケーブル１８１４’の終端をカップリング１８１３’に保持する保持器１８１５’を示しているが、個々のケーブル１８１４’の終端をカップリング１８１３’に固定するには、他の機構も適していると考えられる。たとえば、圧着部材の形態の１つまたは複数の保持器１８１５’が出力ケーブル１８１１’の終端および／または個々のケーブル１８１４’の終端をカップリング１８１３’内に固定していてもよい。
【０１３３】
図２８Ｈは、図２８Ｆに類似しており、スプリッタモジュール１８１０’の入力およびパッチパネルの出力をさらに示している。たとえば、図２８Ａに関連して図示および説明したのと実質的に同様に、複数のケーブル１８６０が各パッチパネルカセット１３１０ｂを出て、たとえば各加入者に接続されていてもよい。シースまたは外側ジャケット内に少なくとも１つの光ファイバをそれぞれ含む１つまたは複数の個々の入力ケーブル１８１６’は、各スプリッタモジュール１８１０’に結合され、サービスプロバイダ等からの入力信号をスプリッタモジュール１８１０’へと転送するようにしてもよい。図２８Ｈは、入力ケーブルがスプリッタモジュール１８１０’に入る３つの例を示している。入力ケーブル１８１６’のうちの２つが実質的に同一であり、入力ケーブルがスプリッタモジュール１８１０’の異なる面に入ってもよいことを示している。これら実質的に同一の２つの入力ケーブル１８１６’は、コネクタ１８１８’とスプリッタモジュール１８１０’との間の入力ケーブル全体が個々のケーブルであり、言い換えると、１つまたは複数の光ファイバを収容したシースまたは外側ジャケットを有するケーブルとなるように、コネクタ１８１８’へと延びている。ただし、他の実施形態において、入力ケーブルは、スプリッタモジュール１８１０’の出力ケーブルと同様に広がるように構成されていてもよい。たとえば、図２８Ｈは、スプリッタモジュール１８１０’から、コネクタ１８１８’にそれぞれ取り付けられた２つの付加的な入力ケーブル１８１７’へと入力ケーブル１８１６’が分岐または散開するカップリング１８１９’まで延びた個々の入力ケーブル１８１６’を示している。この類似性により、スプリッタモジュール１８１０’に入るケーブルの過密を最小限に抑えられるため、スプリッタモジュール１８１０’への各入力点は、個々のケーブル１８１６’である。
【０１３４】
さらに図２８Ｈを参照して、個々のケーブル１８１１’の総数は、そこから延びた個々のケーブル１８１４‘の総数よりも常に少ないのが好ましいことが了解されるものとする。さらに、ケーブルの外周面により規定された個々のケーブル１８１１’の横方向断面積（ＣＡ）は、そこから延びた個々のケーブル１８１４’それぞれの外周面により規定された横方向断面積の合計（ＣＡ−ｓｕｍ）よりも常に小さいのが好ましい。ＣＡとＣＡ−ｓｕｍとの相違によって、たとえば所与数のケーブルが２つのポートまたはコネクタ間で延び、これらケーブルの一部がジャケット等の被覆で覆われ、被覆部でケーブルの外周面により規定された当該被覆部の断面積が必然的に、個々のケーブルの外周面により規定された断面積の合計よりも大きくなる従来の実施態様から、本開示が識別される。いくつかの実施形態において、個々のケーブル１８１１’は、実質的に円形であり、およそ２ｍｍ〜およそ５ｍｍの直径を有していてもよいが、ケーブル１８１１’には他の形状およびサイズも適し得ることが了解されるものとする。たとえば、個々のケーブル１８１１’は、リボンケーブルまたは実質的に平坦な形状であってもよい。個々のケーブル１８１４’はそれぞれ、実質的に円形であり、およそ０．９ｍｍ〜およそ１．６ｍｍの直径を有していてもよいが、個々のケーブル１８１４’には他の形状およびサイズも適していると考えられる。入力ケーブルに関しては、個々の入力ケーブル１８１６’の総数が常に、対応するコネクタ１８１８’の総数以下であることが好ましいことが了解されるものとする。言い換えると、入力ケーブル１８１６’の数は、分岐１８１７’が存在しない場合、コネクタ１８１８’の数に等しくてもよい。これに対して、分岐１８１７’が存在する場合、全分岐１８１７’の数（および、全コネクタ１８１８’の数）は、個々の入力ケーブル１８１６’の数よりも多くする必要がある。この専門用語を用いることにより、分岐なくコネクタ１８１８’まで延びた単一の入力ケーブル１８１６’は、単一の「分岐」を有するものとして分類されることが了解されるものとする。さらに、図２８Ｈに示したものと類似するシステムにおいて、分岐１８１７’の総数（および、コネクタ１８１８’の総数）は常に、個々のケーブル１８１４’の総数よりも少ないのが好ましい。
【０１３５】
図２８Ｆ〜図２８Ｈは、１つまたは複数のスプリッタモジュール１８１０’が設けられてファイバ分布ハブのパッチパネルカセット１３１０ｂのポートに接続されたシステムのケーブル過密を管理するのに役立つ特定の特徴を包含した特定の実施形態を示しているが、他の構成も可能であることが了解されるものとする。たとえば、スプリッタモジュール１８１０’は、ファイバ分布ハブのパッチパネルカセット１３１０ｂのポートにケーブルを接続するのに使用する必要はないが、ケーブル過密を抑えつつ、１つまたは複数のスプリッタモジュール１８１０’から任意所望のデバイスにケーブルを接続するのに用いられるようになっていてもよい。同様に、出力ケーブル１８１１’は、図２８Ｈの特定の入力ケーブル１８１６’なしに設けられていてもよく、入力ケーブル１８１６’は、図２８Ｈの特定の出力ケーブル１８１１’なしに設けられていてもよい。さらに、図２８Ｆは、出力ケーブル１８１１’が個々のスプリッタモジュール１８１０’に結合されていてもよいことを示しているが、２つ以上の出力ケーブル１８１１’が個々のモジュール１８１０に結合されていてもよく、たとえば、図２８Ｈに示すように、積層の最上スプリッタモジュール１８１０’に２つの出力ケーブル１８１１’が結合されていてもよい。さらに、個々のスプリッタモジュール１８１０’から出力されたファイバ１８１２’がすべて、１つの出力ケーブル１８１１’を通過するようになっていてもよいが、他の実施形態においては、一群のファイバ１８１２’が第１の出力ケーブル１８１１’を通過する一方、第２群のファイバ１８１２’が第２の出力ケーブル１８１１’を通過するようになっていてもよい。たとえば、スプリッタモジュール１８１０’が３２本の出力ファイバ１８１２’を含む場合は、３２本の出力ファイバ１８１２’がすべて、単一の出力ケーブル１８１１’を通って配線されていてもよいし、これとは別に、２群の１６本のファイバ１８１２’がそれぞれ、２つの異なる出力ケーブル１８１１’を通って配線されていてもよい。いずれの場合も、上述の別の例も含めて、上述の関係が依然として当てはまるのが好ましい。たとえば、２群の１６本のファイバ１８１２’が２つの出力ケーブル１８１１’を通って延びた後、各群が対応するカップリング１８１３’を通って、対応する２群の１６本の個々のケーブル１８１４’まで延びている場合、各群の１６本の個々のケーブル１８１４’は、対応する出力ケーブル１８１１’の横方向断面積よりも大きな累積横方向断面積を有する。さらに、図２８Ａは、スプリッタカセット１３１０ａが単一のスプリッタモジュール１８１０を具備していてもよいことを示しているが、別のスプリッタモジュール１８１０が単一のスプリッタカセット１３１０ａ上に設けられていてもよいことが了解されるものとする。同様に、スプリッタカセットごとに１つまたは複数のスプリッタモジュール１８１０’等、図２８Ｆ〜図２８Ｈに関連して説明した１つまたは複数のスプリッタモジュール１８１０’がスプリッタカセット上に設けられていてもよい。
【０１３６】
図２９Ａおよび図２９Ｂは、記録シート１９００の形態のアクセサリを備えたパッチパネルシステム１３００を示している。以下、パッチパネルシステム１３００は、記録シート１９００を除いて、より詳しく説明することはない。ただし、記録シート１９００または類似のアクセサリを本明細書に記載の他のパッチパネルシステムとともに使用可能であることが了解されるものとする。図２９Ａおよび図２９Ｂにおいては、パッチパネルシステム１３００のハンガープレート１３２１ａ、１３２１ｂを開放または保守状態で示しているが、記録シート１９００については、図２９Ａにおいて格納状態で、図２９Ｂにおいて動作可能状態で示している。記録シート１９００は、プラスチックシート等の矩形状のシートの形態であり、たとえばペンまたは鉛筆で記録可能なシートの面上に紙または紙状の材料を含んでいてもよい。図示の実施形態において、記録シート１９００は、ハンガープレート１３２１ｂの自由端部にヒンジ結合された側縁を有する。ただし、記録シート１９００は、代替としてハンガープレート１３２１ａ上に設けられていてもよいことが了解されるものとする。同様に、２つの記録シート１９００が１つずつ、ハンガープレート１３２１ａ、１３２１ｂ上に設けられていてもよい。記録シート１９００は、パッチパネルシステム１３００の保守を補助する情報をユーザに与える印１９１０を少なくとも１つの面上に含んでいてもよい。たとえば、印１９１０は、１つまたは複数の接続図を含んでいてもよい。さらに、印１９１０は、保守中または保守後にパッチパネルシステム１３００に関する情報をユーザが記録可能な空間を含むことにより、たとえば後で参照できる記録を提供するようにしてもよい。記録シート１９００は、ハンガープレート１３２１ｂの自由端部にヒンジ結合された側縁を有するものとして示しているが、記録シート１９００の上縁がパッチパネルシステム１３００のフレームまたは内側シャーシの上縁にヒンジ結合され、上方への折り畳みで動作可能状態となるようになっていてもよいし、あるいは、記録シート１９００の底縁がパッチパネルシステム１３００のフレームまたは内側シャーシの底縁にヒンジ結合され、下方への折り畳みで動作可能状態となるようになっていてもよいことが了解されるものとする。
【０１３７】
パッチパネルシステム１２００および１３００は、環境が関係し、特に水密封止が重要な用途の場合に、特によく適していると考えられる。ただし、天候保護および／または水密封止の必要性が少ないパッチパネルシステムの他の用途においては、別個のカバーなくパッチパネルシステムが用いられるようになっていてもよい。たとえば、図３０Ａは、本開示の別の実施形態に係る、ハンガープレート２０２１ａ、２０２１ｂが設置または格納状態のパッチパネルシステム２０００を示している。図３０Ｂは、開放または保守状態のパッチパネルシステム２０００のハンガープレート２０２１ａ、２０２１ｂを示している。パッチパネルシステム２０００は、図示の実施形態において出入りするケーブル（または、ケーブル束）Ｃ用のポートを含み得る側壁２００４を備えた実質的に矩形のハウジングまたはフレームを具備していてもよい。ケーブルＣは、側壁２００４のポートに結合または進入するシース等の保護部材内に位置決めされていてもよく、ポートの数がこれより多くても少なくてもよく、ポートが側壁２００４と異なるハウジングの部分に位置決めされていてもよいことが了解されるものとする。パッチパネルシステム２０００のポートは、本明細書に記載の他ポートに類似していてもよい。フレームの上壁２００６には、１つまたは複数の吊り下げ要素２００７が結合されていてもよい。図示の実施形態において、２つの吊り下げ要素２００７はそれぞれ、上壁２００６に結合された第１の端部およびハウジングの後壁に結合された第２の端部を有する。ただし、１つまたは２つ以上の吊り下げ要素２００７が設けられていてもよく、パッチパネルシステム２０００のハウジングの他の部分に結合されていてもよいことが了解されるものとする。図示の実施形態において、吊り下げ要素２００７はそれぞれ、ワイヤＷが通過するとともにパッチパネルシステム２０００が吊り下げ要素２００７を介してワイヤＷからぶら下がり得るように、ハウジングと閉じた境界を構成していてもよい。吊り下げ要素２００７は、剛性で、たとえばパッチパネルシステム２０００の接地に使用可能な金属等、システム２０００のハウジングと同様の材料で形成されていてもよい。他の実施形態において、吊り下げ要素２００７は、ワイヤＷからぶら下がりつつパッチパネルシステム２０００を支持するのに十分な強度を与えるストラップ等の軟質材料であってもよい。さらに他の実施形態において、吊り下げ要素２００７は、２つの端部でパッチパネルシステム２０００のハウジングに結合されている必要がない。たとえば、吊り下げ要素２００７は、パッチパネルシステム２０００のハウジングに結合された第１の端部およびワイヤＷへの引っ掛かりあるいは固定をもたらすように成形された第２の自由端部を有していてもよい。
【０１３８】
図３０Ｂに示すように、システム２０００のハンガープレート２０２１ａ、２０２１ｂの開放または保守状態においては、複数のカセット２０１０にアクセス可能であってもよく、パッチパネルシステム１２００、１３００と実質的に同様または同一の様態で、カセット２０１０が垂直方向に積層された構成である。上記他の実施形態に関連してカセットを説明済みのため、ここでカセット２０１０について別途詳しく説明することはない。図３０Ａに示すように、ハンガープレート２０２１ａ、２０２１ｂの閉塞または設置状態において、ハンガープレート２０２１ａ、２０２１ｂは、パッチパネルシステム２０００のハウジングの他の部分と併せてカセット２０１０を被覆および／または包囲していてもよい。ハンガープレート２０２１ａ、２０２１ｂは、ハンガープレート１３２１ａ、１３２１ｂと実質的に同様または同一であってもよく、以下では、特定の考え得る相違点を説明する以外に別途詳しく説明することはない。たとえば、ハンガープレート２０２１ａ、２０２１ｂは、上述の実施形態と同様または同一に、内壁上にハンガーおよびケーブル保持器を具備することにより、パッチパネルシステム２０００内でのケーブルの整線および配線に役立ち得る。ハンガープレート１３２１ａ、１３２１ｂは、フレーム１３０２の内側からフレームの外側のエリア（ただし、依然としてカバー１３８０内）までのケーブルの通過を容易にする窓等の窪みを含んでいてもよいが、ハンガープレート２０２１ａ、２０２１ｂは、このような窪みまたは窓を含まないのが好ましいと考えられる。このような窓または窪みを省略することにより、カバーの追加なくパッチパネルシステム２０００を使用可能であることから、パッチパネルシステム２０００の内部を保護するのに役立ち得る。また、パッチパネルシステム１３００と同様に、パッチパネルシステム２０００のハンガーが閉塞または設置状態の場合にハンガープレート２０２１ｂがカセット２０１０により近く位置決めされ、閉塞または設置状態においてハンガープレート２０２１ａが外側の環境に面するように、ハンガープレート２０２１ａおよび２０２１ｂが構成されているのが好ましいと考えられる。閉塞または設置状態において、ハンガープレート２０２１が完全または実質的完全にハンガープレート２０２１ｂを囲むとともにパッチパネルシステム２０００のハウジングと完全または実質的完全な封止を構成するように、ハンガープレート２０２１ａがその縁部上にリップ等の機構を具備するのが好ましいと考えられる。また、ハンガープレート２０２１ａは、図３０Ａに示す閉塞または設置状態にハンガー２０２１ａ、２０２１ｂを保つのに役立つ１つまたは複数のラッチ２０２３を具備していてもよい。いくつかの例において、パッチパネルシステム２０００のハウジングには、ハンガープレート２０２１ａ上の対応するラッチ機構と相互作用するラッチ機構またはラッチ機構の一部を含んでいてもよい。
【０１３９】
図３１Ａは、ほとんどの点でパッチパネルシステム２０００に類似する閉塞または設置状態のハンガープレート２０２１’を備えたパッチパネルシステム２０００’を示している。ただし、主な相違点として、パッチパネルシステム２０００’は、水平方向に回転して保守状態となるハンガープレート２０２１ａ、２０２１ｂに対して、（図３１Ｂに示すように）垂直方向下方に回転して保守状態となるハンガープレート２０２１’を有する。ただし、上掲の「垂直」および「水平」方向は、パッチパネルシステムの設置の状況によって決まり得ることが了解されるものとする。たとえば、上掲の「垂直」回転および「水平」回転の相違は、図示のようにパッチパネルシステム２０００、２０００’が吊り下げ設置にて用いられる場合を表すものである。パッチパネルシステム２０００’は、図示の実施形態において出入りするケーブル（または、ケーブル束）用のポートを含み得る側壁２００４’を備えた実質的に矩形のハウジングまたはフレームを具備していてもよい。ケーブルは、側壁２００４’のポートに結合または進入するシース等の保護部材内に位置決めされていてもよいことが了解されるとともに、ポートの数がこれより多くても少なくてもよく、ポートが側壁２００４’と異なるハウジングの部分に位置決めされていてもよいことが了解されるものとする。ポートは、一部が側壁２００４’に形成され、一部がハンガープレート２０２１’に形成されていてもよい。パッチパネルシステム２０００’のポートは、本明細書に記載の他ポートに類似していてもよい。フレームの上壁２００６’には、１つまたは複数の吊り下げ要素２００７’が結合されていてもよい。図示の実施形態において、２つの吊り下げ要素２００７’はそれぞれ、上壁２００６’に結合された第１の端部およびハウジングの後壁に結合された第２の端部を有する。ただし、１つまたは２つ以上の吊り下げ要素２００７’が設けられていてもよく、パッチパネルシステム２０００’のハウジングの他の部分に結合されていてもよいことが了解されるものとする。図示の実施形態において、吊り下げ要素２００７’は、ワイヤＷが通過するとともにパッチパネルシステム２０００’が吊り下げ要素２００７’を介してワイヤＷからぶら下がり得るように、ハウジングと閉じた境界を構成していてもよい。吊り下げ要素２００７’は、吊り下げ要素２００７と実質的に同様または同一であってもよく、本明細書においてより詳しく説明することはない。
【０１４０】
図３１Ｂに示すように、ハンガープレート２０２１’の開放または保守状態においては、複数のカセット２０１０ａ’、２０１０ｂ’にアクセス可能であってもよく、カセットが垂直方向に積層された構成である。図示の実施形態においては、入力ケーブル１８００’が１つまたは複数のカセット２０１０ａ’に入り、これらのカセットが、図２８Ａに関連して説明したものと類似のスプリッタを具備していてもよい。カセット２０１０ａ’は、第２群の垂直方向に積層されたカセット２０１０ｂ’に隣接して位置決めされていてもよく、これらは、図２８Ａのカセット１３１０ｂに類似する分布パッチパネルであってもよい。ケーブル２０２０’は、カセット２０１０ａ’内のポートをカセット２０１０ｂ’内のポートに結合していてもよく、図２８Ａの構成と同様に、出力ケーブル１８６０’がカセット２０１０ｂ’から個々の加入者まで延びている。図３１Ａに示すように、ハンガープレート２０２１’の閉塞または設置状態において、ハンガープレート２０２１’は、パッチパネルシステム２０００’のハウジングの他の部分と併せてカセット２０１０ａ’、２０１０ｂ’を被覆および／または包囲していてもよい。ハンガープレート２０２１’は、垂直方向に積層された１つまたは複数の群において、本明細書に記載の他のハンガーに類似の複数のハンガーを具備することにより、パッチパネルシステム２０００’内でケーブルを整線および案内するのに役立ち得る。ハンガープレート２０２１’は、ハンガープレート２０２１ａ、２０２１ｂと同様に、窓等の窪みを含んでいないのが好ましい。ハンガープレート２０２１ａ、２０２１ｂがパッチパネルシステム２０００の側壁２００４上のヒンジを介してそれぞれのハウジングに結合されている一方、ハンガープレート２０２１’は、パッチパネルシステム２０００’のハウジングの底面にヒンジ結合されているのが好ましいため、ハンガープレート２０２１’の上部は、パッチパネルシステム２０００’の前部から離れる方向に下方へと回転することにより、設置状態から保守状態へと遷移するようになっていてもよい。また、ハンガープレート２０２１’は、図３１Ａに示す閉塞または設置状態に当該ハンガープレート２０２１’を保つのに役立つ１つまたは複数のラッチ２０２３’を具備していてもよい。いくつかの例において、パッチパネルシステム２０００’のハウジングには、ハンガープレート２０２１’上の対応するラッチ機構２０２３’と相互作用するラッチ機構またはラッチ機構の一部を含んでいてもよい。システム２０００’は、２群の垂直方向に積層されたカセット２０１０ａ’、２０１０ｂ’を備えるものとして示しているが、この代替として、システム２０００のカセット２０１０と類似の構成のカセットまたは本明細書に記載のパッチパネルシステムの他の実施形態と類似の構成のカセットを具備し得ることが了解されるものとする。図３１Ｃに示す開放または保守状態のハンガープレート２０２１’’を備えたパッチパネルシステム２０００’’は、内部のカセットの構成以外のあらゆる点でパッチパネルシステム２０００’と同様または同一であってもよい。たとえば、第２群の垂直方向に積層されたカセット２０１０ｂ’と水平方向に隣接する第１群の垂直方向に積層されたカセット２０１０ａ’をシステム２０００’が具備するのに対して、システム２０００’’は、第２群の水平方向に積層されたカセット２０１０ｂ’’と水平方向に隣接して位置決めされた第１群の水平方向に積層されたカセット２０１０ａ’’を具備していてもよい。これに対して、カセット２０１０ａ’’が機能的にカセット２０１０ａ’と類似しており、カセット２０１０ｂ’’が機能的にカセット２０１０ｂ’と類似していてもよい。パッチパネルシステム２０００’のほか、本明細書に記載の他のパッチパネルシステムのいずれについても、ハンガープレート２０２１’が図３１Ｂに示す保守状態の場合、カセット２０１０ａ’、２０１０ｂ’から延びたケーブルは、ハンガープレートの内面上に位置決めされたままであってもよく、たとえば、ハンガーまたは他のケーブル保持もしくはケーブル整線構造上に維持されていてもよいことが了解されるものとする。
【０１４１】
図３２Ａは、ほとんどの点でパッチパネルシステム１３００に類似するものの、図３０Ａ〜図３１Ｃのパッチパネルシステムと同様にワイヤＷからぶら下がるように設計されたパッチパネルシステム２１００の一実施形態を示している。たとえば、パッチパネルシステム２１００は、ベース１３９０と同様または同一のベース２１９０に結合可能なパッチパネルシステム１３００のフレームおよび／または内部シャーシと同様または同一のフレームおよび／または内部シャーシを具備していてもよい。また、パッチパネルシステム２１００は、パッチパネルシステム１３００のカバー１３８０と同様または同一のカバー２１８０を具備していてもよい。パッチパネルシステム２１００は、パッチパネルシステム１３００に関連して説明したラッチ機構または水分センサ等のアクセサリのいずれかを具備していてもよい。パッチパネルシステム２１００とパッチパネルシステム１３００との主な相違点として、パッチパネルシステム２１００は、ワイヤＷからぶら下がり得るように、１つまたは複数の吊り下げ要素２１０７ａ、２１０７ｂを具備していてもよい。たとえば、吊り下げ要素２１０７ａは、カバー２１８０の一部または全部を囲むとともに、カバーと当該吊り下げ要素２１０７ａとの間にワイヤＷが延伸可能な開口を規定することによって、カバーに結合されていてもよい。吊り下げ要素２１０７ｂは、ベース２１０９の終端面に結合され、ワイヤＷが通過し得る閉じた境界を構成していてもよい。吊り下げ要素２１０７ａ、２１０７ｂは、カバー２１８０およびベース２１９０をそれぞれワイヤＷから吊り下げ可能な他の形状および／または他の形態であってもよいことが了解されるものとする。さらに、図示の実施形態において、パッチパネルシステム２１００内のカセットは、パッチパネルシステム２０００’’に示したものと同じ構成を有するが、本明細書に記載の他のカセット構成によって図３２Ａに示す構成を置き換え可能であることが了解されるものとする。いくつかの実施形態において、パッチパネルシステム２１００のカバー２１８０および内部シャーシの一方または両方がデバイスを具備していてもよいし、デバイスに動作可能に結合されていてもよく、カバー２１８０がベース２１９０から離れる方向に摺動可能な範囲を限定するようになっていてもよい。たとえば、カバー２１８０は、内部シャーシから完全に外れることのないように、内部シャーシの上部近くの外部突起に接触し得る開放端近くの内部突起を具備していてもよい。このようなストッパまたはリミッタ構造は、内部シャーシへの十分なアクセスによって保守を実行し得る一方、内部シャーシに結合された状態を維持して両構造が互いから完全に外れることのないように、回転または摺動等によってカバー２１８０を十分に取り外し可能とするのに役立ち得る。
【０１４２】
図３２Ｂは、多くの点で図３２Ａのパッチパネルシステム２１００に類似するパッチパネルシステム２１００’の一実施形態を示している。たとえば、パッチパネルシステム２１００’は、ベース２１９０と同様または同一のベース２１９０’に結合可能なパッチパネルシステム２１００と同様のフレームおよび／または内部シャーシを具備していてもよい。また、パッチパネルシステム２１００’は、パッチパネルシステム２１００のカバー２１８０と同様または同一のカバー２１８０’を具備していてもよい。パッチパネルシステム２１００’は、パッチパネルシステム１３００および２１００に関連して説明したラッチ機構または水分センサ等のアクセサリのいずれかを具備していてもよい。図３２Ｂには示していないものの、パッチパネルシステム２１００’は、ワイヤからぶら下がり得るように、システム２１００の吊り下げ要素２１０７ａ、２１０７ｂと同様または同一の１つまたは複数の吊り下げ要素を具備していてもよい。図示の実施形態において、パッチパネルシステム２１００’内のカセットは、図３１Ｂに示したものと同様の構成で配置されていてもよい。言い換えると、パッチパネルシステム２１００’は、互いに水平方向に隣接して位置決めされた２群の垂直方向に積層されたカセットを具備していてもよい。図３２Ｂに関連して使用する用語「垂直」および「水平」は、明瞭化を意図したものであることが了解されるとともに、「垂直」および「水平」方向は実際のところ、グランドまたはシステムがぶら下がるワイヤ等の別の物体に対するシステム２１００’の配向によって決まり得ることが了解されるものとする。この特定の実施形態においては、第１群のカセット２１１０ａ’が第２群のカセット２１１０ｂ’に隣接して位置決めされており、両群のカセットが上部および底部フレーム要素２１０５’間に位置決めされている。カセットの特定の使用は変化し得るが、図示の実施形態において、第１群のカセット２１１０ａ’は、複数のスプリッタカセットのほか、サービスプロバイダからの信号を受信するように構成された１つまたは複数のカセットを含み、これらのカセットが１つまたは複数のケーブルを介してスプリッタカセットに連結されている。さらに、この特定の実施形態において、第２群のカセット２１１０ｂ’は、信号をサービス加入者に伝達するように構成された複数のカセットを含む。図示のように、パッチパネルシステム２１００’には、３群ものハンガーアセンブリ２１２０ａ’、２１２０ｂ’、および２１２０ｃ’が設けられていてもよいが、他の実施形態においては、より多くのハンガーアセンブリが設けられていてもよいし、より少ないハンガーアセンブリが設けられていてもよいことが了解されるものとする。
【０１４３】
ハンガーアセンブリ２１２０ａ’は、第１群のカセット２１１０ａ’に隣接して位置決めされていてもよく（図３２Ｂの図の左側）、カセットごとに、近位面近くで対応するカセットと整列して位置決めされた１つのハンガーを具備していてもよい。ハンガーアセンブリ２１２０ａ’は、たとえばサービスプロバイダからの信号を受信するように構成されたカセットにサービスプロバイダから入るケーブルのほか、サービスプロバイダからの信号を受信するように構成されたカセットをスプリッタカセットに接続するケーブル等、ケーブルを支持するように構成されていてもよく、これらはすべて、第１群のカセット２１１０ａ’に存在していてもよい。ハンガーアセンブリ２１２０ｂ’は、ハンガーアセンブリ２１２０ａ’と構造的に同様または同一であってもよく、第１群のカセット２１１０ａ’および２１１０ｂ’間に位置決めされ、第１群のカセット２１１０ａ’を第２群のカセット２１１０ｂ’に接続するケーブルを支持するように構成されている。ハンガーアセンブリ２１２０ｃ’は、ハンガーアセンブリ２１２０ａ’および２１２０ｂ’と構造的に同様または同一であってもよく、第２群のカセット２１１０ｂ’とベース２１９０’との間に位置決めされ（図３２Ｂの図の右側）、第２群のカセット２１１０ｂ’をサービス加入者に接続するケーブルを支持するように構成されている。第１群のカセット２１１０ａ’および第２群のカセット２１１０ｂ’は、たとえば第１群のスプリッタカセット２１１０ａ’から第２群のカセット２１１０ｂ’までケーブルを接続してサービス加入者をサービスプロバイダに接続することにより、ユーザがカバー２１８０’を取り外してシステム２１００’の保守を実行したいと思った後、格納位置（最遠位置）から保守位置（近接位置）まで摺動されるようになっていてもよいことが了解されるものとする。ケーブルの整線を保つため、ハンガーアセンブリ２１２０ａ’〜２１２０ｃ’のうちの１つまたは複数も同様に、保守時に遠位格納位置から近接位置まで摺動可能であるのが好ましいと考えられる。このため、図示の実施形態において、各ハンガーアセンブリ２１２０ａ’〜２１２０ｃ’は、近位方向および遠位方向に摺動可能である。たとえば上部および底部フレーム要素２１０５’の対応するトラックによって、摺動機構またはその他任意適当な機構が提供されるようになっていてもよい。一実施形態において、ハンガーアセンブリ２１２０ａ’〜２１２０ｃ’は、カバー２１８０’のベース２１９０’への接続を可能にする位置に対応する最遠摺動位置と、カセットの最近摺動位置に対応する最近位置とを有する。ハンガーアセンブリ２１２０ａ’〜２１２０ｃ’のうちの１つまたは複数には、ハンドル等の他の機構が設けられ、保守中にユーザがハンガーアセンブリを近位方向および／または遠位方向に容易に摺動させ得るようにしてもよい。
【０１４４】
図３２Ｃは、１つを除くあらゆる点でパッチパネルシステム２１００’と同一のパッチパネルシステム２１００’’の一実施形態を示している。特に、システム２１００’のハンガーアセンブリ２１２０ａ’〜２１２０ｃ’がそれぞれ個々に、近位方向または遠位方向に摺動可能である一方、ハンガーアセンブリ２１２０ａ’’〜２１２０ｃ’’は、一体的に摺動可能となるように、結合部材２１３０’’によって結合されている。言い換えると、ユーザがハンガーアセンブリ２１２０ｂ’’を近位方向に摺動させる場合は、バーまたはその他任意適当な構造が考えられる結合部材２１３０’’によって、その他の２１２０ａ’’および２１２０ｃ’’がハンガーアセンブリ２１２０ｂ’’とともに摺動する。さらに、近位方向および遠位方向に摺動するハンガーアセンブリを含むものとしてパッチパネルシステム２１００’および２１００’’を示しているが、摺動の代わりに、遠方位置と近接位置との間の枢動点周りに旋回する類似のハンガーアセンブリで上記ハンガーアセンブリのいずれか（または、ハンガーアセンブリのすべて）を置き換えることも可能である。たとえば、図３２Ｄは、パッチパネルシステム２１００’および／または２１００’’と類似のシステムで使用可能な一群のカセット２１１０ｂ’’’を示している。ハンガーアセンブリ２１２０ｃ’’’を遠方位置および近接位置の両者で示しているが、これら２つの位置が同時には実現可能とならないことが了解されるものとする。ハンガーアセンブリ２１２０ｃ’および２１２０ｃ’’と同様に、ハンガーアセンブリ２１２０ｃ’’’は、個々のカセット２１１０ｂ’’に対応する複数のハンガーを具備するものの、ヒンジまたは枢動点２１４０’’’でカセット２１１０ｂ’を収容するシャーシの側壁に結合されていてもよい。格納状態において、カバーがカセットを覆っている状態では、ハンガーアセンブリ２１２０ｃ’’’が図３２Ｄに示す最遠位置にあるのが好ましい。保守時、ハンガーアセンブリ２１２０ｃ’’’は、枢動点２１４０’’’周りに枢動またはヒンジ動作して、図３２Ｄに矢印で示す経路を図示の最近位置まで移動することも可能である。このようなシステムのその他のハンガーアセンブリの一方または両方が図３２Ｂおよび図３２Ｃの摺動機構に代えて、類似の枢動またはヒンジ機構を具備し得ることが了解されるものとする。
【０１４５】
図３３Ａおよび図３３Ｂはそれぞれ、本明細書に記載のパッチパネルシステムに使用可能なケーブル整線器２２００の前面図および斜視図である。一般的に、ケーブル整線器２２００は、（ｉ）一般的に第１の左右方向（水平方向等）に延びるケーブルをその長さ全体で保つこと、（ｉｉ）他のケーブルもしくはケーブル群から層化および／もしくは分離された個々のケーブルもしくはケーブル群を保つこと、（ｉｉｉ）ケーブル整線器の第１の側端でケーブル整線器の第２の側端に向かって比較的大きな距離だけ離隔し、互いに比較的近いケーブルを配線すること、ならびに／または（ｉｖ）ケーブル交差の位置を制限すること等、以下により詳しく説明する１つまたは複数の機能を提供するようにしてもよい。
【０１４６】
図示の実施形態において、ケーブル整線器２２００は、プレートまたは壁２２１０を具備していてもよい。壁２２１０は、ハンガープレートの内側面に結合された状態で、複数のリブ２２２０を当該壁に結合するよう機能し得る。壁２２１０が備わっている場合は、当該壁のハンガープレートへの締結を容易化する１つまたは複数の開口部等の特徴を含んでいてもよい。他の実施形態においては、壁２２１０が省略され、リブ２２２０がハンガープレートに直接結合されていてもよいし、あるいは、ハンガープレートと一体的に形成されていてもよい。説明のみを目的として、図３３Ａの特定図においては、ケーブル整線器２２００の第１の側端がケーブル整線器の右縁部を表す一方、ケーブル整線器の第２の側端がケーブル整線器の左縁部を表す。第１および第２の側端間の方向は、水平方向と称する。図３３Ａの水平方向と垂直で、ケーブル整線器の底部と上部との間に延びる方向は、説明のみを目的として、垂直方向と称する。図示の実施形態において、各リブ２２２０は、完全または実質的に水平方向に延びる第１の側端から延びた第１の部分２２２０ａを含む。リブ２２２０の一部または全部は、垂直方向の成分を有する方向に湾曲あるいは延伸する第２の部分２２２０ｂを含んでいてもよい。最上リブ２２２０は、最底リブ２２２０に向かって大略下方に湾曲または延伸する第２の部分２２２０ｂを含むのが好ましい。一方、最底リブ２２２０は、最上リブ２２２０に向かって大略上方に湾曲または延伸する第２の部分２２２０ｂを含むのが好ましい。図示のように、最上および最底リブ２２２０の第２の部分２２２０ｂは、垂直方向に最大の曲率または延伸を有していてもよい。一方、ケーブル整線器２２００の垂直方向中心またはその近傍に位置決めされたリブ２２２０は、曲率が最小の第２の部分２２２０ｂを有していてもよいし、垂直方向の延伸を含んでいなくてもよい。第２の部分２２２０ｂの垂直方向の曲率の程度は、上縁および底縁に近いリブ２２２０ほど大きくなっていてもよい。リブ２２２０の一部または全部は、第２の側端で終端し、ケーブル整線器２２００の上部に向かってある程度の曲率を有する第３の部分２２２０ｃを含んでいてもよい。
【０１４７】
図３３Ｃおよび図３３Ｄは、パッチパネルシステム１３００と同様または同一のパッチパネルシステムとともに用いられるケーブル整線器２２００を示している。図３３Ｃはケーブルを省略しており、図３３Ｄはケーブルの例示的な使用を示している。特に、ケーブル整線器２２００は、ハンガープレート１３２１ａの内面に結合されている。図３３Ｃおよび図３３Ｄの実施形態においては、２群の積層ファイバ分布カセット１３１０ｂがパッチパネルシステムの底部近くに位置決めされる一方、２群のスプリッタカセット１３１０ａがパッチパネルシステムの上部近くに位置決めされている。一般的には、図２８Ａに示す構成と同様に、特定のケーブルがスプリッタカセット１３１０ａを出て、ハンガーユニット１３２３’の対応するハンガーに沿って通過した後、同一または別のスプリッタカセット１３１０ａに再び入るか、または、ファイバ分布カセット１３１０ｂに入るようになっていてもよい。図３３Ｄに示すように、同じスプリッタカセット１３１０ａに出入りするケーブルは、ケーブル保持器１３３０ａに巻き付いて、ケーブルの支持および整線に役立ち得る。図２８Ａに関連して上述した通り、ユーザは必要に応じて、スプリッタカセット１３１０ａからケーブルの端部を取り外し、当該ケーブルをファイバ分布カセット１３１０ｂのポートに接続するようにしてもよい。このような遷移において、ケーブルは、ケーブル整線器２２００のリブ２２２０のうちの１つの表面に沿って配線された後、所望のファイバ分布カセット１３１０ｂへと導かれるようになっていてもよい。一実施形態においては、各リブ２２２０の底面に沿ってケーブルが配線され、リブの数は、２つの群のファイバ分布カセット１３１０ｂの数と同等または実質的に同等である。各リブ２２２０または各リブの表面のうちの１つは、対応するファイバ分布カセット１３１０ｂと実質的に位置合わせされているのが好ましいため、ケーブル整線器２２００の第１の側端と対応するファイバ分布カセット１３１０ｂとの間に延びたケーブルの部分は、リブ２２２０の第１の部分２２２０ａと実質的に平行な方向（水平方向と称し得る）に延びていてもよい。
【０１４８】
多くのケーブルがさまざまなスプリッタカセット１３１０ａおよびファイバ分布カセット１３１０ｂに対して延入および延出しているため、さまざまなケーブルが互いに交差しており、一般的なケーブル過密によって、たとえばユーザがケーブルの端部をスプリッタカセット１３１０ａからファイバ分布カセット１３１０ｂまで再配線したい場合に、そのようなケーブルの容易な再配線が困難になる場合がある。ただし、ケーブル整線器２２００は、ケーブルの特定の配線を容易化して、過密を抑えることができる。たとえば、１つのファイバ分布カセット１３１０ｂへと配線されたケーブルは一般的に、ケーブル整線器２２００のリブ２２２０によって、他のファイバ分布カセット１３１０ｂへと配線された他のケーブルから分離または層化された状態が保たれるようになっていてもよい。さらに、ケーブル整線器２２００の第２の側端を通って配線されたケーブルは、第１の側端よりも第２の側端でリブ２２２０が互いに近く離隔しているという事実によって、より小さなエリアに集約されていてもよい。ケーブル整線器２２００の第２の側端を通って配線されたこれらのケーブルは、リブ２２２０の第１の部分２２２０ａと実質的に垂直な方向（垂直方向と称し得る）に延びていてもよい。この構成により、ケーブルが互いに交差する点は一般的に、ケーブル整線器２２００の第２の端部とケーブル保持器１３３０ａとの間で垂直方向に延びたケーブルの部分に制限される。ケーブルの垂直部分は一般的に、ケーブルの他の屈曲部よりも緩く包まれており、結果として、他の隣接ケーブルとの絡みによる大きな妨害なく、個々のケーブルの把持および再位置決めが一般的には、より容易になることが分かっている。
【０１４９】
ケーブル整線器２２００を用いるいくつかの実施形態においては、ケーブルの保護に役立つ別のカバーが設けられていてもよい。たとえば、一実施形態においては、ハンガープレート１３２１の自由端部にプレートがヒンジ結合され、回転によって、ハンガープレートの自由端部近くに位置決めされたケーブルの垂直部を覆うように構成されていてもよい。
【０１５０】
図３４は、本開示の別の実施形態に係る、通信システム３０００の一例を示している。システム３０００は、当該システム３０００のその他のコンポーネントを含み得る筐体またはハウジング３００２を具備していてもよい。ハウジング３００２は、前方に開放されたものとして示しているが、ドア等のコンポーネントが備えられて、ハウジングが内部のコンポーネントを完全または実質的完全に封止できるようになっていてもよいことが了解されるものとする。システム３０００は、前側ベース３０１０および後側ベース３０１２を具備していてもよく、互いに一体化していてもよい。後側ベース３０１２は、第１のシャーシ３１００および第２のシャーシ３２００が載った状態で、前側ベース３０１０より高くてもよい。第１のシャーシ３１００は、本明細書に記載の他の実施形態と類似の摺動構成の複数のカセットを受容するように構成されていてもよい。図示の実施形態において、第１のシャーシは、第１群のカセット３３００、第２群のカセット３４００、および第３群のカセット３５００を含む少なくとも３種類のカセットを受容するように構成されていてもよい。第１のシャーシ３１００からある離隔距離に位置決め可能な第２のシャーシ３２００は、１つまたは複数の群の１つまたは複数のスプリッタカセット３６００を受容するように構成されていてもよい。
【０１５１】
第１群のカセット３３００は、本実施形態においては第１のシャーシ３１００の上部に２つのカセットを含むものとして示しているが、サービスプロバイダからの信号を受信し、当該信号をスプリッタカセット３６００に送信するように構成されていてもよい。たとえば、ハウジング３００２の外側の位置から１つまたは複数のケーブル３３１０が延びて、カセット３３００の後部の１つまたは複数のポートに延入していてもよい。ケーブル３３１０は、カセット３３００に予め設置されていてもよいため、たとえば、ユーザは通常、カセット３３００の後部に頻繁にアクセスする必要がない。ただし、いくつかの状況においては、カセット３３００の後面を通過して後部に接続されるのと対照的に、ケーブル３３１０がカセット３３００の前面を通過して後部に接続されるようになっていてもよいことが了解されるものとする。さらに、以下により詳しく説明する通り、スプリッタカセット３６００の設置に際しては、１つまたは複数のカセット３３００が第１のシャーシ３１００から部分的または完全に摺動して出ることにより、ケーブル３６１０がスプリッタカセット３６００をカセット３３００に接続可能となっていてもよい。
【０１５２】
第３群のカセット３５００は、本実施形態においては後側ベース３０１２にそれぞれ隣接する３群の６つのカセットを含むものとして示しているが、図２８Ａのパッチパネルカセット１３１０ｂと類似のパッチパネルまたはファイバ分布カセットであってもよい。パッチパネルカセット３５００は、スプリッタカセット３６００から信号を受信し、当該信号をサービス加入者に伝達するように構成されていてもよい。たとえば、カセット３５００の後部の１つまたは複数のポートに１つまたは複数のケーブル３５１２が結合され、ハウジング３００２からサービス加入者まで延びていてもよい。ただし、いくつかの状況においては、カセット３５００の後面を通過して後部に接続されるのと対照的に、ケーブル３５１２がカセット３５００の前面を通過して後部に接続されるようになっていてもよいことが了解されるものとする。ケーブル３５１２は、カセット３５００に予め設置されていてもよいため、たとえば、ユーザは通常、カセット３５００の後部に頻繁にアクセスする必要がない。さらに、以下により詳しく説明する通り、システム３０００の最初の設置後の適当なタイミングで、１つまたは複数のカセット３５００が第１のシャーシ３１００から部分的または完全に摺動して出ることにより、ストレージカセット３４００に格納されたケーブル３４１０が取り外されてパッチパネルカセット３５００のポートに接続可能となっていてもよい。
【０１５３】
上記説明に基づいて、システム３０００は、第１のカセット３３００、第２のカセット３４００、および第３のカセット３５００が第１のシャーシ３１００に設置されるとともに、ケーブル３３１０および３５１２もそれぞれカセット３３００および３５００の後部に結合された状態で、顧客に提供されるようになっていてもよいことが了解されるものとする。ただし、上述の通り、ケーブル３３１０および３５１２は、対応するカセット３３００、３５００の後部まで直接通過するか、あるいは、これらのカセットの前面を通過して、当該カセットの後部のポートにアクセスするようになっていてもよいことが了解されるものとする。システム３０００の設置後、１つまたは複数のスプリッタカセット３６００が第２のシャーシ３２００に設置されるようになっていてもよいが、いくつかの実施形態においては、１つまたは複数のスプリッタカセット３６００が予め設置されていてもよい。そして、１つまたは複数のケーブル３６１０が第１のカセット３３００の前部のポートに結合され、スプリッタカセット３６００に結合されることにより、サービスプロバイダからの信号をスプリッタカセット３６００に伝達するようにしてもよい。ケーブル３６１０の矢印がスプリッタカセット３６００を指しているものの、スプリッタカセット３６００が通常、ケーブル３６１０が接続された状態で提供され得ることから、ユーザは通常、ケーブル３６１０の端部をカセット３３００のポートに結合しさえすればよいことが了解されるものとする。言い換えると、図３４のケーブル上の矢印は、サービスプロバイダの始点からサービス加入者の終点までの信号の伝送方向を大略示している。まず、１つまたは複数のケーブル３４１０がスプリッタカセット３６００から第２群のカセット３４００のうちの１つまたは複数に接続されていてもよい。第２群のカセット３４００は、ストレージカセットとして機能するようになっていてもよく、サービスプロバイダから特定のサービス加入者に信号を伝達するケーブルの接続に先立って、ケーブル３４１０が整線状態で格納されるようになっていてもよい。ストレージカセット３４００は、たとえば格納ラック１８４０または１８４０’と類似の構造を含めて、ケーブル３４１０の端部を保持する任意適当な特徴を含んでいてもよい。図示の実施形態において、システム３０００は、第１群のカセット３３００と第３群のカセット３５００との間に位置決めされた４つのストレージカセット３４００を具備する。サービスプロバイダを特定のサービス加入者に接続することが必要となった場合は、ユーザまたは技術者がストレージカセット３４００からケーブル３４１０を取り外して、パッチパネルカセット３５００の前部のポートに接続するようにしてもよい。パッチパネルカセット３５００に接続されたケーブルは、図３４においてケーブル３５１０と標識しているものの、同じケーブルがストレージカセット３４００に接続された場合は、ケーブル３４１０と標識する。
【０１５４】
非常に多くのケーブル３４１０および３５１０がスプリッタカセット３６００を対応するストレージカセット３４００およびパッチパネルカセット３５００に結合していてもよく、これらのケーブルがそれぞれ、パッチパネルカセット３５００またはストレージカセット３４００のいずれかの任意のポートまたは格納位置に接続可能であることが了解されるものとする。その結果、多くのケーブルは通例、対応する大きな質量を有するため、システム３０００内で支持する必要があり、簡単なアクセス操作で必要に応じてケーブル位置を変更可能なように支持するのが好ましい。システム３０００の図示の実施形態において、ケーブル３４１０、３５１０、および３６１０の大部分は、トラフ３７００に位置決めされていてもよい。トラフ３７００は、後側ベース３０１２の前壁、前側ベース３０１０の上面、およびパネル３８００によって形成されていてもよい。パネル３８００は、前側ベース３０１０にヒンジ結合されていてもよく、実質的に平坦であってもよいし、実質的に「Ｌ」字状であってもよい。パネル３８００は、図３４において（たとえば、保守時のアクセスのため）開放状態で示しており、上方および後側ベース３０１２側への回転によって、（たとえば、保守の完了後に）格納状態へと遷移するようになっていてもよい。トラフ３７００を通過するケーブル３４１０、３５１０、および３６１０の部分がパネル３８００に固定され得るように、１つまたは複数のハンガー（図示省略）がパネル３８００に設けられていてもよい。このため、システム３０００は、わずか１つのハンガーでケーブルを固定した状態でケーブル保守が可能であってもよい。
【０１５５】
カセット３３００、３４００、および３５００の厳密な数および位置取りは、図示と異なる場合があることが了解されるものとする。たとえば、いくつかの実施形態においては、第１のシャーシ３１００の上部にパッチパネルカセット３５００を受容した状態で、カセット３３００が第１のシャーシ３１００の底部近くに位置決めされていてもよい。同様に、第２のシャーシ３２００は、第２群の垂直配向スプリッタカセット３６００上に積層された第１群の垂直配向スプリッタカセット３６００を受容するものとして図示している。第２のシャーシ３２００は、当該第２のシャーシ３２００内の両方向矢印点線によって表される通り、各群の任意数のスプリッタカセット３６００を受容するように構成されていてもよい。第２のシャーシ３２００は、スプリッタカセット３６００の当該第２のシャーシ３２００に対する摺動出入りを容易化するスロット等の構造を含んでいてもよい。ただし、いくつかの実施形態において、第２のシャーシ３２００は、図３４に示すように、同一または異なる配向の異なる数のスプリッタカセット３６００または異なる数のスプリッタカセット３６００群を受容するように構成されていてもよいことが了解されるものとする。
【０１５６】
図３５は、特定の相違点を含む図３４のシステム３０００と類似の通信システム４０００を示している。一般的に、システム３０００および４０００の同様または同一のコンポーネントには、１０００だけ離れた部品番号を付与している。システム４０００のコンポーネントは、ハウジング３００２と実質的に同等の筐体またはハウジング４００２内に設けられていてもよい。第１のシャーシ４１００は、第１のシャーシ３１００と実質的に同一であり、同様に、第１群のカセット４３００、第２群のストレージカセット４４００、および第３群のパッチパネルカセット４５００を受容するように構成されていてもよい。システム４０００のケーブルコンポーネントは、システム３０００と機能的に同一であってもよい。たとえば、ケーブル４３１０がサービスプロバイダからの信号をカセット４３００の後部へと伝達し、ケーブル４６１０がカセット４３００の前部からスプリッタカセット４６００へと信号を伝達するようにしてもよい。特定の実施形態において、ケーブル４３１０は、後側ポートに向かってカセット４３００へと配線されているため、カセット４３００の前部開口を通過するようになっていてもよいことが了解されるものとする。また、ケーブル４４１０がスプリッタカセット４６００の前部からストレージカセット４４００内の格納位置まで延びていてもよい。適当なタイミングで、ケーブル４４１０がパッチパネルカセット４５００の前部のポートに結合されていてもよく、図中、接続されたケーブルを４５１０として標識する。ケーブル４５１２がパッチパネルカセット４５００の後部に結合され、パッチパネルカセット４５００からの信号をサービス加入者に伝達するようにしてもよい。ケーブル４３１０と同様に、ケーブル４５１２は、パッチパネルカセット４５００の後側ポートに向かって配線されているため、当該カセットの前部開口を通過するようになっていてもよいことが了解されるものとする。
【０１５７】
システム３０００および４０００間の主な相違点は、第２のシャーシ４２００の位置およびパネル４８００ａ、４８００ｂの構成である。特に、第２のシャーシ４２００は、第１のシャーシ４１００上に直接設けられていてもよいし、第１のシャーシ４１００の上壁からある距離だけ離隔していてもよい。第２のシャーシ４２００は、任意数のスプリッタカセット４６００を受容するように構成されていてもよい。一例において、第２のシャーシ４２００は、第２のシャーシ３２００に受容可能なスプリッタカセット３６００の総数と同じ単一群のスプリッタカセット４６００を受容するように構成されていてもよい。システム３０００と同様に、非常に多くのケーブル４４１０、４５１０、および４６１０がスプリッタカセット４６００の前部から延びていてもよい。このため、第２のシャーシ４２００の前面およびスプリッタカセット４６００の前面が第１のシャーシ４１００の前面からある離隔距離だけ後退しているのが好ましいと考えられる。これらのケーブルは、第２のシャーシ４２００の前方の第１のシャーシ４１００上に位置決めされたトレイ、ビン、またはトラフ内に格納されていてもよい。ケーブルトラフ（図３５では個別に示さず）がスプリッタカセット４６００の第２のシャーシ４２００への摺動出入りと干渉しないように、第２のシャーシ４２００は、第１のシャーシ４１００の上部からある距離だけ離隔している。
【０１５８】
第２のシャーシ４２００の直接前方のケーブル４４１０、４５１０、および４６１０の部分は、上述のトラフに格納されていてもよいが、ケーブル４４１０、４５１０、および４６１０の付加的な長さは、第１のシャーシ４１００の側壁にヒンジ結合可能なパネル４８００ａ、４８００ｂ上の付加的なハンガーと整線され得るのが望ましい。パネル４８００ａおよび４８００ｂは、たとえば図３３Ｃに関連して図示および説明したハンガープレートあるいはこのようなハンガープレートに関連して説明した任意適当なアクセサリ（ケーブル整線器２２００等）を含めて、本明細書に記載のさまざまなハンガープレートと同様または同一の特徴を含んでいてもよい。システム３０００に関連して説明したカセット３３００、３４００、３５００、および３６００の数および相対的な位置取りのさまざまな代替構成は、システム４０００のカセット４３００、４４００、４５００、および４６００にも同様に当てはまり得ることが了解されるものとする。
【０１５９】
図３６Ａは、特定の相違点を含む図３４および図３５のシステム３０００、４０００と類似の通信システム５０００を示している。一般的に、システム４０００および５０００の同様または同一のコンポーネントには、１０００だけ離れた部品番号を付与している。システム５０００のコンポーネントは、ハウジング４００２と実質的に同等の筐体またはハウジング５００２内に設けられていてもよい。第１のシャーシ５１００は、第１のシャーシ４１００と実質的に同一であり、同様に、第１群のカセット５３００、第２群のストレージカセット５４００、および第３群のパッチパネルカセット５５００を受容するように構成されていてもよい。図３６Ａの図示の実施形態においては、ストレージカセット５４００が第１のシャーシ５１００上に設けられ、第１群のカセット５３００が第２のシャーシ５２００に隣接する第１のシャーシ５１００の底部上に設けられ、パッチパネルカセット５５００が第１群のカセット５３００と第２群のストレージカセット５４００との間に位置決めされている。システム５０００のケーブルコンポーネントは、システム４０００と機能的に同一であってもよい。たとえば、ケーブル５３１０がサービスプロバイダからの信号をカセット５３００の後部へと伝達し、ケーブル５６１０がカセット５３００の前部からスプリッタカセット５６００へと信号を伝達するようにしてもよい。特定の実施形態において、ケーブル５３１０は、後側ポートに向かってカセット５３００へと配線されているため、カセット５３００の前部開口を通過するようになっていてもよいことが了解されるものとする。また、ケーブル５４１０がスプリッタカセット５６００の前部からストレージカセット５４００内の格納位置まで延びていてもよい。適当なタイミングで、ケーブル５４１０がパッチパネルカセット５５００の前部のポートに結合されていてもよく、図中、接続されたケーブルを５５１０として標識する。ケーブル５５１２がパッチパネルカセット５５００の後部に結合され、パッチパネルカセット５５００からの信号をサービス加入者に伝達するようにしてもよい。ケーブル５３１０と同様に、ケーブル５５１２は、パッチパネルカセット５５００の後側ポートに向かって配線されているため、当該カセットの前部開口を通過するようになっていてもよいことが了解されるものとする。
【０１６０】
システム５０００とシステム３０００および４０００との間の主な相違点は、第２のシャーシ５２００の位置およびパネル５８００ａ、５８００ｂの構成である。特に、第２のシャーシ５２００は、第１のシャーシ５１００下方に直接設けられていてもよく、ベース５９００上に位置決めされていてもよい。第２のシャーシ５２００は、任意数のスプリッタカセット５６００を受容するように構成されていてもよい。一例において、第２のシャーシ５２００は、第２のシャーシ４２００と類似の単一群のスプリッタカセット５６００を受容するように構成されていてもよい。システム３０００および４０００と同様に、非常に多くのケーブル５４１０、５５１０、および５６１０がスプリッタカセット５６００の前部から延びていてもよい。第２のシャーシ５２００の前面およびスプリッタカセット５６００の前面がベース５９００の前面からある距離だけ後退したものとして示しているが、スプリッタカセット５６００から延びているケーブルがトラフ５７００へと即座に落ち込むように、第２のシャーシ５２００の前面のほか、カセット５６００の前面およびベース５９００の前面が（たとえば、後退なく）実質的に整列しているのが好ましいと考えられる。これらのケーブルの一部は、トラフ５７００に格納されていてもよい。トラフ５７００は、ベース５９００の前面および「Ｌ」字状延伸部材５９１０によって規定されていてもよい。ケーブルの数が多いと質量が大きくなるが、これらのケーブルの大部分をトラフ５７００に格納することによって、パネル５８００ａ、５８００ｂ等、システム５０００の他のコンポーネントにより支持されるその他のケーブル質量が小さくなり得るため、システム５０００の底部にトラフ５７００を使用するのが好ましいと考えられる。
【０１６１】
パネル５８００ａおよび５８００ｂは、第１のシャーシ５１００の側壁にヒンジ結合された比較的狭いパネルとして示している。他の実施形態においては、一方または両方のパネル５８００ａおよび５８００ｂがヒンジを用いずに第１のシャーシに固定されていてもよいし、あるいは、４５°または９０°の回転等、回転量が制限されていてもよいことが了解されるものとする。パネル５８００ａおよび５８００ｂは、システム４０００のパネル４８００ａおよび４８００ｂと比べて相対的に小さなケーブル質量を支持できればよいため、システム４０００のパネル４８００ａ、４８００ｂより大幅に狭くてもよい。図示の実施形態において、各パネル５８００ａおよび５８００ｂは、図２３Ａのハンガーユニット１３２３’と同様または同一の１つまたは複数のハンガーユニットを具備する。
【０１６２】
システム４０００に関連して説明したカセット４３００、４４００、４５００、および４６００の数および相対的な位置取りのさまざまな代替構成は、システム５０００のカセット５３００、５４００、５５００、および５６００にも同様に当てはまり得ることが了解されるものとする。たとえば、別の実施形態においては、パッチパネルカセット５５００が第１のシャーシ５１００の上部により近く設けられ、ストレージカセット５４００がパッチパネルカセット５５００と第１群のカセット５３１０との間に位置決めされていてもよい。
【０１６３】
図３６Ｂ〜図３６Ｅは、特定のコンポーネントを追加するとともに特定のコンポーネントを改良した通信システム５０００を示している。特に、図３６Ｂにおいては、第１群のカセット５３００、ストレージカセット５４００、およびパッチパネルカセット５５００の相対的な位置取りが異なっており、最底カセット（図示の３つのカセット）がストレージカセット５４００であり、最上カセット（図示の３群の６つのカセット）がパッチパネルカセット５５００であり、これら２つの群間のカセットが第１群のカセット５３００（ストレージカセット５４００の直上に位置決めされた図示の３つのカセット）である。第２のシャーシ５２００は、並んで位置決めされた２群のカセットとして配置されたスプリッタカセット５６００を含むものとして示している。第２のシャーシ５２００は、図３６Ａに示すベース５９００よりわずかに狭いと考えられるベース５９００’上に位置決めされていてもよい。トラフ５７００は、ベース５９００’に接続されたプレートの前面、当該プレートの１つもしくは複数の側部延伸部５９１０’、ならびに／または側部延伸部５９１０’の底端間に延びた底部延伸部（図３６Ｅに最もよく示す）間に形成されていてもよい。また、パネル５８００ａがケーブルガイド５８１０ａ’上に位置決めされていてもよく、パネル５８００ｂがケーブルガイド５８１０ｂ’上に位置決めされていてもよい。ケーブルガイド５８１０ａ’および５８１０ｂ’は、第１のシャーシ５１００に対して静的に固定されていてもよいし、第１のシャーシ５１００に対してヒンジ動作するとともに回転可能であってもよい。ケーブルガイド５８１０ａ’は、システム５０００のケーブルを案内および整線する別の手段を提供していてもよい。図示のように、ケーブルガイド５８１０ａ’は、パネル５８００ａ’から離れる方向かつトラフ５７００に向かって下方に、パネル近くの点からそれぞれ延びた最外フィン５８１２ａ’、中間フィン５８１４ａ’、および内側フィン５８１６ａ’を具備していてもよい。反対のパネル５８００ｂ’も同様に、最外フィン５８１２ｂ’、中間フィン５８１４ｂ’、および内側フィン５８１６ｂ’を有するケーブルガイド５８１０ｂ’上またはケーブルガイド５８１０ｂ’内に位置決めされていてもよい。ケーブルガイド５８１０ａ’および５８１０ｂ’は、ケーブルガイド５８１０ａ’の境界内にケーブルを保つのに役立ち得る保持器５８１８ａ’または最小曲げ半径を維持しつつケーブルが巻き付けられるスプール部材５８１８ｂ’等の別のケーブルガイド構造を含んでいてもよい。
【０１６４】
図３６Ｃは、特定のケーブルが接続され、ケーブルガイド５８１０ａ’、５８１０ｂ’のさまざまな部分によって維持されたシステム５０００を示している。たとえば、図３６Ｃは、スプリッタカセット５６００から第１群のカセット５３００まで延びたケーブル５６１０を示している。このケーブルは、上述の通り、カセット５３００からの信号をスプリッタカセット５６００に伝達するようにしてもよい。スプリッタカセット５６００は、ケーブルがすでに取り付けられたユニットとして設けられていてもよく、矢印で示すように、ケーブル５６１０の自由端部が第１のカセット５３００のうちの１つに取り付けられて２つのカセットを互いに結合しているものの、一般的には、ケーブル５６１０の矢印と反対方向に信号が伝送されることが了解されるものとする（ただし、多くの光ファイバケーブルにおいては、信号の送信または伝送が双方向に可能であることが了解されるものとする）。いくつかの例において、各スプリッタカセット５６００には、それぞれトラフ５７００中への格納および／またはトラフ５７００による支持が可能な単一のケーブル５６１０が結合されていてもよい。また、図３６Ｃは、トラフ５７００中への格納および／またはトラフ５７００による支持がなされた状態でスプリッタカセット５６００からストレージカセット５４００まで延びたケーブル５４１０を示している。ケーブル５４１０は、ユーザが当該ケーブル５４１０をパッチパネルカセット５５００に接続したいと考えるまで、ストレージカセット５４００中に一時的に位置決め可能であることを示すため、点線で与えているが、図３６Ｃにおいては、この新たに接続されたケーブルをケーブル５５１０として示している。ケーブル５５１０は、トラフ５７００中への格納および／またはトラフ５７００による支持のほか、ケーブルガイド５８１０ａ’の要素によって、さらに整線および案内されるようになっていてもよい。たとえば、すべてのケーブル５５１０がケーブル保持器５８１８ａ’の背後を通過して、ケーブルガイド５８１０ａ’の一般的範囲内に保たれるようになっていてもよい。最上群のカセット５５００へと配線されたケーブル５５１０は、最外フィン５８１２ａ’と中間フィン５８１４ａ’との間を案内されるようになっていてもよい。中間群のカセット５５００へと配線されたケーブル５５１０は、中間フィン５８１４ａ’と内側フィン５８１６ａ’との間を案内されるようになっていてもよい。最底群のカセット５５００へと配線されたケーブル５５１０は、内側フィン５８１６ａ’と内側ケーブル保持器５８１８ａ’との間を案内されるようになっていてもよい。一般的に、ケーブル５５１０（または、パッチパネルカセット５５００への接続前のケーブル５４１０）は、システム５０００における最大量のケーブルであってもよいことが了解されるものとする。このため、スプリッタカセット５６００からパッチパネルカセット５５００まで延びる大量のケーブルの分離および整線には、ケーブルガイド５８１０ａ’のさまざまなフィンが役立ち得る。図３６Ｃには、ケーブルを案内および支持するスプール部材５８１８ｂ’に巻き付けあるいはスプールされた状態で２つのパッチパネルカセット５５００を接続する別のケーブル５５２０を示している。ケーブルガイド５８１０ｂ’がケーブルガイド５８１０ａ’と同様に使用可能であり、図３６Ｃでは、ケーブルガイド５８１０ａ’または５８１０ｂ’に沿って配線されるものとして特定のケーブルを示しているが、ユーザの選好に応じて、ケーブルガイド５８１０ａ’、５８１０ｂ’のいずれかに沿って任意のケーブルを配線することも可能であることが了解されるものとする。さらに、図３６Ｂおよび図３６Ｃに関しては、外側ハウジングを示していないものの、壁マウント、ポールマウント、またはパッドマウント（たとえば、コンクリートパッドへの搭載）として搭載するハウジング等、任意適当な外側ハウジングが用いられるようになっていてもよいことが了解されるものとする。
【０１６５】
図３６Ｄは、第１の位置のケーブルガイド５８１０ａ’および５８１０ｂ’を示したシステム５０００の斜視図である。図３６Ｄにおいては、筐体またはハウジング５００２を別途示していないものの、図示の第１の位置においては、たとえばハウジングのドアが閉まってシステム５０００のコンポーネントをハウジング内に完全に含み得るように、ケーブルガイド５８１０ａ’および５８１０ｂ’のいずれもがハウジング内に完全に位置決めされていてもよいことが了解されるものとする。図３６Ｄに見られるように、第１のシャーシ５１００の側壁には、サイドハンガー１３４０ａが設けられていてもよく、これは、図２１Ａのサイドハンガー１３４０ａと同様または同一であってもよい。ただし、図２１Ｂのサイドハンガー１３４０ｂを含む他の種類および数のサイドハンガーが第１のシャーシ５１００の両側壁に位置決めされて、システム５０００と関連付けられたケーブルの格納、案内、および／または整線に役立ち得ることが了解されるものとする。ユーザは、ハウジング５００２内のシステム５０００の部分の側部または後部にアクセスして、たとえばサイドハンガー１３４０ａ上のケーブルにアクセスしたいと考える場合、プレート５８００ａ、５８００ｂ上のハンガーユニットが第１のシャーシ５１００内のカセット５３００、５４００、５５００の前面に向かって移動する方向に、一方または両方のケーブルガイド５８１０ａ’、５８１０ｂ’（および、関連するプレート５８００ａ、５８００ｂ）を回転させるようにしてもよい。図３６Ｅは、プレート５８００ｂと関連付けられたハンガーユニットがカセットの前部に位置決めされるように移動する一方、ケーブルガイド５８１０ａ’および関連するプレート５８００ａが図３６Ｂに示した第１の位置に残るように回転されたケーブルガイド５８１０ｂ’および関連するプレート５８００ｂを示している。いくつかの実施形態において、ケーブルガイド５８１０ａ’および５８１０ｂ’（ならびに、それぞれと関連するケーブルプレート５８００ａおよび５８００ｂ）の回転範囲は、およそ９０°の範囲またはおよそ１８０°の範囲に制限されていてもよい。本明細書に記載の他の種々実施形態と同様に、ケーブルガイド５８１０ａ’および５８１０ｂ’（ならびに、関連するハンガーユニットおよびケーブルプレート５８００ａおよび５８００ｂ）は、パッチパネルカセット５５００の底面と実質的に同一平面上の平面と実質的に直交する軸周りに回転するように、１つまたは複数のヒンジを介して、第１のシャーシ５１００に直接または間接的に結合されていてもよい。言い換えると、パッチパネルカセット５５００が摺動可能な方向は、ケーブルガイドが回転可能な軸に直交する。
【０１６６】
図３６Ｆおよび図３６Ｇは、システム５０００をハウジング５００２に固定する例示的な一構成を示すハウジング５００２の一実施形態におけるシステム５０００の図を示している。図示の例において、ハウジング５００２は、当該ハウジング５００２の上壁の底面に固定された１つまたは複数の上部搭載レール５００４を具備していてもよい。同様に、ハウジング５００２は、当該ハウジング５００２の底壁の上面に固定された１つまたは複数の底部搭載レール５００６を具備していてもよい。図示の例において、ハウジング５００２は、２つの上部搭載レール５００４および２つの底部搭載レール５００６を具備するが、必要に応じて、各レールがより多く設けられていてもよいし、より少なく設けられていてもよい。図３６Ｇに最もよく示すように、搭載レール５００４、５００６はそれぞれ、「Ｌ」字形状または「Ｕ」字形状を有するブラケットの形態であってもよいが、他の形状も適していると考えられる。図示の例においては、たとえばネジ、ボルト、またはその他任意適当な締結具によって、第１のシャーシ５１００の上壁（あるいは、第１のシャーシ５１００の上壁に搭載された別個のプレートまたは支持部）が上部搭載レール５００４に結合されていてもよい。また、ネジ、ボルト、またはその他任意適当な締結具によって、ベース５９００’の底面（あるいは、ベース５９００’の底面に搭載された別個のプレートまたは支持部）が同様に、底部搭載レール５００６に結合されていてもよい。この構成により、システム５０００がハウジング５００２内に固定されて、ハウジング５００２に対するシステム５０００の如何なる意図せざる移動の可能性もが低減可能である。ハウジング５００２は、上述のハウジング１００２のポート１００４と類似のアクセスポートを底部に備えたものとして示しているが、より多くのアクセスポートがハウジング５００２の任意所望の位置に設けられていてもよいことに留意するものとする。
【０１６７】
図３６Ｈは、システム５０００の第２のシャーシ５２００の半分の拡大斜視図であって、３つの対応するカセットスロットに挿入された３つのスプリッタカセット５６００を具備するものとして示している。ただし、図３６Ｈのスプリッタカセットハウジングは、システム３０００および４０００を含む本明細書に記載の他のシステムにも使用可能であることが了解されるものとする。図３６Ｈはとりわけ、さまざまなスプリッタカセット５６００がそれぞれの所望の位置で整線された状態を維持するのに、シャーシの上壁から底壁まで完全に延びた垂直壁等の分離部材を第２のシャーシ５２００が具備する必要がないことを示している。たとえば、第２のシャーシ５２００は、スプリッタカセット５６００を適所に維持するのに役立つ複数の付勢またはバネ加重部材５２１０を具備していてもよい。図示の例においては、第２のシャーシ５２００に受容可能な各スプリッタカセット５６００について、シャーシ５２００の上壁は、互いに位置合わせされて下方に突出する２つのバネ部材５２１０を具備する。一方、底壁は、互いに位置合わせされて上方に突出する別の２つのバネ部材５２２０を具備する。各バネ部材５２１０は、第２のシャーシ５２００の前部および後部に近い部分がシャーシの上壁に向かって遠くまで延びるように角度がついていてもよい。一方、バネ部材５２２０は、第２のシャーシ５２００の前部および後部に近い部分がシャーシの底壁に向かって遠くまで延びるように角度が同様についていてもよい。ただし、第２のシャーシ５２００の前部または後部に最も近いバネ部材５２１０および５２２０の部分は、傾斜面を含んでいてもよく、第２のシャーシ５２００の前部または後部からある距離だけ離れて、バネ部材の最も突出した部分が位置決めされる。この構成により、カセット５６００がシャーシ５２００内の各スロットに摺動して入った場合、バネ部材５２１０、５２２０のバネが圧縮し始めて、カセット５６００がスロットに進入する間隙が与えられる。カセット５６００が適所に摺動すると、バネ部材５２１０、５２２０のバネがわずかに緩み始めて、前側バネ部材５２２０のリップ５２２２が上方に突出するため、カセット５６００が意図せず第２のシャーシ５２００から取り外されることはない。また、いくつかの実施形態において、前側バネ部材５２１０は、リップ５２２２と類似のリップを具備していてもよい。後側バネ部材５２１０、５２２０は、特に第２のシャーシ５２００の後部が閉じられている場合、同様のリップを必要としないものの、いくつかの状況においては、リップが適当と考えられる。さらに、いくつかの実施形態において、後側バネ部材５２１０、５２２０は省略されてもよい。他の実施形態においては、バネ部材５２１０、５２２０が突出して入り込むことにより、第２のシャーシ５２００内の所望の位置またはスロットへのカセット５６００の固定にさらに役立つように、カセット５６００が窪み、トラック、溝、または類似の特徴を含んでいてもよい。さらには、スプリッタカセット５６００が第２のシャーシ５２００に挿入された場合に、シャーシ５２００の底壁上に突出するバネ部材の側縁がスプリッタカセットの底部および上部側縁に接触するように構成可能となるように、バネ部材５２１０、５２２０が位置決めされていてもよく、バネ部材は、挿入および挿入後の支持中に別のガイドとして機能することが了解されるものとする。
【０１６８】
図３６Ｉおよび図３６Ｊはそれぞれ、アンロック状態およびロック状態の別のロックバー５２３０を示している。ロックバー５２３０は、カセット５６００を第２のシャーシ５２００内にさらに固定するように設けられていてもよい。ロックバー５２３０は、リップ５２２２の追加または代替として設けられていてもよいことが了解されるものとする。ロックバー５２３０は、第２のシャーシ５２００の対応する１つまたは２つの側壁に対して枢動可能に結合された第１の端部を有する１つまたは２つの側方部材５２３０ａを具備していてもよい。側方部材５２３０ａは、第１の端部から、第２のシャーシ５２００の前部に近い第２の端部まで延びていてもよい。側方部材５２３０ａの第２の端部には、バー部材５２３０ｂが結合されていてもよい。２つの側方部材５２３０ａが備わっている場合は、これら２つの側方部材５２３０ａの第２の端部間にバー部材５２３０ｂが延びていてもよい。図３６Ｉに示すロックバー５２３０のアンロック位置において、バー部材５２３０ｂは、カセット５６００の第２のシャーシ５２００への摺動出入りを制限または実質的に制限することのないように、カセット５６００の上部またはその上方に位置決めされている。図３６Ｊに示すように、ロックバー５２３０は、側方部材５２３０ａの第１の端部周りに、第２のシャーシ５２００の底壁に向かって側方部材５２３０ａの第２の端部を枢動させることにより、ロック状態へと遷移するようになっていてもよい。この動きにより、バー部材５２３０ｂも同様に下方へ落ちるため、バー部材５２３０ｂがカセット５６００の前部と接触または隣接する。図示の例において、ロックバー５２３０のロック状態においては、以下により詳しく説明する通り、バー部材５２３０ｂがカセット５６００のハンドル５６２０に接触または隣接して位置決めされる。図示の例において、側方部材５２３０ａは、第２のシャーシ５２００の側壁の外側に位置決めされており、第２のシャーシ５２００は、バー部材５２３０ｂが延びるスロットを含み、ロックバー５２３０がロック状態とアンロック状態との間で遷移した場合にバー部材５２３０ｂが移動する経路にスロットが大略従う。ただし、他の実施形態においては、側方部材５２３０ａが第２のシャーシ５２００の側壁の内側に位置決めされていてもよい。一実施形態において、ロックバー５２３０は、たとえばバネによって、ロック状態に付勢されていてもよい。別の例において、ロックバー５２３０は、主にまたは単に当該ロックバー５２３０を下方に引っ張る重力によって、ロック状態となる傾向にあってもよい。ロックバー５２３０がロック状態へと能動的に付勢されるか（たとえば、重力によって）受動的に付勢されるかに関わらず、たとえばシステム５０００の振動によって、シャーシ５２００内の如何なるカセット５６００も意図せず摺動して第２のシャーシ５２００から出る可能性は非常に低い。ユーザは、摺動によってカセット５６００を第２のシャーシ５２００に出入りさせたいと考える場合、ロックバー５２３０を一時的にアンロック状態へと遷移させるようにしてもよく、この点において、カセット５６００が摺動によって第２のシャーシ５２００に出入り可能となるようにバー部材５２３０ｂが位置決めされる。カセット５６００が摺動によって第２のシャーシ５２００に入るか、または取り出された後、ユーザは、単純にロックバー５２３０から手を放すようにしてもよく、これにより、能動的または受動的な付勢によってロック状態へと遷移することになる。ただし、他の実施形態においては、ロックバー５２３０を一切付勢する必要がなく、ユーザによる意図的な力の印加によって、ロックバー５２３０がロック状態とアンロック状態との間で遷移するのみである。また、ロックバー５２３０がロック状態とアンロック状態との間で遷移する場合に側方部材５２３０ａの第２の端部が摺動するスロットには、スロットの底端に隣接する凸部５２３２等の突起を含んでいてもよい。言い換えると、凸部５２３２は、バー部材５２３０ｂの直径と等しいか、またはわずかに大きいスロットの底部からある距離だけ離隔していてもよい。この構成により、凸部５２３２は、付加的な摩擦係合を与え得るため、アンロック状態へと向かうバー部材５２３０ｂの上方への如何なる意図せざる移動にも対抗するのに役立ち得るものの、この摩擦係合は、ロックバー５２３０に対する上方または下方への意図的な力の印加によって容易に打ち負かされる可能性がある。
【０１６９】
図３６Ｋは、スプリッタカセット５６００の一例をより詳しく示しているが、図３６Ｋに示すスプリッタカセットは、本明細書の通信システムの他の実施形態に関連して説明した他のスプリッタカセットの代わりに用いられるようになっていてもよいことが了解されるものとする。スプリッタカセットは、ユーザが摺動によって第２のシャーシ５２００等のハウジングにカセット５６００を出入りさせるのを補助するハンドル５６２０を具備していてもよい。図示の実施形態において、ハンドル５６２０の前面は、カセット５６００の他の前部と実質的に同一平面上にあり、ハンドル５６２０に直接隣接するカセット５６００の前部は、凹部または窪みによってハンドル５６２０を構成している。スプリッタカセット５６００からは、単一のケーブル５６１０が延びていてもよく、カセットの前面に結合された張力緩和要素５６１２を通過していてもよい。図３６Ｋのケーブル５６１０は、図３６Ａおよび図３６Ｃのケーブル５６１０に対応しており、別のケーブルによってサービスプロバイダに結合された別のカセット５３００にスプリッタカセット５６００を接続することによって、サービスプロバイダからの信号がカセット５３００に伝達された後、ケーブル５６１０を通ってスプリッタカセット５６００に達するようにすることを意図したものであってもよい。さらに、スプリッタカセット５６００からは、たとえば別の張力緩和要素を介して複数の別のケーブル５４１０が延びていてもよい。ケーブル５４１０の数は、特定のスプリッタカセット５６００によって決まり、８本、１６本、３２本等、任意所望の数であってもよい。図３６Ｋのケーブル５４１０は、ストレージカセット５４００に結合された場合の図３６Ａおよび図３６Ｃのケーブル５４１０に対応する一方、図３６Ｋのケーブル５４１０は、パッチパネルカセット５５００に結合された場合の図３６Ａおよび図３６Ｃのケーブル５５１０に対応することが了解されるものとする。最初に設けられた場合は、スプリッタカセット５６００の各ケーブル５４１０のコネクタ５４１２が格納プレート５６１６の保持要素５６１４に格納されていてもよい。格納プレート５６１６および保持要素５６１４は、図２８Ｂおよび図２８Ｃの格納ラック１８４０または図２８Ｄの格納ラック１８４０’に類似していてもよい。スプリッタカセット５６００の第２のシャーシ５２００への最初の設置に際して、格納プレート５６１６がストレージカセット５４００内の対応する受容構造に容易に固定、留止、あるいは結合し得るように、格納プレート５６１６の保持要素５６１４にコネクタ５４１２が予め設置されていてもよい。これにより、ユーザは、コネクタを取り外してパッチパネルカセット５５００のポートに接続する前に、各ケーブル５４１０の各コネクタ５４１２をストレージカセット５４００内の対応するポートに対して個々に結合させて格納する必要がなくなり得る。
【０１７０】
システム５０００はハンガーユニット１３２３’を具備していてもよいが、別の種類のハンガーユニット１３２３’’がシステム５０００には好ましいと考えられる。ハンガーユニット１３２３’’は、支持部１３２４’’および当該支持部１３２４’’から延びた複数の個々のハンガー１３２５’’を具備していてもよい。各ハンガー１３２５’’の自由端部には、たとえば稼働中のヒンジ機構によって当該自由端部にヒンジ結合されたラッチ部材１３２６’’を含んでいてもよい。また、各ハンガー１３２５’’の自由端部には、ハンガーユニット１３２３’のリップ１３２７’と類似のリップを含んでいてもよい。ハンガーユニット１３２３’’は、主として、ハンガー１３２５’’ひいてはラッチ部材１３２６’’が支持部１３２４’’の長手方向軸に対して角度がついていてもよい点を除いて、ハンガーユニット１３２３’と実質的に同じコンポーネントを具備していてもよいことが了解されるものとする。たとえば、図３７Ｂに示すように、ハンガー１３２５’’は、支持部１３２４’’の長手方向軸に対して、およそ３０°〜およそ６０°（およそ４５°を含む）の角度α５を成していてもよい。ハンガーユニット１３２３’がパッチパネルシステムの両側のハンガープレートまたはパネル上で区別なく使用可能であるのに対して、ハンガーユニット１３２３’’は、パッチパネルシステムの第１の側のハンガープレート上で用いられるように設計されていてもよい。一方、ハンガーユニット１３２３’’の鏡像がパッチパネルシステムの第２の側のハンガープレート上で使用可能であるのが好ましい。たとえば、図３７Ａ〜図３７Ｃに示すハンガーユニット１３２３’’は、システム５０００のパネル５８００ａ上での使用が最適と考えられるが、ハンガーユニット１３２３’’の鏡像は、システム５０００のパネル５８００ｂ上での使用が最適と考えられる。ハンガーユニット１３２３’と比較したハンガーユニット１３２３’’の潜在的な利点として、ハンガー１３２５’’上のケーブルＣがハンガーユニット１３２３’のハンガー１３２５’上のケーブルＣよりも角度が緩やかとなる可能性があるため、ケーブルＣの最小曲げ半径を維持可能な点が挙げられる。たとえば、図３７Ｃに示すように、ハンガー１３２５’’の各側を越えて延びるケーブルは、α５がおよそ４５°である場合に、およそ１３５°の角度α６およびα７となる。これは、ケーブルに接触するハンガー１３２５’の部分の縁部に通常作られる円形縁部に加えて、ハンガーユニット１３２３’のハンガー１３２５’により支持されたケーブルが取り得る９０°よりも緩い角度と考えられる。換言すると、ハンガーユニット１３２３’のハンガー１３２５’は、円形縁部または円形延伸部を含むことにより、ハンガー１３２５’によって支持されたケーブルの最小曲げ半径を維持するのに役立ち得るが、このような特徴では、ハンガー１３２５’が比較的広いことが必要となる場合がある。ハンガー１３２５’’がハンガー１３２５’よりも狭いことから、ハンガーユニット１３２３’’のハンガー１３２５’’にこのような円形縁部または円形延伸部を設けるのは困難と考えられる。代わりに、上述の通り、支持部１３２４’’の長手方向軸に対���るある角度でハンガー１３２５’’を位置決めすることによって、最小曲げ半径を狭い空間で得ることができる。上述の通り、ハンガーユニット１３２３’’の鏡像構成を有するハンガーユニットを使用することによって、システム５０００のパネル５８００ｂ上のケーブルにも同じ角度を実現することができる。ハンガーユニット１３２３’’（および、対応する鏡像構成）は、狭いパネル５８００ａ、５８００ｂを有するシステム５０００について特に適すると考えられるが、本明細書に記載の他の通信システムにもハンガーユニット１３２３’’を使用可能であることが了解されるものとする。
【０１７１】
以上、本発明を特定の実施形態を参照して説明してきたが、これらの実施形態は、本発明の原理および用途の単なる例示にすぎないことを理解されたい。従って、添付の特許請求の範囲によって規定される本発明の精神および範囲から逸脱することなく、これらの例示的な実施形態に対して多くの変更を行うことや他の構成を考案することができることを理解されたい。
【図１Ａ】
2019024193.tif 000003
【図１Ｂ】
2019024193.tif 000004
【図１Ｃ】
2019024193.tif 000005
【図２Ａ】
2019024193.tif 000006
【図２Ｂ】
2019024193.tif 000007
【図２Ｃ】
2019024193.tif 000008
【図３Ａ】
2019024193.tif 000009
【図３Ｂ】
2019024193.tif 000010
【図３Ｃ】
2019024193.tif 000011
【図３Ｄ】
2019024193.tif 000012
【図４Ａ】
2019024193.tif 000013
【図４Ｂ】
2019024193.tif 000014
【図４Ｃ】
2019024193.tif 000015
【図４Ｄ】
2019024193.tif 000016
【図５Ａ】
2019024193.tif 000017
【図５Ｂ】
2019024193.tif 000018
【図５Ｃ】
2019024193.tif 000019
【図５Ｄ】
2019024193.tif 000020
【図６Ａ】
2019024193.tif 000021
【図６Ｂ】
2019024193.tif 000022
【図６Ｃ】
2019024193.tif 000023
【図６Ｄ】
2019024193.tif 000024
【図６Ｅ】
2019024193.tif 000025
【図７】
2019024193.tif 000026
【図８Ａ】
2019024193.tif 000027
【図８Ｂ】
2019024193.tif 000028
【図８Ｃ】
2019024193.tif 000029
【図８Ｄ】
2019024193.tif 000030
【図８Ｅ】
2019024193.tif 000031
【図９Ａ】
2019024193.tif 000032
【図９Ｂ】
2019024193.tif 000033
【図１０Ａ】
2019024193.tif 000034
【図１０Ｂ】
2019024193.tif 000035
【図１０Ｃ】
2019024193.tif 000036
【図１０Ｄ】
2019024193.tif 000037
【図１０Ｅ】
2019024193.tif 000038
【図１０Ｆ】
2019024193.tif 000039
【図１０Ｇ】
2019024193.tif 000040
【図１０Ｈ】
2019024193.tif 000041
【図１０Ｉ】
2019024193.tif 000042
【図１０Ｊ】
2019024193.tif 000043
【図１１Ａ】
2019024193.tif 000044
【図１１Ｂ】
2019024193.tif 000045
【図１１Ｃ】
2019024193.tif 000046
【図１１Ｄ】
2019024193.tif 000047
【図１１Ｅ】
2019024193.tif 000048
【図１１Ｆ】
2019024193.tif 000049
【図１１Ｇ】
2019024193.tif 000050
【図１１Ｈ】
2019024193.tif 000051
【図１２】
2019024193.tif 000052
【図１３Ａ】
2019024193.tif 000053
【図１３Ｂ】
2019024193.tif 000054
【図１３Ｃ】
2019024193.tif 000055
【図１３Ｄ】
2019024193.tif 000056
【図１３Ｅ】
2019024193.tif 000057
【図１３Ｆ】
2019024193.tif 000058
【図１３Ｇ】
2019024193.tif 000059
【図１４Ａ】
2019024193.tif 000060
【図１４Ｂ】
2019024193.tif 000061
【図１４Ｃ】
2019024193.tif 000062
【図１４Ｄ】
2019024193.tif 000063
【図１４Ｅ】
2019024193.tif 000064
【図１４Ｆ】
2019024193.tif 000065
【図１４Ｇ】
2019024193.tif 000066
【図１４Ｈ】
2019024193.tif 000067
【図１５Ａ】
2019024193.tif 000068
【図１５Ｂ】
2019024193.tif 000069
【図１５Ｃ】
2019024193.tif 000070
【図１５Ｄ】
2019024193.tif 000071
【図１６Ａ】
2019024193.tif 000072
【図１６Ｂ】
2019024193.tif 000073
【図１７】
2019024193.tif 000074
【図１８】
2019024193.tif 000075
【図１９Ａ】
2019024193.tif 000076
【図１９Ｂ】
2019024193.tif 000077
【図１９Ｃ】
2019024193.tif 000078
【図１９Ｄ】
2019024193.tif 000079
【図２０Ａ】
2019024193.tif 000080
【図２０Ｂ】
2019024193.tif 000081
【図２０Ｃ】
2019024193.tif 000082
【図２０Ｄ】
2019024193.tif 000083
【図２１Ａ】
2019024193.tif 000084
【図２１Ｂ】
2019024193.tif 000085
【図２１Ｃ】
2019024193.tif 000086
【図２１Ｄ】
2019024193.tif 000087
【図２１Ｅ】
2019024193.tif 000088
【図２１Ｆ】
2019024193.tif 000089
【図２１Ｇ】
2019024193.tif 000090
【図２１Ｈ】
2019024193.tif 000091
【図２１Ｉ】
2019024193.tif 000092
【図２１Ｊ】
2019024193.tif 000093
【図２１Ｋ】
2019024193.tif 000094
【図２１Ｌ】
2019024193.tif 000095
【図２１Ｍ】
2019024193.tif 000096
【図２２Ａ】
2019024193.tif 000097
【図２２Ｂ】
2019024193.tif 000098
【図２３Ａ】
2019024193.tif 000099
【図２３Ｂ】
2019024193.tif 000100
【図２３Ｃ】
2019024193.tif 000101
【図２４Ａ】
2019024193.tif 000102
【図２４Ｂ】
2019024193.tif 000103
【図２４Ｃ】
2019024193.tif 000104
【図２４Ｄ】
2019024193.tif 000105
【図２４Ｅ】
2019024193.tif 000106
【図２４Ｆ】
2019024193.tif 000107
【図２４Ｇ】
2019024193.tif 000108
【図２４Ｈ】
2019024193.tif 000109
【図２４Ｉ】
2019024193.tif 000110
【図２４Ｊ】
2019024193.tif 000111
【図２４Ｋ】
2019024193.tif 000112
【図２４Ｌ】
2019024193.tif 000113
【図２４Ｍ】
2019024193.tif 000114
【図２４Ｎ】
2019024193.tif 000115
【図２４Ｏ】
2019024193.tif 000116
【図２５Ａ】
2019024193.tif 000117
【図２５Ｂ】
2019024193.tif 000118
【図２５Ｃ】
2019024193.tif 000119
【図２５Ｄ】
2019024193.tif 000120
【図２６Ａ】
2019024193.tif 000121
【図２６Ｂ】
2019024193.tif 000122
【図２６Ｃ】
2019024193.tif 000123
【図２７Ａ】
2019024193.tif 000124
【図２７Ｂ】
2019024193.tif 000125
【図２８Ａ】
2019024193.tif 000126
【図２８Ｂ】
2019024193.tif 000127
【図２８Ｃ】
2019024193.tif 000128
【図２８Ｄ】
2019024193.tif 000129
【図２８Ｅ】
2019024193.tif 000130
【図２８Ｆ】
2019024193.tif 000131
【図２８Ｇ】
2019024193.tif 000132
【図２８Ｈ】
2019024193.tif 000133
【図２９Ａ】
2019024193.tif 000134
【図２９Ｂ】
2019024193.tif 000135
【図３０Ａ】
2019024193.tif 000136
【図３０Ｂ】
2019024193.tif 000137
【図３１Ａ】
2019024193.tif 000138
【図３１Ｂ】
2019024193.tif 000139
【図３１Ｃ】
2019024193.tif 000140
【図３２Ａ】
2019024193.tif 000141
【図３２Ｂ】
2019024193.tif 000142
【図３２Ｃ】
2019024193.tif 000143
【図３２Ｄ】
2019024193.tif 000144
【図３３Ａ】
2019024193.tif 000145
【図３３Ｂ】
2019024193.tif 000146
【図３３Ｃ】
2019024193.tif 000147
【図３３Ｄ】
2019024193.tif 000148
【図３４】
2019024193.tif 000149
【図３５】
2019024193.tif 000150
【図３６Ａ】
2019024193.tif 000151
【図３６Ｂ】
2019024193.tif 000152
【図３６Ｃ】
2019024193.tif 000153
【図３６Ｄ】
2019024193.tif 000154
【図３６Ｅ】
2019024193.tif 000155
【図３６Ｆ】
2019024193.tif 000156
【図３６Ｇ】
2019024193.tif 000157
【図３６Ｈ】
2019024193.tif 000158
【図３６Ｉ】
2019024193.tif 000159
【図３６Ｊ】
2019024193.tif 000160
【図３６Ｋ】
2019024193.tif 000161
【図３７Ａ】
2019024193.tif 000162
【図３７Ｂ】
2019024193.tif 000163
【図３７Ｃ】
2019024193.tif 000164
【外国語明細書】
2019024193000001.pdf